(57)【要約】【課題】複数の基地局装置で協働して端末装置と通信するためのスケジューリングにおいて、複数の基地局装置間における遅延の影響を可及的に抑えることができる移動体通信システム等を提供する。【解決手段】移動体通信システムは、移動端末、第１基地局および第２基地局を含む。第１基地局および第２基地局から基地局ごとの参照信号を送信する。移動端末は第１基地局および第２基地局の少なくとも一方からの参照信号を受信する際に受信電力の測定を行う。移動端末から第１基地局に測定結果を報告する。第１基地局から第２基地局に測定結果を通知する。測定結果に基づいて、第１基地局および第２基地局は協働して移動端末との間で通信を行う。【選択図】図２１
2020065306.tif 000002
【特許請求の範囲】
【請求項１】
移動端末、第１基地局および第２基地局を含む移動体通信システムであって、
前記第１基地局および第２基地局から基地局ごとの参照信号を送信し、
前記移動端末は前記第１基地局および第２基地局の少なくとも一方からの前記参照信号を受信する際に受信電力の測定を行い、
前記移動端末から前記第１基地局に測定結果を報告し、
前記第１基地局から前記第２基地局に前記測定結果を通知し、
前記測定結果に基づいて、前記第１基地局および前記第２基地局は協働して前記移動端末との間で通信を行うことを特徴とする移動体通信システム。
【請求項２】
第１基地局および第２基地局との間で通信を行う移動端末であって、
前記第１基地局および第２基地局から送信された基地局ごとの参照信号を受信し、
前記第１基地局および第２基地局の少なくとも一方からの前記参照信号を受信する際に受信電力の測定を行い、
前記第１基地局に測定結果を報告し、
前記測定結果に基づいて、前記第１基地局および前記第１基地局から前記測定結果が通知され前記第１基地局と協働する前記第２基地局との間で通信を行うことを特徴とする移動端末。
【請求項３】
他の基地局と協働して、移動端末との間で通信を行う基地局であって、
前記移動端末に基地局ごとの参照信号を送信し、
前記基地局および前記他の基地局の少なくとも一方からの前記参照信号を受信する際に前記移動端末において行われた受信電力の測定結果であり、前記移動端末から報告された前記測定結果を受信し、
前記他の基地局に前記測定結果を通知し、
前記測定結果に基づいて、前記他の基地局と協働して前記移動端末との間で通信を行うことを特徴とする基地局。
【請求項４】
他の基地局と協働して、移動端末との間で通信を行う基地局であって、
前記基地局および前記他の基地局の少なくとも一方から前記移動端末に送信された基地局ごとの参照信号を、前記移動端末において受信する際に受信電力の測定を行い、その際に得られた測定結果を前記他の基地局を経由して受信し、
前記測定結果に基づいて、前記他の基地局と協働して前記移動端末との間で通信を行うことを特徴とする基地局。
【発明の詳細な説明】
【技術分野】
【０００１】
本開示は、移動体通信システム、移動端末および基地局に関する。
【背景技術】
【０００２】
第３世代と呼ばれる通信方式のうち、Ｗ−ＣＤＭＡ（登録商標）（Wideband Code division Multiple Access）方式が２００１年から日本で商用サービスが開始されている。また、下りリンク（個別データチャネル、個別制御チャネル）にパケット伝送用のチャネル（High Speed-Downlink Shared Channel：ＨＳ−ＤＳＣＨ）を追加することにより、下りリンクを用いたデータ送信の更なる高速化を実現するＨＳＤＰＡ（High Speed Downlink Packet Access）のサービスが開始されている。さらに、上り方向のデータ送信をより高速化するために、ＨＳＵＰＡ（High Speed Uplink Packet Access）方式についてもサービスが開始されている。Ｗ−ＣＤＭＡは、移動体通信システムの規格化団体である３ＧＰＰ（3rd Generation Partnership Project）により定められた通信方式であり、リリース１０版の規格書がとりまとめられている。
【０００３】
また、３ＧＰＰにおいて、Ｗ−ＣＤＭＡとは別の通信方式として、無線区間についてはロングタームエボリューション（Long Term Evolution：ＬＴＥ）、コアネットワーク（単にネットワークとも称する）を含めたシステム全体構成については、システムアーキテクチャエボリューション（System Architecture Evolution：ＳＡＥ）と称される新たな通信方式が検討されている。この通信方式は３．９Ｇ（3.9 Generation）システムとも呼ばれる。
【０００４】
ＬＴＥでは、アクセス方式、無線のチャネル構成やプロトコルが、現在のＷ−ＣＤＭＡ（ＨＳＤＰＡ／ＨＳＵＰＡ）とは全く異なるものになる。例えば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４ＭＨｚ，３ＭＨｚ，５ＭＨｚ，１０ＭＨｚ，１５ＭＨｚ，２０ＭＨｚの中で基地局毎に選択可能となっている。また、ＬＴＥでは、Ｗ−ＣＤＭＡのように回線交換を含まず、パケット通信方式のみになる。
【０００５】
ＬＴＥは、Ｗ−ＣＤＭＡのコアネットワークであるＧＰＲＳ（General Packet Radio Service）とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（User Equipment：ＵＥ）と通信を行う基地局（Base station）はｅＮＢ（E-UTRAN NodeB）と称され、複数の基地局と制御データやユーザデータのやり取りを行う基地局制御装置（Radio Network Controller）は、ＥＰＣ（Evolved Packet Core）またはａＧＷ（Access Gateway）と称される。
【０００６】
このＬＴＥの通信システムでは、ユニキャスト（Unicast）サービスとＥ-ＭＢＭＳサービス（Evolved Multimedia Broadcast Multicast Service）とが提供される。Ｅ−ＭＢＭＳサービスとは、放送型マルチメディアサービスであり、単にＭＢＭＳと称される場合もある。複数の移動端末に対してニュースや天気予報、モバイル放送などの大容量放送コンテンツが送信される。これを１対多（Point to Multipoint）サービスともいう。
【０００７】
３ＧＰＰでの、ＬＴＥシステムにおける全体的なアーキテクチャ（Architecture）に関する現在の決定事項が、非特許文献１（４章）に記載されている。全体的なアーキテクチャについて図１を用いて説明する。図１は、ＬＴＥ方式の通信システムの構成を示す説明図である。図１において、移動端末１０１に対する制御プロトコル、例えばＲＲＣ（Radio Resource Control）と、ユーザプレイン、例えばＰＤＣＰ（Packet Data Convergence Protocol）、ＲＬＣ（Radio Link Control）、ＭＡＣ（Medium Access Control）、ＰＨＹ（Physical layer）とが基地局１０２で終端するならば、Ｅ−ＵＴＲＡＮ（Evolved Universal Terrestrial Radio Access）は１つあるいは複数の基地局１０２によって構成される。
【０００８】
基地局１０２は、ＭＭＥ（Mobility Management Entity）１０３から通知されるページング信号（Paging Signal、ページングメッセージ（paging messages）とも称される）のスケジューリング（Scheduling）および送信を行う。基地局１０２は、Ｘ２インタフェースにより、互いに接続される。また基地局１０２は、Ｓ１インタフェースによりＥＰＣ（Evolved Packet Core）に接続される。より明確には、基地局１０２は、Ｓ１＿ＭＭＥインタフェースによりＭＭＥ（Mobility Management Entity）１０３に接続され、Ｓ１＿ＵインタフェースによりＳ−ＧＷ（Serving Gateway）１０４に接続される。
【０００９】
ＭＭＥ１０３は、複数あるいは単数の基地局１０２へのページング信号の分配を行う。また、ＭＭＥ１０３は待受け状態（Idle State）のモビリティ制御（Mobility control）を行う。ＭＭＥ１０３は、移動端末が待ち受け状態の際、および、アクティブ状態（Active State）の際に、トラッキングエリア（Tracking Area）リストの管理を行う。
【００１０】
Ｓ−ＧＷ１０４は、一つまたは複数の基地局１０２とユーザデータの送受信を行う。Ｓ−ＧＷ１０４は、基地局間のハンドオーバの際、ローカルな移動性のアンカーポイント（Mobility Anchor Point）となる。ＥＰＣには、さらにＰ−ＧＷ（PDN Gateway）が存在し、ユーザ毎のパケットフィルタリングやＵＥ−ＩＤアドレスの割当などを行う。
【００１１】
移動端末１０１と基地局１０２との間の制御プロトコルＲＲＣは、報知（Broadcast）、ページング（paging）、ＲＲＣ接続マネージメント（RRC connection management）などを行う。ＲＲＣにおける基地局と移動端末の状態として、ＲＲＣ＿ＩＤＬＥと、ＲＲＣ＿ＣＯＮＮＥＣＴＥＤとがある。ＲＲＣ＿ＩＤＬＥでは、ＰＬＭＮ（Public Land Mobile Network）選択、システム情報（System Information：ＳＩ）の報知、ページング（paging）、セル再選択（cell re-selection）、モビリティ等が行われる。ＲＲＣ＿ＣＯＮＮＥＣＴＥＤでは、移動端末はＲＲＣ接続（connection）を有し、ネットワークとのデータの送受信を行うことができ、また、ハンドオーバ（Handover：ＨＯ）、隣接セル（Neighbour cell）のメジャメント等が行われる。
【００１２】
非特許文献１（５章）に記載される３ＧＰＰでの、ＬＴＥシステムにおけるフレーム構成に関する現在の決定事項について、図２を用いて説明する。図２は、ＬＴＥ方式の通信システムで使用される無線フレームの構成を示す説明図である。図２において、１つの無線フレーム（Radio frame）は１０ｍｓである。無線フレームは１０個の等しい大きさのサブフレーム（Subframe）に分割される。サブフレームは、２個の等しい大きさのスロット（slot）に分割される。無線フレーム毎に１番目と６番目のサブフレームに下り同期信号（Downlink Synchronization Signal：ＳＳ）が含まれる。同期信号には、第一同期信号（Primary Synchronization Signal：Ｐ−ＳＳ）と、第二同期信号（Secondary Synchronization Signal：Ｓ−ＳＳ）とがある。
【００１３】
サブフレーム単位で、ＭＢＳＦＮ（Multimedia Broadcast multicast service Single Frequency Network）用のチャネルと、ＭＢＳＦＮ以外用のチャネルとの多重が行われる。ＭＢＳＦＮ送信(MBSFN Transmission)とは、同時に複数のセルから同じ波形の送信により実現される同時放送送信技術(simulcast transmission technique)である。ＭＢＳＦＮ領域（MBSFN Area）の複数のセルからのＭＢＳＦＮ送信は、移動端末によって１つの送信であると見える。ＭＢＳＦＮとは、このようなＭＢＳＦＮ送信をサポートするネットワークである。以降、ＭＢＳＦＮ送信用のサブフレームをＭＢＳＦＮサブフレーム（MBSFN subframe）と称する。
【００１４】
非特許文献２に、ＭＢＳＦＮサブフレームの割り当て時のシグナリング例が記載されている。図３は、ＭＢＳＦＮフレームの構成を示す説明図である。図３において、割当周期（radio Frame Allocation Period）毎にＭＢＳＦＮサブフレームを含む無線フレームが割り当てられる。ＭＢＳＦＮサブフレームは、割当周期と割当オフセット（radio Frame Allocation Offset）によって定義された無線フレームにてＭＢＳＦＮのために割り当てられるサブフレームであり、マルチメディアデータを伝送するためのサブフレームである。以下の式（１）を満たす無線フレームが、ＭＢＳＦＮサブフレームを含む無線フレームである。
【００１５】
ＳＦＮ ｍｏｄ radioFrameAllocationPeriod＝radioFrameAllocationOffset  ・・・（１）
ＭＢＳＦＮサブフレームの割当は６ビットにて行われる。１番左のビットは、サブフレーム２番目（＃１）のＭＢＳＦＮ割当を定義する。２番目のビットはサブフレーム３番目（＃２）、３番目のビットはサブフレーム４番目（＃３）、４番目のビットはサブフレーム７番目（＃６）、５番目のビットはサブフレーム８番目（＃７）、６番目のビットはサブフレーム９番目（＃８）のＭＢＳＦＮ割当を定義する。該ビットが「１」を示す場合、対応するサブフレームがＭＢＳＦＮのために割当てられることを示す。
【００１６】
３ＧＰＰでの、ＬＴＥシステムにおけるチャネル構成に関する現在の決定事項が、非特許文献１（５章）に記載されている。ＣＳＧセル（Closed Subscriber Group cell）においてもｎｏｎ−ＣＳＧセルと同じチャネル構成が用いられると想定されている。物理チャネル（Physical channel）について、図４を用いて説明する。図４は、ＬＴＥ方式の通信システムで使用される物理チャネルを説明する説明図である。
【００１７】
図４において、物理報知チャネル（Physical Broadcast channel：ＰＢＣＨ）４０１は、基地局１０２から移動端末１０１への下り送信用のチャネルである。ＢＣＨトランスポートブロック（transport block）は、４０ｍｓ間隔中の４個のサブフレームにマッピングされる。４０ｍｓタイミングの明白なシグナリングはない。物理制御チャネルフォーマットインジケータチャネル（Physical Control Format Indicator Channel：ＰＣＦＩＣＨ）４０２は、基地局１０２から移動端末１０１への下り送信用のチャネルである。ＰＣＦＩＣＨは、ＰＤＣＣＨｓのために用いるＯＦＤＭシンボルの数について基地局１０２から移動端末１０１へ通知する。ＰＣＦＩＣＨは、サブフレーム毎に送信される。
【００１８】
物理下り制御チャネル（Physical Downlink Control Channel：ＰＤＣＣＨ）４０３は、基地局１０２から移動端末１０１への下り送信用のチャネルである。ＰＤＣＣＨは、ＤＬ−ＳＣＨ（後述の図５に示されるトランスポートチャネルの１つである下り共有チャネル）とＰＣＨ（図５に示されるトランスポートチャネルの１つであるページングチャネル）のリソース割り当て（allocation）、ＤＬ−ＳＣＨに関するＨＡＲＱ（Hybrid Automatic Repeat reQuest）情報を通知する。ＰＤＣＣＨは、上りスケジューリンググラント（Uplink Scheduling Grant）を運ぶ。ＰＤＣＣＨは、上り送信に対する応答信号であるＡｃｋ（Acknowledgement）／Ｎａｃｋ（Negative Acknowledgement）を運ぶ。ＰＤＣＣＨは、Ｌ１／Ｌ２制御信号とも呼ばれる。
【００１９】
物理下り共有チャネル（Physical Downlink Shared Channel：ＰＤＳＣＨ）４０４は、基地局１０２から移動端末１０１への下り送信用のチャネルである。ＰＤＳＣＨには、トランスポートチャネルであるＤＬ−ＳＣＨ（下り共有チャネル）やトランスポートチャネルであるＰＣＨがマッピングされている。物理マルチキャストチャネル（Physical Multicast Channel：ＰＭＣＨ）４０５は、基地局１０２から移動端末１０１への下り送信用のチャネルである。ＰＭＣＨには、トランスポートチャネルであるマルチキャストチャネル（Multicast Channel：ＭＣＨ）がマッピングされている。
【００２０】
物理上り制御チャネル（Physical Uplink Control Channel：ＰＵＣＣＨ）４０６は、移動端末１０１から基地局１０２への上り送信用のチャネルである。ＰＵＣＣＨは、下り送信に対する応答信号（response signal）であるＡｃｋ／Ｎａｃｋを運ぶ。ＰＵＣＣＨは、ＣＱＩ（Channel Quality Indicator）レポートを運ぶ。ＣＱＩとは、受信したデータの品質、もしくは通信路品質を示す品質情報である。またＰＵＣＣＨは、スケジューリングリクエスト（Scheduling Request：ＳＲ）を運ぶ。物理上り共有チャネル（Physical Uplink Shared Channel：ＰＵＳＣＨ）４０７は、移動端末１０１から基地局１０２への上り送信用のチャネルである。ＰＵＳＣＨには、ＵＬ−ＳＣＨ（図５に示されるトランスポートチャネルの１つである上り共有チャネル）がマッピングされている。
【００２１】
物理ＨＡＲＱインジケータチャネル（Physical Hybrid ARQ Indicator Channel：ＰＨＩＣＨ）４０８は、基地局１０２から移動端末１０１への下り送信用のチャネルである。ＰＨＩＣＨは、上り送信に対する応答信号であるＡｃｋ／Ｎａｃｋを運ぶ。物理ランダムアクセスチャネル（Physical Random Access Channel：ＰＲＡＣＨ）４０９は、移動端末１０１から基地局１０２への上り送信用のチャネルである。ＰＲＡＣＨは、ランダムアクセスプリアンブル（random access preamble）を運ぶ。
【００２２】
下り参照信号（リファレンスシグナル（Reference signal））は、移動体通信システムとして既知のシンボルである。以下の５種類の下りリファレンスシグナルが定義されている。セル固有参照信号（Cell-specific Reference Signals：ＣＲＳ）、ＭＢＳＦＮ参照信号（MBSFN reference signals）、ＵＥ固有参照信号（UE-specific reference signals）であるデータ復調用参照信号（Demodulation Reference Signal：ＤＭ−ＲＳ）、位置決定参照信号（Positioning Reference Signals：ＰＲＳ）、チャネル情報参照信号（Channel-State Information Reference Signals：ＣＳＩ−ＲＳ）。移動端末の物理レイヤの測定として、リファレンスシグナルの受信電力（Reference Signal Received Power：ＲＳＲＰ）測定がある。
【００２３】
非特許文献１（５章）に記載されるトランスポートチャネル（Transport channel）について、図５を用いて説明する。図５は、ＬＴＥ方式の通信システムで使用されるトランスポートチャネルを説明する説明図である。図５（Ａ）には、下りトランスポートチャネルと下り物理チャネルとの間のマッピングを示す。図５（Ｂ）には、上りトランスポートチャネルと上り物理チャネルとの間のマッピングを示す。
【００２４】
下りトランスポートチャネルについて説明する。報知チャネル（Broadcast Channel：ＢＣＨ）は、その基地局（セル）のカバレッジ全体に報知される。ＢＣＨは、物理報知チャネル（ＰＢＣＨ）にマッピングされる。
【００２５】
下り共有チャネル（Downlink Shared Channel：ＤＬ−ＳＣＨ）には、ＨＡＲＱ（Hybrid ARQ）による再送制御が適用される。ＤＬ−ＳＣＨは、基地局（セル）のカバレッジ全体への報知が可能である。ＤＬ−ＳＣＨは、ダイナミックあるいは準静的（Semi-static）なリソース割り当てをサポートする。準静的なリソース割り当ては、パーシステントスケジューリング（Persistent Scheduling）とも言われる。ＤＬ−ＳＣＨは、移動端末の低消費電力化のために移動端末の間欠受信（Discontinuous reception：ＤＲＸ）をサポートする。ＤＬ−ＳＣＨは、物理下り共有チャネル（ＰＤＳＣＨ）へマッピングされる。
【００２６】
ページングチャネル（Paging Channel：ＰＣＨ）は、移動端末の低消費電力を可能とするために移動端末のＤＲＸをサポートする。ＰＣＨは、基地局（セル）のカバレッジ全体への報知が要求される。ＰＣＨは、動的にトラフィックに利用できる物理下り共有チャネル（ＰＤＳＣＨ）のような物理リソースへマッピングされる。
【００２７】
マルチキャストチャネル（Multicast Channel：ＭＣＨ）は、基地局（セル）のカバレッジ全体への報知に使用される。ＭＣＨは、マルチセル送信におけるＭＢＭＳサービス（ＭＴＣＨとＭＣＣＨ）のＳＦＮ合成をサポートする。ＭＣＨは、準静的なリソース割り当てをサポートする。ＭＣＨは、ＰＭＣＨへマッピングされる。
【００２８】
上り共有チャネル（Uplink Shared Channel：ＵＬ−ＳＣＨ）には、ＨＡＲＱ（Hybrid ARQ）による再送制御が適用される。ＵＬ−ＳＣＨは、ダイナミックあるいは準静的（Semi-static）なリソース割り当てをサポートする。ＵＬ−ＳＣＨは、物理上り共有チャネル（ＰＵＳＣＨ）へマッピングされる。
【００２９】
図５（Ｂ）に示されるランダムアクセスチャネル（Random Access Channel：ＲＡＣＨ）は、制御情報に限られている。ＲＡＣＨは、衝突のリスクがある。ＲＡＣＨは、物理ランダムアクセスチャネル（ＰＲＡＣＨ）へマッピングされる。
【００３０】
ＨＡＲＱについて説明する。ＨＡＲＱとは、自動再送要求（Automatic Repeat reQuest：ＡＲＱ）と誤り訂正（Forward Error Correction）との組合せにより、伝送路の通信品質を向上させる技術である。ＨＡＲＱには、通信品質が変化する伝送路に対しても、再送により誤り訂正が有効に機能するという利点がある。特に、再送にあたって初送の受信結果と再送の受信結果との合成をすることで、更なる品質向上を得ることも可能である。
【００３１】
再送の方法の一例を説明する。受信側にて、受信データが正しくデコードできなかった場合、換言すればＣＲＣ（Cyclic Redundancy Check）エラーが発生した場合（ＣＲＣ＝ＮＧ）、受信側から送信側へ「Ｎａｃｋ」を送信する。「Ｎａｃｋ」を受信した送信側は、データを再送する。受信側にて、受信データが正しくデコードできた場合、換言すればＣＲＣエラーが発生しない場合（ＣＲＣ＝ＯＫ）、受信側から送信側へ「Ａｃｋ」を送信する。「Ａｃｋ」を受信した送信側は次のデータを送信する。
【００３２】
ＨＡＲＱ方式の一例として、チェースコンバイニング（Chase Combining）がある。チェースコンバイニングとは、初送と再送とにおいて、同じデータを送信するものであり、再送において初送のデータと再送のデータとの合成を行うことで、利得を向上させる方式である。これは、初送データに誤りがあったとしても、部分的に正確なものも含まれており、正確な部分の初送データと再送データとを合成することで、より高精度にデータを送信できるという考え方に基づいている。また、ＨＡＲＱ方式の別の例として、ＩＲ（Incremental Redundancy）がある。ＩＲとは、冗長度を増加させるものであり、再送においてパリティビットを送信することで、初送と組合せて冗長度を増加させ、誤り訂正機能により品質を向上させるものである。
【００３３】
非特許文献１（６章）に記載される論理チャネル（ロジカルチャネル：Logical channel）について、図６を用いて説明する。図６は、ＬＴＥ方式の通信システムで使用される論理チャネルを説明する説明図である。図６（Ａ）には、下りロジカルチャネルと下りトランスポートチャネルとの間のマッピングを示す。図６（Ｂ）には、上りロジカルチャネルと上りトランスポートチャネルとの間のマッピングを示す。
【００３４】
報知制御チャネル（Broadcast Control Channel：ＢＣＣＨ）は、報知システム制御情報のための下りチャネルである。論理チャネルであるＢＣＣＨは、トランスポートチャネルである報知チャネル（ＢＣＨ）、あるいは下り共有チャネル（ＤＬ−ＳＣＨ）へマッピングされる。
【００３５】
ページング制御チャネル（Paging Control Channel：ＰＣＣＨ）は、ページング情報（Paging Information）およびシステム情報（System Information）の変更を送信するための下りチャネルである。ＰＣＣＨは、移動端末のセルロケーションをネットワークが知らない場合に用いられる。論理チャネルであるＰＣＣＨは、トランスポートチャネルであるページングチャネル（ＰＣＨ）へマッピングされる。
【００３６】
共有制御チャネル（Common Control Channel：ＣＣＣＨ）は、移動端末と基地局との間の送信制御情報のためのチャネルである。ＣＣＣＨは、移動端末がネットワークとの間でＲＲＣ接続（connection）を持っていない場合に用いられる。下り方向では、ＣＣＣＨは、トランスポートチャネルである下り共有チャネル（ＤＬ−ＳＣＨ）へマッピングされる。上り方向では、ＣＣＣＨは、トランスポートチャネルである上り共有チャネル（ＵＬ−ＳＣＨ）へマッピングされる。
【００３７】
マルチキャスト制御チャネル（Multicast Control Channel：ＭＣＣＨ）は、１対多の送信のための下りチャネルである。ＭＣＣＨは、ネットワークから移動端末への１つあるいはいくつかのＭＴＣＨ用のＭＢＭＳ制御情報の送信のために用いられる。ＭＣＣＨは、ＭＢＭＳ受信中の移動端末のみに用いられる。ＭＣＣＨは、トランスポートチャネルであるマルチキャストチャネル（ＭＣＨ）へマッピングされる。
【００３８】
個別制御チャネル（Dedicated Control Channel：ＤＣＣＨ）は、１対１にて、移動端末とネットワークとの間の個別制御情報を送信するチャネルである。ＤＣＣＨは、移動端末がＲＲＣ接続（connection）である場合に用いられる。ＤＣＣＨは、上りでは上り共有チャネル（ＵＬ−ＳＣＨ）へマッピングされ、下りでは下り共有チャネル（ＤＬ−ＳＣＨ）にマッピングされる。
【００３９】
個別トラフィックチャネル（Dedicated Traffic Channel：ＤＴＣＨ）は、ユーザ情報の送信のための個別移動端末への１対１通信のチャネルである。ＤＴＣＨは、上りおよび下りともに存在する。ＤＴＣＨは、上りでは上り共有チャネル（ＵＬ−ＳＣＨ）へマッピングされ、下りでは下り共有チャネル（ＤＬ−ＳＣＨ）へマッピングされる。
【００４０】
マルチキャストトラフィックチャネル（Multicast Traffic channel：ＭＴＣＨ）は、ネットワークから移動端末へのトラフィックデータ送信のための下りチャネルである。ＭＴＣＨは、ＭＢＭＳ受信中の移動端末のみに用いられるチャネルである。ＭＴＣＨは、マルチキャストチャネル（ＭＣＨ）へマッピングされる。
【００４１】
ＧＣＩとは、グローバルセル識別子（Global Cell Identity）のことである。ＬＴＥ、後述のＬＴＥ−Ａ（Long Term Evolution Advanced）およびＵＭＴＳ（Universal Mobile Telecommunication System）において、ＣＳＧセル（Closed Subscriber Group cell）が導入される。ＣＳＧセルについて以下に説明する（非特許文献３  ３．１章参照）。
【００４２】
ＣＳＧセル（Closed Subscriber Group cell）とは、利用可能な加入者をオペレータが特定しているセル（以下「特定加入者用セル」という場合がある）である。
【００４３】
特定された加入者は、ＰＬＭＮ（Public Land Mobile Network）の１つ以上のセルにアクセスすることが許可される。特定された加入者がアクセスを許可されている１つ以上のセルを「ＣＳＧセル（ＣＳＧ  ｃｅｌｌ（ｓ））」と呼ぶ。ただし、ＰＬＭＮにはアクセス制限がある。ＣＳＧセルは、固有のＣＳＧアイデンティティ（CSG identity：ＣＳＧ  ＩＤ；ＣＳＧ−ＩＤ）を報知し、ＣＳＧインジケーション（CSG Indication）にて「ＴＲＵＥ」を報知するＰＬＭＮの一部である。予め利用登録し、許可された加入者グループのメンバーは、アクセス許可情報であるところのＣＳＧ−ＩＤを用いてＣＳＧセルにアクセスする。
【００４４】
ＣＳＧ−ＩＤは、ＣＳＧセルまたはセルによって報知される。移動体通信システムにＣＳＧ−ＩＤは複数存在する。そして、ＣＳＧ−ＩＤは、ＣＳＧ関連のメンバーのアクセスを容易にするために、移動端末（ＵＥ）によって使用される。
【００４５】
移動端末の位置追跡は、１つ以上のセルからなる区域を単位に行われる。位置追跡は、待受け状態であっても移動端末の位置を追跡し、移動端末を呼び出す、換言すれば移動端末が着呼することを可能にするために行われる。この移動端末の位置追跡のための区域をトラッキングエリアと呼ぶ。
【００４６】
ＣＳＧホワイトリスト（CSG White List）とは、加入者が属するＣＳＧセルのすべてのＣＳＧ  ＩＤが記録されている、ＵＳＩＭ（Universal Subscriber Identity Module）に格納されることもあるリストである。ＣＳＧホワイトリストは、単にホワイトリスト、あるいは許可ＣＳＧリスト（Allowed CSG List）と呼ばれることもある。ＣＳＧセルを通しての移動端末のアクセスは、ＭＭＥがアクセスコントロール（access control）を実行する（非特許文献９  ４．３．１．２章参照）。移動端末のアクセスの具体例としては、アタッチ（attach）、コンバインドアタッチ（combined attach）、デタッチ（detach）、サービスリクエスト（service request）、トラッキングエリアアップデートプロシジャー（Tracking Area Update procedure）などがある（非特許文献９  ４．３．１．２章参照）。
【００４７】
待受け状態の移動端末のサービスタイプについて以下に説明する（非特許文献３  ４．３章参照）。待受け状態の移動端末のサービスタイプとしては、制限されたサービス（Limited service、限られたサービスとも称される）、標準サービス（Normal service）、オペレータサービス（Operator service）がある。制限されたサービスとは、後述のアクセプタブルセル上の緊急呼（Emergency calls）、ＥＴＷＳ（Earthquake and Tsunami Warning System）、ＣＭＡＳ（Commercial Mobile Alert System）である。標準サービス（通常サービス、ノーマルサービスとも称される）とは、後述の適切なセル上の公共のサービスである。オペレータサービスとは、後述のリザーブセル上のオペレータのためのみのサービスである。
【００４８】
「適切なセル（Suitable cell）」について以下に説明する。「適切なセル（Suitable cell）」とは、ＵＥが通常（normal）サービスを受けるためにキャンプオン（Camp ON）するかもしれないセルである。そのようなセルは、以下の（１），（２）の条件を満たすものとする。
【００４９】
（１）セルは、選択されたＰＬＭＮもしくは登録されたＰＬＭＮ、または「Ｅｑｕｉｖａｌｅｎｔ  ＰＬＭＮリスト」のＰＬＭＮの一部であること。
【００５０】
（２）ＮＡＳ（Non-Access Stratum）によって提供された最新情報にて、さらに以下の（ａ）〜（ｄ）の条件を満たすこと。
【００５１】
（ａ）そのセルが禁じられた（barred）セルでないこと。
【００５２】
（ｂ）そのセルが「ローミングのための禁止されたＬＡｓ」リストの一部でないトラッキングエリア（Tracking Area：ＴＡ）の一部であること。その場合、そのセルは前記（１）を満たす必要がある。
【００５３】
（ｃ）そのセルが、セル選択評価基準を満たしていること。
【００５４】
（ｄ）そのセルが、ＣＳＧセルとしてシステム情報（System Information：ＳＩ）によって特定されたセルに関しては、ＣＳＧ−ＩＤはＵＥの「ＣＳＧホワイトリスト」（CSG WhiteList）の一部であること（ＵＥのCSG WhiteList中に含まれること）。
【００５５】
「アクセプタブルセル（Acceptable cell）」について以下に説明する。「アクセプタブルセル（Acceptable cell）」とは、ＵＥが制限されたサービスを受けるためにキャンプオンするかもしれないセルである。そのようなセルは、以下の（１），（２）のすべての要件を充足するものとする。
【００５６】
（１）そのセルが禁じられたセル（「バードセル（Barred cell）」とも称される）でないこと。（２）そのセルが、セル選択評価基準を満たしていること。
【００５７】
「バードセル（Barred cell）」とは、システム情報で指示がある。「リザーブセル（Reserved cell）」とは、システム情報で指示がある。
【００５８】
「セルにキャンプオン（camp on）する」とは、ＵＥがセル選択（cell selection）またはセル再選択（cell reselection）の処理を完了し、ＵＥがシステム情報とページング情報とをモニタするセルを選択した状態である。ＵＥがキャンプオンするセルを「サービングセル（Serving cell）」と称することがある。
【００５９】
３ＧＰＰにおいて、Ｈｏｍｅ−ＮｏｄｅＢ（Ｈｏｍｅ−ＮＢ；ＨＮＢ）、Ｈｏｍｅ−ｅＮｏｄｅＢ（Ｈｏｍｅ−ｅＮＢ；ＨｅＮＢ）と称される基地局が検討されている。ＵＴＲＡＮにおけるＨＮＢ、またはＥ-ＵＴＲＡＮにおけるＨｅＮＢは、例えば家庭、法人、商業用のアクセスサービス向けの基地局である。非特許文献４には、ＨｅＮＢおよびＨＮＢへのアクセスの３つの異なるモードが開示されている。具体的には、オープンアクセスモード（Open access mode）と、クローズドアクセスモード（Closed access mode）と、ハイブリッドアクセスモード（Hybrid access mode）である。
【００６０】
各々のモードは、以下のような特徴を有する。オープンアクセスモードでは、ＨｅＮＢやＨＮＢは通常のオペレータのノーマルセルとして操作される。クローズドアクセスモードでは、ＨｅＮＢやＨＮＢがＣＳＧセルとして操作される。これはＣＳＧメンバーのみアクセス可能なＣＳＧセルである。ハイブリッドアクセスモードでは、非ＣＳＧメンバーも同時にアクセス許可されているＣＳＧセルとして操作される。ハイブリッドアクセスモードのセル（ハイブリッドセルとも称する）は、言い換えれば、オープンアクセスモードとクローズドアクセスモードの両方をサポートするセルである。
【００６１】
３ＧＰＰでは、全ＰＣＩ（Physical Cell Identity）のうち、ＣＳＧセルによって使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリット情報は、システム情報にて基地局から傘下の移動端末に対して報知される。基地局の傘下とは、該基地局をサービングセルとすることを意味する。非特許文献５は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【００６２】
また３ＧＰＰでは、リリース１０として、ロングタームエボリューションアドヴァンスド（Long Term Evolution Advanced：ＬＴＥ−Ａ）の規格策定が進められている（非特許文献６、非特許文献７参照）。
【００６３】
ＬＴＥ−Ａシステムでは、高い通信速度、セルエッジでの高いスループット、新たなカバレッジエリアなどを得るために、リレー（Relay）およびリレーノード（ＲＮ）をサポートすることが検討されている。リレーノードは、ドナーセル（Donor cell；Donor eNB；ＤｅＮＢ）を介して無線アクセスネットワークに無線で接続される。ドナーセルの範囲内で、ネットワーク（Network：ＮＷ）からリレーノードへのリンクは、ネットワークからＵＥへのリンクと同じ周波数帯域（以下「周波数バンド」という場合がある）を共用する。この場合、リリース８のＵＥも該ドナーセルに接続することを可能とする。ドナーセルとリレーノードとの間のリンクをバックホールリンク（backhaul link）と称し、リレーノードとＵＥとの間のリンクをアクセスリンク（access link）と称する。
【００６４】
ＦＤＤ（Frequency Division Duplex）におけるバックホールリンクの多重方法として、ＤｅＮＢからＲＮへの送信は下り（ＤＬ）周波数バンドで行われ、ＲＮからＤｅＮＢへの送信は上り（ＵＬ）周波数バンドで行われる。リレーにおけるリソースの分割方法として、ＤｅＮＢからＲＮへのリンクおよびＲＮからＵＥへのリンクが一つの周波数バンドで時分割多重され、ＲＮからＤｅＮＢへのリンクおよびＵＥからＲＮへのリンクも一つの周波数バンドで時分割多重される。こうすることで、リレーにおいて、リレーの送信が自リレーの受信へ干渉することを防ぐことができる。
【００６５】
３ＧＰＰでは、通常のｅＮＢ（マクロセル）だけでなく、ピコｅＮＢ（ピコセル（pico cell））、ＨｅＮＢ（ＨＮＢ、ＣＳＧセル）、ホットゾーンセル用のノード、リレーノード、リモートラジオヘッド（Remote Radio Head：ＲＲＨ）、リピータなどのいわゆるローカルノードが検討されている。前述のような各種タイプのセルからなるネットワークは、異機種ネットワーク（heterogeneous network、ヘットネット）と称されることもある。
【００６６】
ＬＴＥでは、通信に使用可能な周波数バンド（以下「オペレーティングバンド」という場合がある）が予め決められている。非特許文献８には、該周波数バンドが記載されている。ＦＤＤ（Frequency Division Duplex）による通信においては、下りリンクの周波数バンド（以下「下り周波数バンド」という場合がある）と、それと対をなす上りリンクの周波数バンド（以下「上り周波数バンド」という場合がある）とが予め決められており、上り周波数バンドは下り周波数バンドと異なっている。これは、従来の音声のような通信においては必ず下りリンクと上りリンクとが必要であり、ＦＤＤにおいては下りと上りとで周波数を分割することによって、送信と受信とを同時に行えるようにしているためである。
【００６７】
ＦＤＤにおいて、下りリンクに用いるリソースのキャリア周波数（以下「下りキャリア周波数」という場合がある）と、上りリンクに用いるリソースのキャリア周波数（以下「上りキャリア周波数」という場合がある）との間隔（TX-RX frequency separation：ＴＸ−ＲＸ周波数間隔）のデフォルト値が、周波数バンド毎に決められている。非特許文献８には、該ＴＸ−ＲＸ周波数間隔のデフォルト値が記載されている。
【００６８】
ＬＴＥにおいて、セルは、自セルが運用している周波数バンド情報と上りキャリア周波数とを報知情報として、傘下のＵＥに対して報知する。具体的には、周波数バンド情報は、ＳＩＢ１に含まれる。上りキャリア周波数は、ＳＩＢ２に含まれる。上りキャリア周波数がＳＩＢ２に含まれない場合、上りキャリア周波数は、ＴＸ−ＲＸ周波数間隔のデフォルト値を用いて下りキャリア周波数から導出される。ＵＥは、セル選択あるいは再選択をすることによって、下りキャリア周波数を認識し、セルからの報知情報を受信することによって、セルが運用している周波数バンドと上りキャリア周波数とを得ることが可能となる。
【００６９】
非特許文献１に開示されているとおり、３ＧＰＰでは、リリース１０として「ロングタームエボリューション  アドヴァンスド」（Long Term Evolution Advanced：ＬＴＥ−Ａ）の規格策定が進められている。
【００７０】
ＬＴＥ−Ａシステムでは、１００ＭＨｚまでのより広い周波数帯域幅（transmission bandwidths）をサポートするために、二つ以上のコンポーネントキャリア（Component Carrier：ＣＣ）を集約（アグリゲーション（aggregation））する、キャリアアグリゲーション（Carrier Aggregation：ＣＡ）が検討されている。
【００７１】
ＬＴＥ対応であるリリース８または９対応のＵＥが、一つのサービングセルに相当するＣＣ上のみで送受信可能であるのに対して、リリース１０対応のＵＥは、同時に複数のサービングセルに相当するＣＣ上で送受信、あるいは受信のみ、あるいは送信のみをするための能力（ケーパビリティ、capability）を持つことが考えられている。
【００７２】
各ＣＣは、リリース８または９の構成を用いており、ＣＡは、連続ＣＣ、非連続ＣＣ、異なる周波数帯域幅のＣＣをサポートする。ＵＥが下りリンクのＣＣ（ＤＬ  ＣＣ）数以上の上りリンクのＣＣ（ＵＬ  ＣＣ）数を構成することは不可能である。同一ｅＮＢから構成されるＣＣは、同じカバレッジを提供する必要は無い。ＣＣは、リリース８または９と互換性を有する。
【００７３】
ＣＡにおいて、上りリンク、下りリンクともに、サービングセル毎に一つの独立したＨＡＲＱエンティティがある。トランスポートブロックは、サービングセル毎にＴＴＩ毎に生成される。各トランスポートブロックとＨＡＲＱ再送とは、シングルサービングセルにマッピングされる。
【００７４】
ＣＡが構成される場合、ＵＥはＮＷと唯一つのＲＲＣ接続（RRC connection）を有する。ＲＲＣ接続において、一つのサービングセルがＮＡＳモビリティ情報とセキュリティ入力を与える。このセルをプライマリセル（Primary Cell：ＰＣｅｌｌ）と呼ぶ。下りリンクで、ＰＣｅｌｌに対応するキャリアは、下りプライマリコンポーネントキャリア（Downlink Primary Component Carrier：ＤＬ  ＰＣＣ）である。上りリンクで、ＰＣｅｌｌに対応するキャリアは、上りプライマリコンポーネントキャリア（Uplink Primary Component Carrier：ＵＬ  ＰＣＣ）である。
【００７５】
ＵＥケーパビリティに応じて、セカンダリセル（Secondary Cell：ＳＣｅｌｌ）が、ＰＣｅｌｌとサービングセルとの組を形成するために構成される。下りリンクで、ＳＣｅｌｌに対応するキャリアは、下りセカンダリコンポーネントキャリア（Downlink Secondary Component Carrier：ＤＬ  ＳＣＣ）である。上りリンクで、ＳＣｅｌｌに対応するキャリアは、上りセカンダリコンポーネントキャリア（Uplink Secondary Component Carrier：ＵＬ  ＳＣＣ）である。
【００７６】
一つのＵＥに対して、一つのＰＣｅｌｌと、一つ以上のＳＣｅｌｌからなるサービングセルとの組が構成される。
【００７７】
各ＳＣｅｌｌにおいて、下りリンク（ＤＬ）用リソースに加えて、ＵＥによる上りリンク（ＵＬ）用リソースの利用が可能である。ＤＬ  ＳＣＣの数は、ＵＬ  ＳＣＣの数以上となる。ＵＬ用リソースのみに使用されるＳＣｅｌｌは無い。一つのＵＥにとって、各ＵＬ用リソースは、一つのサービングセルのみに属する。サービングセルの数は、ＵＥのケーパビリティによる。
【００７８】
ＰＣｅｌｌは、ＨＯプロシージャのみで変更される。ＰＣｅｌｌは、ＰＵＣＣＨの送信に用いられる。なお、ＵＬ−ＳＣＨの無いＤＬ−ＳＣＨのＨＡＲＱのためのＰＵＣＣＨは、ＵＬ  ＰＣＣのみで送信される。ＰＣｅｌｌは、ＳＣｅｌｌｓとは異なり、デアクティベート（de-activate）されない。
【００７９】
ＰＣｅｌｌがＲＬＦ（Radio link failure）となったとき、リエスタブリッシュメント（Re-establishment）がトリガされる。ＳＣｅｌｌｓではトリガされない。ＮＡＳ情報は、ＰＣｅｌｌから得られる。
【００８０】
ＳＣｅｌｌｓの再構成（reconfiguration）、追加（addition）、削除（removal）は、ＲＲＣによってなされる。ＬＴＥ内のハンドオーバでもまた、ＲＲＣは、ターゲットＰＣｅｌｌとともに使用されるＳＣｅｌｌｓを追加（addition）、削除（removal）、再構成（reconfiguration）する。
【００８１】
ＳＣｅｌｌ追加の際、そのＳＣｅｌｌの必要な全システム情報（ＳＩ）を送信するため、個別ＲＲＣシグナリング（dedicated RRC signaling）が用いられる。すなわち、コネクテッドモードで行われ、ＵＥは、ＳＣｅｌｌから報知されるＳＩを受信する必要は無い。
【００８２】
ＳＣｅｌｌの追加（addition）、更新（modification）は、個別ＲＲＣシグナリングの「RRC Connection Reconfiguration message」を用いて、ＰＣｅｌｌが移動端末へ通知することが検討されている（非特許文献２参照）。ＳＣｅｌｌの削除（release）は、個別ＲＲＣシグナリングの「RRC Connection Reconfiguration message」を用いて、ＰＣｅｌｌが移動端末へ通知する、あるいは「RRC Connection re-establishment」によりトリガされることが検討されている（非特許文献２参照）。個別ＲＲＣシグナリングの「RRC Connection Reconfiguration message」の中には、「SCell To AddModList」、「SCell To ReleaseList」が含まれる。
【００８３】
また、各セルにおいて、ＳＩＢ２は上りリンク用リソースのキャリア周波数を示す。
【００８４】
ローカルノードは、高速かつ大容量の通信などの種々のサービスの要求に応じて、マクロセルを補完するために配置される。したがって、ローカルノードが、マクロセルのカバレッジ内に設置される場合も生じる。この場合、移動端末からローカルノードに対して干渉が生じることがある。
【００８５】
３ＧＰＰにおいて、さらに進んだ新たな無線区間の通信方式として、前述のＬＴＥアドヴァンスド（LTE Advanced：ＬＴＥ−Ａ）が検討されている（非特許文献６および非特許文献７参照）。ＬＴＥ−Ａは、ＬＴＥの無線区間通信方式を基本とし、それにいくつかの新技術を加えて構成される。新技術としては、より広い帯域をサポートする技術（Wider bandwidth extension）、および多地点協調送受信（Coordinated Multiple Point transmission and reception：ＣｏＭＰ）技術などがある。３ＧＰＰでＬＴＥ−Ａのために検討されているＣｏＭＰについては、非特許文献６および非特許文献７に記載されている。
【００８６】
ＣｏＭＰとは、地理的に分離された多地点間で協調した送信あるいは受信を行うことによって、高いデータレートのカバレッジの拡大、セルエッジでのスループットの向上、および通信システムにおけるスループットの増大を図る技術である。ＣｏＭＰには、下りＣｏＭＰ（ＤＬ  ＣｏＭＰ）と、上りＣｏＭＰ（ＵＬ  ＣｏＭＰ）とがある。
【００８７】
ＤＬ  ＣｏＭＰでは、一つの移動端末（ＵＥ）へのＰＤＳＣＨを多地点（マルチポイント）間で協調して送信する。一つのＵＥへのＰＤＳＣＨを、マルチポイントの一つのポイントから送信してもよいし、マルチポイントの複数のポイントから送信してもよい。ＤＬ  ＣｏＭＰにおいて、サービングセルとは、ＰＤＣＣＨによってリソース割当を送信する単独のセルである。
【００８８】
ＤＬ  ＣｏＭＰの方法として、結合処理（Joint Processing：ＪＰ）と、協調スケジューリング（Coordinated Scheduling：ＣＳ）／協調ビームフォーミング（Coordinated Beamforming：ＣＢ）とが検討されている。
【００８９】
ＪＰは、ＣｏＭＰコオペレーティングセット（CoMP cooperating set）中のそれぞれのポイントでデータが利用可能である。ＪＰには、結合送信（Joint Transmission：ＪＴ）と、動的セル選択（Dynamic Cell Selection：ＤＣＳ）とがある。ＪＴでは、ある時点で複数のポイント、具体的にはＣｏＭＰコオペレーティングセット（CoMP cooperating set）の一部あるいは全部から、ＰＤＳＣＨの送信が行われる。ＤＣＳでは、ある時点でＣｏＭＰコオペレーティングセット内の１つのポイントから、ＰＤＳＣＨの送信が行われる。
【００９０】
ＣＳ／ＣＢでは、サービングセルからのデータ送信でのみ利用可能であるが、ＣｏＭＰコオペレーティングセットに対応するセル間での調整と併せて、ユーザスケジューリングまたはビームフォーミングの決定がなされる。
【００９１】
ＣｏＭＰセット（CoMP sets）は、ＣｏＭＰコオペレーティングセット（CoMP cooperating set）あるいはＣｏＭＰメジャメントセット（CoMP measurement set）の総称である。
【００９２】
ＣｏＭＰコオペレーティングセットは、ＵＥへのＰＤＳＣＨの送信に、直接あるいは間接的に関わっているポイントの集合（set）である。
【００９３】
ＣｏＭＰ送信ポイント（CoMP transmission point(s)）は、ＵＥに対してＰＤＳＣＨをアクティブに送信するポイント、あるいはポイントの集合（set）であり、ＣｏＭＰコオペレーティングセットの部分集合（subset）である。
【００９４】
ＪＴにおいて、ＣｏＭＰ送信ポイントは、ＣｏＭＰコオペレーティングセット内にあるポイントである。
【００９５】
ＤＣＳにおいて、全てのサブフレーム（subframe）で、一つのポイントが送信ポイント（transmission point）となる。送信ポイントは、ＣｏＭＰコオペレーティングセット内で動的に変更可能である。
【００９６】
ＣＳ／ＣＢにおいて、ＣｏＭＰ送信ポイントは、サービングセルに対応する。
【００９７】
ＣｏＭＰメジャメントセットは、ＵＥへのリンクに関連する経路状態（channel state）および統計（statistical）情報が報告されるセルの集合である。ＣｏＭＰメジャメントセットとＣｏＭＰコオペレーティングセットとは、同じであってもよい。
【００９８】
マルチポイントで送信するユニット（セル）として、基地局（NB、eNB、HNB、HeNB）、ＲＲＵ（Remote Radio Unit）、ＲＲＥ（Remote Radio Equipment）、リレーノード（Relay Node）などが検討されている。多地点協調送信を行うユニット（セル）を、マルチポイントユニット（マルチポイントセル）と称する。
【００９９】
ＵＬ  ＣｏＭＰでは、一つの移動端末（ＵＥ）からの上りデータを多地点（マルチポイント）間で協調して受信する。マルチポイントで受信したデータを合成することによって、ＵＥからの上り受信品質の向上を図ることができる。ＵＬ  ＣｏＭＰにおける受信では、複数の受信ポイントによる送信された信号の結合受信（Joint Reception：ＪＲ）、および干渉制御のためのセル間のＣＳ（Coordinated Scheduling）の決定を伴うことが検討されている。
【０１００】
ＤＬ  ＣｏＭＰのためのスケジューリングの方法が３ＧＰＰで検討されている。マルチポイント間で協調（cooperation）するためのスケジューリングの方法として、分散型（distributed）のスケジューリングと、集中型（centralized）のスケジューリングとが提案されている。
【０１０１】
分散型のスケジューリング（以下「分散型スケジューリング」という場合がある）では、各マルチポイントユニットが、自マルチポイントユニットの傘下のＣｏＭＰ対象ではないＵＥと、他マルチポイントユニットの傘下のＣｏＭＰ対象のＵＥとをあわせてスケジューリングを行う。
【０１０２】
集中型のスケジューリング（以下「集中型スケジューリング」という場合がある）では、集中ノードが設けられ、集中ノードが、ＣｏＭＰを行う全てのマルチポイントユニットの傘下の全てのＵＥのスケジューリングを行う。
【先行技術文献】
【非特許文献】
【０１０３】
【非特許文献１】３ＧＰＰ  ＴＳ３６．３００  Ｖ１０．２．０
【非特許文献２】３ＧＰＰ  ＴＳ３６．３３１  Ｖ１０．０．０
【非特許文献３】３ＧＰＰ  ＴＳ３６．３０４  Ｖ１０．０．０  ３．１章、４．３章、５．２．４章
【非特許文献４】３ＧＰＰ  Ｓ１−０８３４６１
【非特許文献５】３ＧＰＰ  Ｒ２−０８２８９９
【非特許文献６】３ＧＰＰ  ＴＲ  ３６．８１４  Ｖ９．０．０
【非特許文献７】３ＧＰＰ  ＴＲ  ３６．９１２  Ｖ９．３．０
【非特許文献８】３ＧＰＰ  ＴＳ  ３６．１０１  Ｖ１０．０．０
【非特許文献９】３ＧＰＰ  ＴＲ  ２３．８３０  Ｖ９．０．０
【発明の概要】
【発明が解決しようとする課題】
【０１０４】
従来の分散型スケジューリングでは、各セルがＣｏＭＰを行う他のセルと協調しながらスケジューリングを行う。しかし、この方法では、収束するまでセル間で情報の交換を繰返すので、遅延が大きくなってしまうという問題がある。したがって、たとえＣｏＭＰを行ったとしても、高いデータレートを得られなくなり、セルエッジでのスループット、およびシステムとしてのスループットの増大を図ることができなくなってしまうという問題が生じる。
【０１０５】
本開示の目的は、複数の基地局装置で協働して端末装置と通信するためのスケジューリングにおいて、複数の基地局装置間における遅延の影響を可及的に抑えることができる移動体通信システム等を提供することである。
【課題を解決するための手段】
【０１０６】
本開示の移動体通信システムは、移動端末、第１基地局および第２基地局を含む移動体通信システムであって、前記第１基地局および第２基地局から基地局ごとの参照信号を送信し、前記移動端末は前記第１基地局および第２基地局の少なくとも一方からの前記参照信号を受信する際に受信電力の測定を行い、前記移動端末から前記第１基地局に測定結果を報告し、前記第１基地局から前記第２基地局に前記測定結果を通知し、前記測定結果に基づいて、前記第１基地局および前記第２基地局は協働して前記移動端末との間で通信を行うことを特徴とする。
本開示の移動端末は、第１基地局および第２基地局との間で通信を行う移動端末であって、前記第１基地局および第２基地局から送信された基地局ごとの参照信号を受信し、前記第１基地局および第２基地局の少なくとも一方からの前記参照信号を受信する際に受信電力の測定を行い、前記第１基地局に測定結果を報告し、前記測定結果に基づいて、前記第１基地局および前記第１基地局から前記測定結果が通知され前記第１基地局と協働する前記第２基地局との間で通信を行うことを特徴とする。
本開示の基地局は、他の基地局と協働して、移動端末との間で通信を行う基地局であって、前記移動端末に基地局ごとの参照信号を送信し、前記基地局および前記他の基地局の少なくとも一方からの前記参照信号を受信する際に前記移動端末において行われた受信電力の測定結果であり、前記移動端末から報告された前記測定結果を受信し、前記他の基地局に前記測定結果を通知し、前記測定結果に基づいて、前記他の基地局と協働して前記移動端末との間で通信を行うことを特徴とする。
本開示の基地局は、他の基地局と協働して、移動端末との間で通信を行う基地局であって、前記基地局および前記他の基地局の少なくとも一方から前記移動端末に送信された基地局ごとの参照信号を、前記移動端末において受信する際に受信電力の測定を行い、その際に得られた測定結果を前記他の基地局を経由して受信し、前記測定結果に基づいて、前記他の基地局と協働して前記移動端末との間で通信を行うことを特徴とする。
【発明の効果】
【０１０７】
本開示によれば、複数の基地局装置で協働して端末装置と通信するためのスケジューリングにおいて、複数の基地局装置間における遅延の影響を可及的に抑えることができる。
【０１０８】
本開示の目的、特徴、局面、および利点は、以下の詳細な説明と添付図面とによって、より明白となる。
【図面の簡単な説明】
【０１０９】
【図１】ＬＴＥ方式の通信システムの構成を示す説明図である。
【図２】ＬＴＥ方式の通信システムで使用される無線フレームの構成を示す説明図である。
【図３】ＭＢＳＦＮフレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】現在３ＧＰＰにおいて議論されているＬＴＥ方式の移動体通信システムの全体的な構成を示すブロック図である。
【図８】移動端末の構成を示すブロック図である。
【図９】基地局の構成を示すブロック図である。
【図１０】ＭＭＥの構成を示すブロック図である。
【図１１】ＨｅＮＢＧＷの構成を示すブロック図である。
【図１２】ＬＴＥ方式の通信システムにおいて移動端末（ＵＥ）が行うセルサーチから待ち受け動作までの概略を示すフローチャートである。
【図１３】ＪＴの概念を示す図である。
【図１４】ＤＣＳの概念を示す図である。
【図１５】ＣＳ／ＣＢの概念を示す図である。
【図１６】分散型スケジューリングの概念を示す図である。
【図１７】集中型スケジューリングの概念を示す図である。
【図１８】非反復ＣｏＭＰスケジューリングのシーケンスの一例を示す図である。
【図１９】非反復ＣｏＭＰスケジューリングにおける各セルの動作の一例を示すタイミングチャートである。
【図２０】セル間インタフェースの遅延量が大きい場合の各セルの動作の一例を示すタイミングチャートである。
【図２１】他セルから通知されたスケジューリングのための情報を無視する方法を用いてＣｏＭＰを行う場合の各セルの動作の一例を示すタイミングチャートである。
【図２２】実施の形態１におけるＣｏＭＰを行うときのシーケンスの一例を示す図である。
【図２３】一つのセルの処理遅延が大きい場合に、実施の形態１における夜ＣｏＭＰを行うときの各セルの動作の一例を示すタイミングチャートである。
【図２４】一つのセルの処理遅延が大きい場合に、実施の形態１におけるＣｏＭＰを行うときのシーケンスの一例を示す図である。
【図２５】所定のタイミングをタイマとして設定した場合に、実施の形態１におけるＣｏＭＰを行うときの各セルの動作の一例を示すタイミングチャートである。
【図２６】所定のタイミングをタイマとして設定した場合に、実施の形態１におけるＣｏＭＰを行うときの各セルの処理手順の一例を示すフローチャートである。
【図２７】実施の形態１の変形例１におけるＣｏＭＰを行うときの各セルの動作の一例を示すタイミングチャートである。
【図２８】実施の形態１の変形例２におけるＣｏＭＰを行うときの各セルの動作の一例を示すタイミングチャートである。
【図２９】実施の形態２におけるＣｏＭＰを行うときの各セルの処理手順の一例を示すフローチャートである。
【図３０】実施の形態２の変形例１におけるＣｏＭＰを行うときの各セルの処理手順の一例を示すフローチャートである。
【図３１】実施の形態２の変形例２におけるＣｏＭＰを行うときの各セルの処理手順の一例を示すフローチャートである。
【図３２】実施の形態３におけるＣｏＭＰ機能をオンおよびオフにするときのシーケンスの一例を示す図である。
【図３３】ＣｏＭＰ機能をオンにするための情報として、周辺セルからの情報あるいはスケジューリングのための情報を無視するか否かの情報を用いた場合におけるＣｏＭＰ機能をオンおよびオフにするときのシーケンスの一例を示す図である。
【図３４】ＣｏＭＰ機能をオンにするための情報として、周辺セルからの情報あるいはスケジューリングのための情報を無視するか否かの情報を用いた場合におけるＣｏＭＰ機能をオンおよびオフにするときのシーケンスの一例を示す図である。
【図３５】各セルがＣｏＭＰ機能をオンにするか否かを判断するときのシーケンスの一例を示す図である。
【図３６】各セルがＣｏＭＰ機能をオンにするか否かを判断するときのシーケンスの一例を示す図である。
【図３７】実施の形態４におけるＣｏＭＰを行うときのスケジューリングのシーケンスの一例を示す図である。
【発明を実施するための形態】
【０１１０】
実施の形態１．
図７は、現在３ＧＰＰにおいて議論されているＬＴＥ方式の移動体通信システムの全体的な構成を示すブロック図である。現在３ＧＰＰにおいては、ＣＳＧ（Closed Subscriber Group）セル（Ｅ−ＵＴＲＡＮのＨｏｍｅ−ｅＮｏｄｅＢ（Ｈｏｍｅ−ｅＮＢ；ＨｅＮＢ）、ＵＴＲＡＮのＨｏｍｅ−ＮＢ（ＨＮＢ））と、ｎｏｎ−ＣＳＧセル（Ｅ−ＵＴＲＡＮのｅＮｏｄｅＢ（ｅＮＢ）、ＵＴＲＡＮのＮｏｄｅＢ（ＮＢ）、ＧＥＲＡＮのＢＳＳ）とを含めたシステムの全体的な構成が検討されており、Ｅ−ＵＴＲＡＮについては、図７のような構成が提案されている（非特許文献１  ４．６．１章参照）。
【０１１１】
図７について説明する。移動端末装置（以下「移動端末」または「ＵＥ」という）７１は、基地局装置（以下「基地局」という）７２と無線通信可能であり、無線通信で信号の送受信を行う。移動端末装置は、通信端末装置に相当する。基地局７２は、マクロセルであるｅＮＢ７２−１と、ローカルノードであるＨｏｍｅ−ｅＮＢ７２−２とに分類される。ｅＮＢ７２−１は、移動端末（ＵＥ）７１と通信可能な範囲であるカバレッジとして、比較的大きい大規模カバレッジを有する。Ｈｏｍｅ−ｅＮＢ７２−２は、カバレッジとして、比較的小さい小規模カバレッジを有する。
【０１１２】
ｅＮＢ７２−１は、ＭＭＥ、あるいはＳ−ＧＷ、あるいはＭＭＥおよびＳ−ＧＷを含むＭＭＥ／Ｓ−ＧＷ部（以下「ＭＭＥ部」という場合がある）７３とＳ１インタフェースにより接続され、ｅＮＢ７２−１とＭＭＥ部７３との間で制御情報が通信される。一つのｅＮＢ７２−１に対して、複数のＭＭＥ部７３が接続されてもよい。ｅＮＢ７２−１間は、Ｘ２インタフェースにより接続され、ｅＮＢ７２−１間で制御情報が通信される。
【０１１３】
Ｈｏｍｅ−ｅＮＢ７２−２は、ＭＭＥ部７３とＳ１インタフェースにより接続され、Ｈｏｍｅ−ｅＮＢ７２−２とＭＭＥ部７３との間で制御情報が通信される。一つのＭＭＥ部７３に対して、複数のＨｏｍｅ−ｅＮＢ７２−２が接続される。あるいは、Ｈｏｍｅ−ｅＮＢ７２−２は、ＨｅＮＢＧＷ（Home-eNB GateWay）７４を介してＭＭＥ部７３と接続される。Ｈｏｍｅ−ｅＮＢ７２−２とＨｅＮＢＧＷ７４とは、Ｓ１インタフェースにより接続され、ＨｅＮＢＧＷ７４とＭＭＥ部７３とはＳ１インタフェースを介して接続される。一つまたは複数のＨｏｍｅ−ｅＮＢ７２−２が一つのＨｅＮＢＧＷ７４と接続され、Ｓ１インタフェースを通して情報が通信される。ＨｅＮＢＧＷ７４は、一つまたは複数のＭＭＥ部７３と接続され、Ｓ１インタフェースを通して情報が通信される。ＭＭＥ部７３およびＨｅＮＢＧＷ７４は、上位ノード装置であり、基地局であるｅＮＢ７２−１およびＨｏｍｅ−ｅＮＢ７２−２と、移動端末（ＵＥ）７１との接続を制御する。
【０１１４】
さらに現在３ＧＰＰでは、以下のような構成が検討されている。Ｈｏｍｅ−ｅＮＢ７２−２間のＸ２インタフェースはサポートされる。すなわち、Ｈｏｍｅ−ｅＮＢ７２−２間は、Ｘ２インタフェースにより接続され、Ｈｏｍｅ−ｅＮＢ７２−２間で制御情報が通信される。ＭＭＥ部７３からは、ＨｅＮＢＧＷ７４はＨｏｍｅ−ｅＮＢ７２−２として見える。Ｈｏｍｅ−ｅＮＢ７２−２からは、ＨｅＮＢＧＷ７４はＭＭＥ部７３として見える。Ｈｏｍｅ−ｅＮＢ７２−２が、ＨｅＮＢＧＷ７４を介してＭＭＥ部７３に接続される場合および直接ＭＭＥ部７３に接続される場合のいずれの場合も、Ｈｏｍｅ−ｅＮＢ７２−２とＭＭＥ部７３との間のインタフェースは、Ｓ１インタフェースで同じである。ＨｅＮＢＧＷ７４は、複数のＭＭＥ部７３にまたがるような、Ｈｏｍｅ−ｅＮＢ７２−２へのモビリティ、あるいはＨｏｍｅ−ｅＮＢ７２−２からのモビリティはサポートしない。Ｈｏｍｅ−ｅＮＢ７２−２は、唯一のセルをサポートする。
【０１１５】
図８は、移動端末（図７の移動端末７１）の構成を示すブロック図である。図８に示す移動端末７１の送信処理を説明する。まず、プロトコル処理部８０１からの制御データ、およびアプリケーション部８０２からのユーザデータが、送信データバッファ部８０３へ保存される。送信データバッファ部８０３に保存されたデータは、エンコーダー部８０４へ渡され、誤り訂正などのエンコード処理が施される。エンコード処理を施さずに、送信データバッファ部８０３から変調部８０５へ直接出力されるデータが存在してもよい。エンコーダー部８０４でエンコード処理されたデータは、変調部８０５にて変調処理が行われる。変調されたデータは、ベースバンド信号に変換された後、周波数変換部８０６へ出力され、無線送信周波数に変換される。その後、アンテナ８０７から基地局７２に送信信号が送信される。
【０１１６】
また、移動端末７１の受信処理は、以下のとおりに実行される。基地局７２からの無線信号がアンテナ８０７により受信される。受信信号は、周波数変換部８０６にて無線受信周波数からベースバンド信号に変換され、復調部８０８において復調処理が行われる。復調後のデータは、デコーダー部８０９へ渡され、誤り訂正などのデコード処理が行われる。デコードされたデータのうち、制御データはプロトコル処理部８０１へ渡され、ユーザデータはアプリケーション部８０２へ渡される。移動端末７１の一連の処理は、制御部８１０によって制御される。よって制御部８１０は、図８では省略しているが、各部８０１〜８０９と接続している。
【０１１７】
図９は、基地局（図７の基地局７２）の構成を示すブロック図である。図９に示す基地局７２の送信処理を説明する。ＥＰＣ通信部９０１は、基地局７２とＥＰＣ（ＭＭＥ部７３、ＨｅＮＢＧＷ７４など）との間のデータの送受信を行う。他基地局通信部９０２は、他の基地局との間のデータの送受信を行う。ＥＰＣ通信部９０１および他基地局通信部９０２は、それぞれプロトコル処理部９０３と情報の受け渡しを行う。プロトコル処理部９０３からの制御データ、ならびにＥＰＣ通信部９０１および他基地局通信部９０２からのユーザデータおよび制御データは、送信データバッファ部９０４へ保存される。
【０１１８】
送信データバッファ部９０４に保存されたデータは、エンコーダー部９０５へ渡され、誤り訂正などのエンコード処理が施される。エンコード処理を施さずに、送信データバッファ部９０４から変調部９０６へ直接出力されるデータが存在してもよい。エンコードされたデータは、変調部９０６にて変調処理が行われる。変調されたデータは、ベースバンド信号に変換された後、周波数変換部９０７へ出力され、無線送信周波数に変換される。その後、アンテナ９０８より一つもしくは複数の移動端末７１に対して送信信号が送信される。
【０１１９】
また、基地局７２の受信処理は以下のとおりに実行される。一つもしくは複数の移動端末７１からの無線信号が、アンテナ９０８により受信される。受信信号は、周波数変換部９０７にて無線受信周波数からベースバンド信号に変換され、復調部９０９で復調処理が行われる。復調されたデータは、デコーダー部９１０へ渡され、誤り訂正などのデコード処理が行われる。デコードされたデータのうち、制御データはプロトコル処理部９０３あるいはＥＰＣ通信部９０１、他基地局通信部９０２へ渡され、ユーザデータはＥＰＣ通信部９０１および他基地局通信部９０２へ渡される。基地局７２の一連の処理は、制御部９１１によって制御される。よって制御部９１１は、図９では省略しているが、各部９０１〜９１０と接続している。
【０１２０】
他基地局通信部９０２は、通知部および取得部に相当する。送信データバッファ部９０４、エンコーダー部９０５、変調部９０６、周波数変換部９０７、アンテナ９０８、復調部９０９およびデコーダー部９１０は、通信部に相当する。
【０１２１】
現在３ＧＰＰにおいて議論されているＨｏｍｅ−ｅＮＢ７２−２の機能を以下に示す（非特許文献１  ４．６．２章参照）。Ｈｏｍｅ−ｅＮＢ７２−２は、ｅＮＢ７２−１と同じ機能を有する。加えて、ＨｅＮＢＧＷ７４と接続する場合、Ｈｏｍｅ−ｅＮＢ７２−２は、適当なサービングＨｅＮＢＧＷ７４を発見する機能を有する。Ｈｏｍｅ−ｅＮＢ７２−２は、１つのＨｅＮＢＧＷ７４に唯一接続する。つまり、ＨｅＮＢＧＷ７４との接続の場合は、Ｈｏｍｅ−ｅＮＢ７２−２は、Ｓ１インタフェースにおけるＦｌｅｘ機能を使用しない。Ｈｏｍｅ−ｅＮＢ７２−２は、１つのＨｅＮＢＧＷ７４に接続されると、同時に別のＨｅＮＢＧＷ７４や別のＭＭＥ部７３に接続しない。
【０１２２】
Ｈｏｍｅ−ｅＮＢ７２−２のＴＡＣとＰＬＭＮ  ＩＤは、ＨｅＮＢＧＷ７４によってサポートされる。Ｈｏｍｅ−ｅＮＢ７２−２をＨｅＮＢＧＷ７４に接続すると、「ＵＥ  ａｔｔａｃｈｍｅｎｔ」でのＭＭＥ部７３の選択は、Ｈｏｍｅ−ｅＮＢ７２−２の代わりに、ＨｅＮＢＧＷ７４によって行われる。Ｈｏｍｅ−ｅＮＢ７２−２は、ネットワーク計画なしで配備される可能性がある。この場合、Ｈｏｍｅ−ｅＮＢ７２−２は、１つの地理的な領域から別の地理的な領域へ移される。したがって、この場合のＨｏｍｅ−ｅＮＢ７２−２は、位置によって、異なったＨｅＮＢＧＷ７４に接続する必要がある。
【０１２３】
図１０は、ＭＭＥの構成を示すブロック図である。図１０では、前述の図７に示すＭＭＥ部７３に含まれるＭＭＥ７３ａの構成を示す。ＰＤＮ  ＧＷ通信部１００１は、ＭＭＥ７３ａとＰＤＮ  ＧＷとの間のデータの送受信を行う。基地局通信部１００２は、ＭＭＥ７３ａと基地局７２との間のＳ１インタフェースによるデータの送受信を行う。ＰＤＮ  ＧＷから受信したデータがユーザデータであった場合、ユーザデータは、ＰＤＮ  ＧＷ通信部１００１から、ユーザプレイン通信部１００３経由で基地局通信部１００２に渡され、１つあるいは複数の基地局７２へ送信される。基地局７２から受信したデータがユーザデータであった場合、ユーザデータは、基地局通信部１００２から、ユーザプレイン通信部１００３経由でＰＤＮ  ＧＷ通信部１００１に渡され、ＰＤＮ  ＧＷへ送信される。
【０１２４】
ＰＤＮ  ＧＷから受信したデータが制御データであった場合、制御データは、ＰＤＮ  ＧＷ通信部１００１から制御プレイン制御部１００５へ渡される。基地局７２から受信したデータが制御データであった場合、制御データは、基地局通信部１００２から制御プレイン制御部１００５へ渡される。
【０１２５】
ＨｅＮＢＧＷ通信部１００４は、ＨｅＮＢＧＷ７４が存在する場合に設けられ、情報種別によって、ＭＭＥ７３ａとＨｅＮＢＧＷ７４との間のインタフェース（ＩＦ）によるデータの送受信を行う。ＨｅＮＢＧＷ通信部１００４から受信した制御データは、ＨｅＮＢＧＷ通信部１００４から制御プレイン制御部１００５へ渡される。制御プレイン制御部１００５での処理の結果は、ＰＤＮ  ＧＷ通信部１００１経由でＰＤＮ  ＧＷへ送信される。また、制御プレイン制御部１００５で処理された結果は、基地局通信部１００２経由でＳ１インタフェースにより１つあるいは複数の基地局７２へ送信され、またＨｅＮＢＧＷ通信部１００４経由で１つあるいは複数のＨｅＮＢＧＷ７４へ送信される。
【０１２６】
制御プレイン制御部１００５には、ＮＡＳセキュリティ部１００５−１、ＳＡＥベアラコントロール部１００５−２、アイドルステート（Idle State）モビリティ管理部１００５−３などが含まれ、制御プレインに対する処理全般を行う。ＮＡＳセキュリティ部１００５−１は、ＮＡＳ（Non-Access Stratum）メッセージのセキュリティなどを行う。ＳＡＥベアラコントロール部１００５−２は、ＳＡＥ（System Architecture Evolution）のベアラの管理などを行う。アイドルステートモビリティ管理部１００５−３は、待受け状態（ＬＴＥ−ＩＤＬＥ状態、単にアイドルとも称される）のモビリティ管理、待受け状態時のページング信号の生成および制御、傘下の１つあるいは複数の移動端末７１のトラッキングエリア（ＴＡ）の追加、削除、更新、検索、トラッキングエリアリスト（TA List）管理などを行う。
【０１２７】
ＭＭＥ７３ａは、ＵＥが登録されている（registered）追跡領域（トラッキングエリア：Tracking Area：ＴＡ）に属するセルへ、ページングメッセージを送信することで、ページングプロトコルに着手する。ＭＭＥ７３ａに接続されるＨｏｍｅ−ｅＮＢ７２−２のＣＳＧの管理やＣＳＧ−ＩＤの管理、そしてホワイトリスト管理は、アイドルステートモビリティ管理部１００５−３で行ってもよい。
【０１２８】
ＣＳＧ−ＩＤの管理では、ＣＳＧ−ＩＤに対応する移動端末とＣＳＧセルとの関係が管理（追加、削除、更新、検索）される。例えば、あるＣＳＧ−ＩＤにユーザアクセス登録された一つまたは複数の移動端末と該ＣＳＧ−ＩＤに属するＣＳＧセルとの関係であってもよい。ホワイトリスト管理では、移動端末とＣＳＧ−ＩＤとの関係が管理（追加、削除、更新、検索）される。例えば、ホワイトリストには、ある移動端末がユーザ登録した一つまたは複数のＣＳＧ−ＩＤが記憶されてもよい。これらのＣＳＧに関する管理は、ＭＭＥ７３ａの中の他の部分で行われてもよい。ＭＭＥ７３ａの一連の処理は、制御部１００６によって制御される。よって制御部１００６は、図１０では省略しているが、各部１００１〜１００５と接続している。
【０１２９】
現在３ＧＰＰにおいて議論されているＭＭＥ７３ａの機能を以下に示す（非特許文献１  ４．６．２章参照）。ＭＭＥ７３ａは、ＣＳＧ（Closed Subscriber Groups）のメンバーの１つ、あるいは複数の移動端末のアクセスコントロールを行う。ＭＭＥ７３ａは、ページングの最適化（Paging optimization）の実行をオプションとして認める。
【０１３０】
図１１は、ＨｅＮＢＧＷである図７に示すＨｅＮＢＧＷ７４の構成を示すブロック図である。ＥＰＣ通信部１１０１は、ＨｅＮＢＧＷ７４とＭＭＥ７３ａとの間のＳ１インタフェースによるデータの送受信を行う。基地局通信部１１０２は、ＨｅＮＢＧＷ７４とＨｏｍｅ−ｅＮＢ７２−２との間のＳ１インタフェースによるデータの送受信を行う。ロケーション処理部１１０３は、ＥＰＣ通信部１１０１経由で渡されたＭＭＥ７３ａからのデータのうちレジストレーション情報などを、複数のＨｏｍｅ−ｅＮＢ７２−２に送信する処理を行う。ロケーション処理部１１０３で処理されたデータは、基地局通信部１１０２に渡され、一つまたは複数のＨｏｍｅ−ｅＮＢ７２−２にＳ１インタフェースを介して送信される。
【０１３１】
ロケーション処理部１１０３での処理を必要とせず通過（透過）させるだけのデータは、ＥＰＣ通信部１１０１から基地局通信部１１０２に渡され、一つまたは複数のＨｏｍｅ−ｅＮＢ７２−２にＳ１インタフェースを介して送信される。ＨｅＮＢＧＷ７４の一連の処理は、制御部１１０４によって制御される。よって制御部１１０４は、図１１では省略しているが、各部１１０１〜１１０３と接続している。
【０１３２】
現在３ＧＰＰにおいて議論されているＨｅＮＢＧＷ７４の機能を以下に示す（非特許文献１  ４．６．２章参照）。ＨｅＮＢＧＷ７４は、Ｓ１アプリケーションについてリレーする。Ｈｏｍｅ−ｅＮＢ７２−２へのＭＭＥ７３ａの手順の一部分であるが、ＨｅＮＢＧＷ７４は、移動端末７１に関係しないＳ１アプリケーションについて終端する。ＨｅＮＢＧＷ７４が配置されるとき、移動端末７１に無関係な手順がＨｏｍｅ−ｅＮＢ７２−２とＨｅＮＢＧＷ７４との間、そしてＨｅＮＢＧＷ７４とＭＭＥ７３ａとの間を通信される。ＨｅＮＢＧＷ７４と他のノードとの間でＸ２インタフェースは設定されない。ＨｅＮＢＧＷ７４は、ページングの最適化（Paging optimization）の実行をオプションとして認める。
【０１３３】
次に移動体通信システムにおける一般的なセルサーチ方法の一例を示す。図１２は、ＬＴＥ方式の通信システムにおいて移動端末（ＵＥ）が行うセルサーチから待ち受け動作までの概略を示すフローチャートである。移動端末は、セルサーチを開始すると、ステップＳＴ１２０１で、周辺の基地局から送信される第一同期信号（Ｐ−ＳＳ）、および第二同期信号（Ｓ−ＳＳ）を用いて、スロットタイミング、フレームタイミングの同期をとる。Ｐ−ＳＳとＳ−ＳＳとを合わせて、同期信号（ＳＳ）には、セル毎に割り当てられたＰＣＩ（Physical Cell Identity）に１対１に対応するシンクロナイゼーションコードが割り当てられている。ＰＣＩの数は現在５０４通りが検討されており、この５０４通りのＰＣＩを用いて同期をとるとともに、同期がとれたセルのＰＣＩを検出（特定）する。
【０１３４】
次に同期がとれたセルに対して、ステップＳＴ１２０２で、基地局からセル毎に送信される参照信号（リファレンスシグナル：ＲＳ）であるセル固有参照信号（Cell-specific Reference Signal：ＣＲＳ）を検出し、ＲＳの受信電力（ＲＳＲＰとも称される）の測定を行う。参照信号（ＲＳ）には、ＰＣＩと１対１に対応したコードが用いられており、そのコードで相関をとることによって他セルと分離できる。ステップＳＴ１２０１で特定したＰＣＩから、該セルのＲＳ用のコードを導出することによって、ＲＳを検出し、ＲＳの受信電力を測定することが可能となる。
【０１３５】
次にステップＳＴ１２０３で、ステップＳＴ１２０２までで検出された一つ以上のセルの中から、ＲＳの受信品質が最もよいセル、例えば、ＲＳの受信電力が最も高いセル、つまりベストセルを選択する。
【０１３６】
次にステップＳＴ１２０４で、ベストセルのＰＢＣＨを受信して、報知情報であるＢＣＣＨを得る。ＰＢＣＨ上のＢＣＣＨには、セル構成情報が含まれるＭＩＢ（Master Information Block）がのる。したがってＰＢＣＨを受信してＢＣＣＨを得ることで、ＭＩＢが得られる。ＭＩＢの情報としては、例えば、ＤＬ（ダウンリンク）システム帯域幅（送信帯域幅設定（transmission bandwidth configuration：dl-bandwidth）とも呼ばれる）、送信アンテナ数、ＳＦＮ（System Frame Number）などがある。
【０１３７】
次にステップＳＴ１２０５で、ＭＩＢのセル構成情報をもとに該セルのＤＬ−ＳＣＨを受信して、報知情報ＢＣＣＨの中のＳＩＢ（System Information Block）１を得る。ＳＩＢ１には、該セルへのアクセスに関する情報や、セルセレクションに関する情報、他のＳＩＢ（ＳＩＢｋ；ｋ≧２の整数）のスケジューリング情報が含まれる。また、ＳＩＢ１には、ＴＡＣ（Tracking Area Code）が含まれる。
【０１３８】
次にステップＳＴ１２０６で、移動端末は、ステップＳＴ１２０５で受信したＳＩＢ１のＴＡＣと、移動端末が既に保有しているＴＡ（Tracking Area）リスト内のＴＡＣとを比較する。比較した結果、ステップＳＴ１２０５で受信したＴＡＣがＴＡ（Tracking Area）リスト内に含まれるＴＡＣと同じならば、該セルで待ち受け動作に入る。比較して、ステップＳＴ１２０５で受信したＴＡＣがＴＡ（Tracking Area）リスト内に含まれなければ、移動端末は該セルを通してコアネットワーク（Core Network，ＥＰＣ）（ＭＭＥなどが含まれる）へ、ＴＡＵ（Tracking Area Update）を行うためにＴＡ（Tracking Area）の変更を要求する。コアネットワークは、ＴＡＵ要求信号とともに移動端末から送られてくる該移動端末の識別番号（ＵＥ−ＩＤなど）をもとに、ＴＡ（Tracking Area）リストの更新を行う。コアネットワークは、移動端末に更新後のＴＡ（Tracking Area）リストを送信する。移動端末は、受信したＴＡ（Tracking Area）リストにて移動端末が保有するＴＡＣリストを書き換える（更新する）。その後、移動端末は、該セルで待ち受け動作に入る。
【０１３９】
ＬＴＥ、ＬＴＥ−ＡおよびＵＭＴＳ（Universal Mobile Telecommunication System）においては、ＣＳＧ（Closed Subscriber Group）セルの導入が検討されている。前述したように、ＣＳＧセルに登録した一つまたは複数の移動端末のみにアクセスが許される。ＣＳＧセルと登録された一つまたは複数の移動端末とが一つのＣＳＧを構成する。このように構成されたＣＳＧには、ＣＳＧ−ＩＤと呼ばれる固有の識別番号が付される。なお、一つのＣＳＧには、複数のＣＳＧセルがあってもよい。移動端末は、どれか一つのＣＳＧセルに登録すれば、そのＣＳＧセルが属するＣＳＧの他のＣＳＧセルにはアクセス可能となる。
【０１４０】
また、ＬＴＥおよびＬＴＥ−ＡでのＨｏｍｅ−ｅＮＢやＵＭＴＳでのＨｏｍｅ−ＮＢが、ＣＳＧセルとして使われることがある。ＣＳＧセルに登録した移動端末は、ホワイトリストを有する。具体的には、ホワイトリストはＳＩＭ（Subscriber Identity Module）／ＵＳＩＭに記憶される。ホワイトリストには、移動端末が登録したＣＳＧセルのＣＳＧ情報が格納される。ＣＳＧ情報として具体的には、ＣＳＧ−ＩＤ、ＴＡＩ（Tracking Area Identity）、ＴＡＣなどが考えられる。ＣＳＧ−ＩＤとＴＡＣとが対応付けられていれば、どちらか一方でよい。また、ＣＳＧ−ＩＤおよびＴＡＣと、ＧＣＩ（Global Cell Identity）とが対応付けられていればＧＣＩでもよい。
【０１４１】
以上から、ホワイトリストを有しない（本開示においては、ホワイトリストが空（empty）の場合も含める）移動端末は、ＣＳＧセルにアクセスすることは不可能であり、ｎｏｎ−ＣＳＧセルのみにしかアクセスできない。一方、ホワイトリストを有する移動端末は、登録したＣＳＧ−ＩＤのＣＳＧセルにも、ｎｏｎ−ＣＳＧセルにもアクセスすることが可能となる。
【０１４２】
３ＧＰＰでは、全ＰＣＩ（Physical Cell Identity）を、ＣＳＧセル用とｎｏｎ−ＣＳＧセル用とに分割することが議論されている（非特許文献１参照）。全ＰＣＩのうち、ＣＳＧセルによって使用するためにネットワークによって予約されたＰＣＩ範囲がある（非特許文献１  １０．５．１．１章参照）。ＰＣＩ範囲を分割することをＰＣＩスプリットと称することがある。ＰＣＩスプリット情報は、システム情報にて基地局から傘下の移動端末に対して報知される。非特許文献５は、ＰＣＩスプリットを用いた移動端末の基本動作を開示する。ＰＣＩスプリット情報を有していない移動端末は、全ＰＣＩを用いて、例えば５０４コード全てを用いて、セルサーチを行う必要がある。これに対して、ＰＣＩスプリット情報を有する移動端末は、当該ＰＣＩスプリット情報を用いてセルサーチを行うことが可能である。
【０１４３】
また３ＧＰＰでは、ハイブリッドセルのためのＰＣＩは、ＣＳＧセル用のＰＣＩ範囲の中には含まれないことが決定されている（非特許文献１  １０．７章参照）。
【０１４４】
３ＧＰＰでは、移動端末がＣＳＧセルをセレクション、あるいはリセレクションする方法について２つのモードが存在する。１つ目は、自動（Automatic）モードである。自動モードの特徴を以下に示す。移動端末内の許可ＣＳＧリスト（Allowed CSG ID List）を利用して、セレクション、あるいはリセレクションを行う。ＰＬＭＮの選択が完了した後、ｎｏｎ−ＣＳＧセル、あるいは許可ＣＳＧリストに存在するＣＳＧ  ＩＤを伴うＣＳＧセルである場合にのみ、選択している該ＰＬＭＮ中の１つのセルにキャンプオンする。移動端末の許可ＣＳＧリストが空であるならば、移動端末は、ＣＳＧセルの自立（autonomous）サーチ機能を停止する（非特許文献３  ５．２．４．８．１章参照）。
【０１４５】
２つ目は、手動（Manual）モードである。手動モードの特徴を以下に示す。移動端末は、現在選択されているＰＬＭＮで利用可能なＣＳＧのリストを、ユーザに示す。移動端末がユーザに提供するＣＳＧのリストは、移動端末に保存されている許可ＣＳＧリストに含まれるＣＳＧに限られない。ユーザが該ＣＳＧのリストに基づいてＣＳＧを選定した後、移動端末は、選択されたＣＳＧ  ＩＤを伴うセルへキャンプオンし、登録（register）を試みる（非特許文献３参照）。
【０１４６】
ＨｅＮＢおよびＨＮＢに対しては、様々なサービスへの対応が求められている。例えば、オペレータは、ある決められたＨｅＮＢおよびＨＮＢに移動端末を登録させ、登録した移動端末のみにＨｅＮＢおよびＨＮＢのセルへのアクセスを許可することで、該移動端末が使用できる無線リソースを増大させて、高速に通信を行えるようにする。その分、オペレータは、課金料を通常よりも高く設定する、といったサービスである。
【０１４７】
このようなサービスを実現するため、登録した（加入した、メンバーとなった）移動端末のみがアクセスできるＣＳＧセル（Closed Subscriber Group cell）が導入されている。ＣＳＧセル（Closed Subscriber Group cell）は、商店街やマンション、学校、会社などへ数多く設置されることが要求される。例えば、商店街では店舗毎、マンションでは部屋毎、学校では教室毎、会社ではセクション毎にＣＳＧセルを設置し、各ＣＳＧセルに登録したユーザのみが該ＣＳＧセルを使用可能とするような使用方法が要求されている。ＨｅＮＢ／ＨＮＢは、マクロセルのカバレッジ外での通信を補完するため（エリア補完型ＨｅＮＢ／ＨＮＢ）だけでなく、上述したような様々なサービスへの対応（サービス提供型ＨｅＮＢ／ＨＮＢ）が求められている。このため、ＨｅＮＢ／ＨＮＢがマクロセルのカバレッジ内に設置される場合も生じる。
【０１４８】
ＬＴＥ−Ａの新技術として、下りＣｏＭＰ（ＤＬ  ＣｏＭＰ）が検討されている。前述のように３ＧＰＰでは、ＤＬ  ＣｏＭＰの方法として、ＪＰ（Joint Processing）と、ＣＳ／ＣＢ（Coordinated Scheduling/Coordinated Beamforming）とが検討されている。ＪＰには、ＪＴ（Joint Transmission）と、ＤＣＳ（Dynamic Cell Selection）とがある。
【０１４９】
図１３は、ＪＴの概念を示す図である。図１３に示す例において、第１マルチポイントユニット１３０１および第２マルチポイントユニット１３０２は、ＤＬ  ＣｏＭＰすなわち下り多地点間協調送信を行うユニットである。図１３では、ＤＬ  ＣｏＭＰ対象の移動端末（ＵＥ）１３０３は、第１マルチポイントユニット１３０１をサービングセルとして、第１マルチポイントユニット１３０１によって構成されるカバレッジ１３０６内、および第２マルチポイントユニット１３０２によって構成されるカバレッジ１３０７内に存在する場合を示す。図１３では、第１マルチポイントユニット１３０１からＵＥ１３０３に送信される信号を、矢符１３０４で示している。また図１３では、第２マルチポイントユニット１３０２からＵＥ１３０３に送信される信号を、矢符１３０５で示している。
【０１５０】
図１３に示すように、ＪＴでは、同時に複数のマルチポイントユニット１３０１，１３０２から、ＣｏＭＰ対象のＵＥ１３０３に対して、信号１３０４，１３０５が送信される。
【０１５１】
図１４は、ＤＣＳの概念を示す図である。図１４に示す例において、第１マルチポイントユニット１４０１および第２マルチポイントユニット１４０２は、ＤＬ  ＣｏＭＰすなわち下り多地点間協調送信を行うユニットである。図１４では、ＤＬ  ＣｏＭＰ対象の移動端末（ＵＥ）１４０３は、第１マルチポイントユニット１４０１をサービングセルとして、第１マルチポイントユニット１４０１によって構成されるカバレッジ１４０６内、および第２マルチポイントユニット１４０２によって構成されるカバレッジ１４０７内に存在する場合を示す。図１４では、第１マルチポイントユニット１４０１からＵＥ１４０３に送信される信号を、矢符１４０４で示している。また図１４では、第２マルチポイントユニット１４０２からＵＥ１４０３に送信される信号を、矢符１４０５で示している。
【０１５２】
ＤＣＳでは、一時に一つのマルチポイントユニットから、ＣｏＭＰ対象のＵＥに対して信号が送信される。ＣｏＭＰ対象のＵＥに送信する一つのマルチポイントユニットは、ダイナミックに変更される。例えば図１４に示す例では、ＣｏＭＰ対象のＵＥ１４０３に対して、ある時点では第１マルチポイントユニット１４０１から信号１４０４が送信され、別のある時点では第２マルチポイントユニット１４０２から信号１４０５が送信される。
【０１５３】
図１５は、ＣＳ／ＣＢの概念を示す図である。図１５（ａ）は、ＣＳの概念を示す図である。図１５（ｂ）は、ＣＢの概念を示す図である。図１５に示す例において、第１マルチポイントユニット１５０１および第２マルチポイントユニット１５０２は、ＤＬ  ＣｏＭＰすなわち下り多地点間協調送信を行うユニットである。図１５では、ＤＬ  ＣｏＭＰ対象の移動端末（ＵＥ）１５０３，１５０７が、第１マルチポイントユニット１５０１によって構成されるカバレッジ１５０５内、および第２マルチポイントユニット１５０２によって構成されるカバレッジ１５０６内に存在する場合を示す。
【０１５４】
図１５（ａ）では、第１マルチポイントユニット１５０１からＵＥ１５０３に送信される信号を、矢符１５０４で示している。また図１５（ｂ）では、第１マルチポイントユニット１５０１から第１のＵＥ１５０３に送信される信号を、矢符１５０４で示し、第１マルチポイントユニット１５０１から第２のＵＥ１５０７に送信される信号を、矢符１５０８で示している。また図１５（ｂ）では、第２マルチポイントユニット１５０２から第１のＵＥ１５０３に送信される信号を、矢符１５１０で示し、第２マルチポイントユニット１５０２から第２のＵＥ１５０７に送信される信号を、矢符１５０９で示している。
【０１５５】
ＣＳ／ＣＢでは、ＣｏＭＰ対象のＵＥのサービングセルとなるマルチポイントユニットから、該ＣｏＭＰ対象のＵＥに対して信号が送信される。ＣＳでは、図１５（ａ）に示すように、ＣｏＭＰ対象のＵＥ１５０３のサービングセルである第１マルチポイントユニット１５０１が該ＵＥ１５０３に対して送信する信号１５０４の割当てられるリソースブロックにおいて、第２マルチポイントユニット１５０２は信号を送信しない、などのスケジューリングに基づいて、ＣｏＭＰによる送信を行う。
【０１５６】
ＣＢでは、図１５（ｂ）に示すように、ＣｏＭＰ対象の第１のＵＥ１５０３のサービングセルである第１マルチポイントユニット１５０１は、ビームフォーミングによって該第１のＵＥ１５０３の方向に信号１５０４を送信し、第２マルチポイントユニット１５０２は、該第１のＵＥ１５０３の方向には信号１５１０を送信しないように、ビームフォーミングによってヌル（Null）にする。また、ＣｏＭＰ対象の第２のＵＥ１５０７のサービングセルである第２マルチポイントユニット１５０２は、ビームフォーミングによって該第２のＵＥ１５０７の方向に信号１５０９を送信し、第１マルチポイントユニット１５０１は、該第２のＵＥ１５０７の方向には信号１５０８を送信しないように、ビームフォーミングによってヌル（Null）にする。
【０１５７】
ＣｏＭＰのためのスケジューリングの方法が３ＧＰＰで検討されている。マルチポイント間で協調（cooperation）するためのスケジューリング方法として、分散型（distributed）のスケジューリングと、集中型（centralized）のスケジューリングとが提案されている（３ＧＰＰ  Ｒ１−１１０１０６（以下「非特許文献１０」という）参照）。
【０１５８】
図１６は、分散型スケジューリングの概念を示す図である。図１６に示す例において、第１マルチポイントユニット１６０４、第２マルチポイントユニット１６０５および第３マルチポイントユニット１６０６は、ＤＬ  ＣｏＭＰすなわち下り多地点間協調送信を行うユニットである。ＤＬ  ＣｏＭＰ対象の移動端末（ＵＥ）１６１９は、第１マルチポイントユニット１６０４によって構成されるカバレッジ（以下「第１マルチポイントユニット１６０４のカバレッジ」という場合がある）１６０１内、および第２マルチポイントユニット１６０５によって構成されるカバレッジ（以下「第２マルチポイントユニット１６０５のカバレッジ」という場合がある）１６０２内に存在する。
【０１５９】
第１マルチポイントユニット１６０４の傘下のＣｏＭＰ対象ではないＵＥである第１ＵＥ１６０７は、第１マルチポイントユニット１６０４のカバレッジ１６０１内に存在する。第２マルチポイントユニット１６０５の傘下のＣｏＭＰ対象ではないＵＥである第２ＵＥ１６０８は、第２マルチポイントユニット１６０５のカバレッジ１６０２内に存在する。第３マルチポイントユニット１６０６の傘下のＣｏＭＰ対象ではないＵＥである第３ＵＥ１６０９は、第３マルチポイントユニット１６０６によって構成されるカバレッジ１６０３内に存在する。
【０１６０】
図１６では、第１マルチポイントユニット１６０４から第１ＵＥ１６０７へ送信される信号を、矢符１６１０で示し、第１マルチポイントユニット１６０４からＤＬ  ＣｏＭＰ対象のＵＥ１６１９へ送信される信号を、矢符１６１１で示している。また図１６では、第２マルチポイントユニット１６０５からＤＬ  ＣｏＭＰ対象のＵＥ１６１９へ送信される信号を、矢符１６１２で示し、第２マルチポイントユニット１６０５から第２ＵＥ１６０８へ送信される信号を、矢符１６１３で示している。また図１６では、第３マルチポイントユニット１６０６からＤＬ  ＣｏＭＰ対象のＵＥ１６１９へ送信される信号を、矢符１６１４で示し、第３マルチポイントユニット１６０６から第３ＵＥ１６０９へ送信される信号を、矢符１６１５で示している。
【０１６１】
第１マルチポイントユニット１６０４と第２マルチポイントユニット１６０５とは、インタフェース１６１６によって接続されている。第１マルチポイントユニット１６０４と第２マルチポイントユニット１６０５とは、インタフェース１６１６を介して情報を送受信する。
【０１６２】
第２マルチポイントユニット１６０５と第３マルチポイントユニット１６０６とは、インタフェース１６１７によって接続されている。第２マルチポイントユニット１６０５と第３マルチポイントユニット１６０６とは、インタフェース１６１７を介して情報を送受信する。
【０１６３】
第３マルチポイントユニット１６０６と第１マルチポイントユニット１６０４とは、インタフェース１６１８によって接続されている。第３マルチポイントユニット１６０６と第１マルチポイントユニット１６０４とは、インタフェース１６１８を介して情報を送受信する。
【０１６４】
分散型スケジューリングでは、各マルチポイントユニット１６０４，１６０５，１６０６が、自マルチポイントユニットの傘下のＣｏＭＰ対象ではないＵＥ１６０７，１６０８，１６０９と、他マルチポイントユニットの傘下のＣｏＭＰ対象のＵＥ１６１９とをあわせて、スケジューリングを行う。以下に、分散型スケジューリングの手順の概要を示す。
【０１６５】
まず、各マルチポイントユニット１６０４，１６０５，１６０６がスケジューリングを行い、マルチポイントユニット１６０４，１６０５，１６０６間で、スケジューリングの結果を表すスケジューリング情報を交換する。次に、各マルチポイントユニット１６０４，１６０５，１６０６が、他マルチポイントユニットから通知されたスケジューリング情報を用いて、スケジューリングを行う。次に、各マルチポイントユニット１６０４，１６０５，１６０６は、各マルチポイントユニット１６０４，１６０５，１６０６のスケジューリングの結果に基づいて、各ＵＥ１６０７，１６０８，１６０９，１６１９に対して、信号１６１０〜１６１５を送信する。
【０１６６】
図１７は、集中型スケジューリングの概念を示す図である。図１７では、図１６に示した同一要素に同一の参照符号を付して、共通する説明を省略する。集中型スケジューリングでは、集中ノード１７０１が設けられる。第１マルチポイントユニット１６０４と集中ノード１７０１とは、インタフェース１７０２によって接続されている。第１マルチポイントユニット１６０４と集中ノード１７０１とは、インタフェース１７０２を介して情報を送受信する。
【０１６７】
第２マルチポイントユニット１６０５と集中ノード１７０１とは、インタフェース１７０４によって接続されている。第２マルチポイントユニット１６０５と集中ノード１７０１とは、インタフェース１７０４を介して情報を送受信する。第３マルチポイントユニット１６０６と集中ノード１７０１とは、インタフェース１７０３によって接続されている。第３マルチポイントユニット１６０６と集中ノード１７０１とは、インタフェース１７０３を介して情報を送受信する。
【０１６８】
集中型スケジューリングでは、集中ノード１７０１が、ＣｏＭＰを行う全てのマルチポイントユニット１６０４，１６０５，１６０６の傘下の全てのＵＥ１６０７，１６０８，１６０９，１６１９のスケジューリングを行う。以下に、集中型スケジューリングの手順の概要を示す。
【０１６９】
まず、集中ノード１７０１が、全てのマルチポイントユニット１６０４，１６０５，１６０６の傘下の全てのＵＥ１６０７，１６０８，１６０９，１６１９に対して、全てのマルチポイントユニット１６０４，１６０５，１６０６のリソースを用いてスケジューリングを行う。次に、集中ノード１７０１は、各マルチポイントユニット１６０４，１６０５，１６０６に対するスケジューリングの結果を、各マルチポイントユニット１６０４，１６０５，１６０６に通知する。そして、各マルチポイントユニット１６０４，１６０５，１６０６は、集中ノード１７０１から通知されたスケジューリングの結果に基づいて、各ＵＥ１６０７，１６０８，１６０９，１６１９に対して、信号１６１０〜１６１５を送信する。
【０１７０】
ここでは、集中ノード１７０１が、ＣｏＭＰを行う全てのマルチポイントユニット１６０４，１６０５，１６０６の傘下の全てのＵＥ１６０７，１６０８，１６０９，１６１９のスケジューリングを行うようにしているが、集中ノード１７０１は、スケジューリングが必要なＵＥのスケジューリングを行うようにしてもよい。また集中ノード１７０１は、いずれか一つのマルチポイントユニット内に設けられてもよいし、ＭＭＥ、ＨｅＮＢＧＷ、ＯＡＭ（Operation Administration and Maintenance）内に設けられてもよい。
【０１７１】
ＣｏＭＰすなわち多地点間協調送受信を行うマルチポイントユニットは、セルであってもよい。また、一つのｅＮＢが複数のセルを構成するような場合も、該セル間でＣｏＭＰがサポートされる。セル間でサポートされるＣｏＭＰは、イントラ（intra）−ｅＮＢ  ＣｏＭＰなどと称される。以下の説明では、特に断らない限り、マルチポイントユニットおよびｅＮＢが構成するセルも含めて、「セル」と称する。マルチポイントユニットおよびｅＮＢが構成するセルを含めて、セルは、基地局装置に相当する。
【０１７２】
従来の分散型スケジューリングの具体的な方法として、非特許文献１０、および３ＧＰＰ  Ｒ１−１１０３５５（以下「非特許文献１１」という）に示されるような、反復ＣｏＭＰスケジューリング（iterative CoMP scheduling）がある。
【０１７３】
反復ＣｏＭＰスケジューリングでは、第１ステップとして、ＣｏＭＰを行う各セルが、傘下のＵＥに対して、暫定的に非協調（non-cooperative）スケジューリングを行う。第２ステップとして、各セルは、各セルで行ったスケジューリングの結果を表すスケジューリング情報を、ＣｏＭＰを行うセル間で交換する。第３ステップとして、各セルは、自セルのスケジューリングのみを考慮に入れるだけでなく、ＣｏＭＰを行う他のセルから通知されたスケジューリング情報も考慮して、改良（リファイン（refine））したスケジューリングを行う。各セルは、リファインしたスケジューリングを行うとともに、ビームセレクションを行ってもよい。
【０１７４】
第４ステップとして、前記第２ステップの処理と第３ステップの処理とを繰返し行い、さらにリファインする。リファインしたスケジューリングの結果が所定の値に収束すると、第２ステップおよび第３ステップの処理を終了する。第５ステップとして、各セルは、収束したスケジューリングの結果に基づいて信号を送信する。このように、各セルが、ＣｏＭＰを行う他のセルと協調しながらスケジューリングを行う。しかし、この方法では、スケジューリングの結果が所定の値に収束するまで、セル間で情報の交換を繰返すので、遅延が大きくなってしまうという問題がある。
【０１７５】
３ＧＰＰ  Ｒ１−１１０３８４（以下「非特許文献１２」という）では、前述の遅延が大きくなるという問題を改善するために、非反復ＣｏＭＰスケジューリング（non-iterative CoMP scheduling）が提案されている。
【０１７６】
図１８は、非反復ＣｏＭＰスケジューリングのシーケンスの一例を示す図である。セル１、セル２およびセル３は、ＣｏＭＰを行うセルである。
【０１７７】
ステップＳＴ１８０１、ステップＳＴ１８０２およびステップＳＴ１８０３において、各セル１〜３は、スケジューリングのための情報を導出する処理（以下「情報導出処理」という）を行う。
【０１７８】
ステップＳＴ１８０４〜ステップＳＴ１８０９において、各セル１〜３は、ＣｏＭＰを行う他のセルとの間で、スケジューリングのための情報の交換を行う。具体的には、セル１は、ステップＳＴ１８０４において、セル２にスケジューリングのための情報を送信し、ステップＳＴ１８０５において、セル３にスケジューリングのための情報を送信する。セル２は、ステップＳＴ１８０６において、セル３にスケジューリングのための情報を送信し、ステップＳＴ１８０７において、セル１にスケジューリングのための情報を送信する。セル３は、ステップＳＴ１８０８において、セル２にスケジューリングのための情報を送信し、ステップＳＴ１８０９において、セル１にスケジューリングのための情報を送信する。
【０１７９】
セル１は、ステップＳＴ１８０７およびステップＳＴ１８０９においてセル２，３から送信されたスケジューリングのための情報を受信すると、ステップＳＴ１８１０に移行する。セル２は、ステップＳＴ１８０４およびステップＳＴ１８０８においてセル１，３から送信されたスケジューリングのための情報を受信すると、ステップＳＴ１８１１に移行する。セル３は、ステップＳＴ１８０５およびステップＳＴ１８０６においてセル１，２から送信されたスケジューリングのための情報を受信すると、ステップＳＴ１８１２に移行する。
【０１８０】
ステップＳＴ１８１０、ステップＳＴ１８１１およびステップＳＴ１８１２において、各セル１〜３は、ＣｏＭＰを行う他のセルから通知されたスケジューリングのための情報を用いてスケジューリングを行う。以下の説明では、特に断らない限り、ＣｏＭＰを行う他のセルのことを「周辺セル」とも称する。セル１は、ステップＳＴ１８１０の処理を終了した後は、ステップＳＴ１８１３に移行する。セル２は、ステップＳＴ１８１１の処理を終了した後は、ステップＳＴ１８１４に移行する。セル３は、ステップＳＴ１８１２の処理を終了した後は、ステップＳＴ１８１５に移行する。
【０１８１】
ステップＳＴ１８１３、ステップＳＴ１８１４およびステップＳＴ１８１５において、各セル１〜３は、ステップＳＴ１８１０、ステップＳＴ１８１１およびステップＳＴ１８１２で行ったそれぞれのスケジューリングの結果に基づいて、信号を送信する。
【０１８２】
図１９は、非反復ＣｏＭＰスケジューリングにおける各セルの動作の一例を示すタイミングチャートである。図１９の矢印は、各セル間における情報の交換、換言すれば情報の送受信を示している。
【０１８３】
セル１では、スケジューリングのための情報導出処理の期間ａ１、周辺セルであるセル２およびセル３との情報交換期間、周辺セルからの情報を用いたスケジューリングの期間ａ２、スケジューリングの結果に基づいて信号の送信を行う期間ａ３と続く。セル１では、スケジューリングの結果に基づいて信号の送信を行った後、再度、スケジューリングのための情報導出処理が行われる。このようにして、スケジューリングのための情報導出処理から各セルにおけるスケジューリングの結果に基づく送信処理までの各処理が繰返される。
【０１８４】
セル２では、セル１と同様に、スケジューリングのための情報導出処理の期間ｂ１、周辺セルであるセル１およびセル３との情報交換期間、周辺セルからの情報を用いたスケジューリングの期間ｂ２、スケジューリングの結果に基づいて信号の送信を行う期間ｂ３と続く。そしてセル２では、セル１と同様に、スケジューリングの結果に基づいて信号の送信を行った後、再度、スケジューリングのための情報導出処理が行われる。このように、セル２では、セル１と同様に、スケジューリングのための情報導出処理から各セルにおけるスケジューリングの結果に基づく送信処理までの各処理が繰返し行われる。
【０１８５】
セル３では、セル１と同様に、スケジューリングのための情報導出処理の期間ｃ１、周辺セルであるセル１およびセル２との情報交換期間、周辺セルからの情報を用いたスケジューリングの期間ｃ２、スケジューリングの結果に基づいて信号の送信を行う期間ｃ３と続く。そしてセル３では、セル１と同様に、スケジューリングの結果に基づいて信号の送信を行った後、再度、スケジューリングのための情報導出処理が行われる。このように、セル３では、セル１と同様に、スケジューリングのための情報導出処理から各セルにおけるスケジューリングの結果に基づく送信処理までの各処理が繰返し行われる。
【０１８６】
ＣｏＭＰを行うセル間で時間的な同期はとられている。例えばＪＴの場合には、各セルがスケジューリングの結果に基づいて信号の送信を行う期間ａ３，ｂ３，ｃ３は、同一のタイミングで行われる。ＤＣＳおよびＣＳ／ＣＢの場合には、各セルからの送信方法はＪＴの場合と異なるが、各セルがスケジューリングの結果に基づいて信号の送信を行う期間ａ３，ｂ３，ｃ３は、同一のタイミングで行われる。
【０１８７】
この非反復ＣｏＭＰスケジューリングの方法では、１回のスケジューリングにおけるセル間の情報交換の繰返しが無いので、反復ＣｏＭＰスケジューリングの方法に比べて、情報交換の繰返しによる遅延量は低減される。しかし、非反復ＣｏＭＰスケジューリングの方法でも、各セルは、少なくとも一度は周辺セルとの情報交換を行い、周辺セルの状況も考慮に入れたスケジューリングを行わなければならない。したがって、セル間調整のための遅延は、依然として生じることになる。
【０１８８】
例えば、各セルでのスケジューリングのための情報導出処理による遅延、およびセル間インタフェースによる遅延などは生じる。したがって、各セルのスケジューリング処理は、それらの周辺セルにおける遅延量、およびセル間インタフェースにおける遅延量などによって律速されてしまうことになる。周辺セルにおける遅延量およびセル間インタフェースにおける遅延量などの中で大きいものが存在すると、結果として、各セルでのスケジューリング処理が遅れ、スケジューリングの結果に基づいて信号を送信するタイミングが遅れることになる。ＣｏＭＰを行うセル間では、送信期間の同期がとられるので、ＣｏＭＰを行うセルのうち一つでも遅れた場合には、ＣｏＭＰを行う送信期間を遅らせる必要が生じる。これによって、セル間協調スケジューリングによるスループットなどの性能改善量が低下してしまう。
【０１８９】
図２０は、セル間インタフェースの遅延量が大きい場合の各セルの動作の一例を示すタイミングチャートである。図２０では、図１９に示した同一の処理には同一の参照符号を付して、共通する説明を省略する。また、図２０の矢印は、セル間での情報の交換、換言すれば情報の送受信を示している。図２０では、他のセル間ＩＦの遅延量に比べて、セル１とセル３との間のインタフェース（Interface：ＩＦ）の遅延量が大きい場合について示している。
【０１９０】
セル１では、スケジューリングのための情報導出処理の期間ａ１の後、周辺セルであるセル２およびセル３との情報交換を行う。セル２およびセル３との情報交換に要する期間は、セル２およびセル３との間のセル間ＩＦの遅延量による。セル１とセル２との間のＩＦの遅延量は小さく、セル１とセル３との間のＩＦの遅延量が大きい場合、セル１は、セル２からのスケジューリングのための情報を早く受信することができるが、参照符号「Ｓ３」で示されるセル３からのスケジューリングのための情報の受信は、その遅延量が大きい分、遅延することになる。
【０１９１】
セル１は、セル３からのスケジューリングのための情報を受信するまで待機し、前記情報を受信した後に、周辺セルからの情報を用いたスケジューリングを行うことになる。したがって、セル３からのスケジューリングのための情報の受信が遅延した分、周辺セルからの情報を用いたスケジューリング処理が遅延することになる。スケジューリングの結果に基づいて行う信号の送信処理もその分遅延することになる。
【０１９２】
セル３でも同様に、参照符号「Ｓ１」で示されるセル１からのスケジューリングのための情報の受信が遅延するので、周辺セルからの情報を用いたスケジューリング処理が遅延することになり、スケジューリングの結果に基づいて行う信号の送信処理もその分遅延することになる。
【０１９３】
セル２は、セル１あるいはセル３との間のＩＦで大きな遅延は生じないので、周辺セルからの情報を用いたスケジューリング処理が、大きく遅延することは無い。しかし、ＣｏＭＰを行う各セルの送信タイミングは同期しているので、セル２の送信タイミングも、セル１およびセル３の送信タイミングに協調させて、セル１およびセル３の遅延量Ｄの分、遅らせる必要が生じてしまう。すなわち、セル１、セル２およびセル３のＣｏＭＰ送信タイミングが全て遅延してしまうことになる。
【０１９４】
これによって、周辺セルにおける電波環境を即時に自セルに反映できなくなり、セル間協調スケジューリングに遅延が生じてしまう。その結果、システムとしてのスループットなどの性能改善量が低下してしまう。
【０１９５】
そこで本実施の形態では、これらの問題を解消するための方法を以下に開示する。本実施の形態では、セルは、ＣｏＭＰセット内の一つまたは複数の他セルのスケジューリングのための情報を用いなくてもよいものとする。
【０１９６】
換言すれば、セルは、ＣｏＭＰセット内の他のセルから通知されて取得されるスケジューリングのための情報のうち、一つまたは複数の他セルからのスケジューリングのための情報を用いずにスケジューリングを行うことが可能に構成される。例えばセルが前述の図９に示す基地局７２によって構成されるセルである場合、基地局７２の処理部であるプロトコル処理部９０３は、他の基地局から通知されて他基地局通信部９０２で取得されるスケジューリングのための情報のうち、一つまたは複数の他の基地局から通知されるスケジューリングのための情報を用いずにスケジューリングを行うことが可能に構成される。
【０１９７】
他セルのスケジューリングのための情報を用いなくてもよいものとする方法として、以下の２つを開示する。（１）セルは、ＣｏＭＰセット内の一つまたは複数の他セルから通知されたスケジューリングのための情報を無視する。（２）セルは、ＣｏＭＰセット内の一つまたは複数の他セルに、スケジューリングのための情報を通知しないようにする。
【０１９８】
ＣｏＭＰセットとしては、ＣｏＭＰコオペレーティングセットでもよく、あるいはＣｏＭＰ送信ポイントセットであってもよい。また、スケジューリングのための情報の具体例としては、スケジューリング情報、ならびにＵＥのメジャメント報告結果を表す情報、およびそれによって導出したチャネル状態情報などがある。スケジューリング情報は、リソース割当情報およびＭＣＳ（Modulation and Coding Scheme）情報などを含む。スケジューリング情報としては、ＤＣＩ（Downlink Control Information）（３ＧＰＰ  ＴＳ３６．２１２Ｖ１０．０．０（以下「非特許文献１３」という）参照）であってもよい。スケジューリング情報をＤＣＩとすることによって、システムとして共通のフォーマットを用いることができ、各セルでＣｏＭＰとして特別なフォーマットを設ける必要が無い。したがって、ＣｏＭＰスケジューリングのための制御を簡略化することができる。また、スケジューリングのための情報としては、ＣｏＭＰ対象のＵＥのスケジューリングのための情報であってもよい。スケジューリングのための情報を、ＣｏＭＰ対象のＵＥのスケジューリングのための情報とすることによって、セル間で交換される情報量を少なくすることができる。
【０１９９】
図２１は、他セルから通知されたスケジューリングのための情報を無視する方法を用いてＣｏＭＰを行う場合の各セルの動作の一例を示すタイミングチャートである。図２１では、図２０に示した同一の処理には同一の参照符号を付して、共通する説明を省略する。また、図２１の矢印は、セル間での情報の交換、換言すれば情報の送受信を示している。図２１では、図２０と同様に、他のセル間ＩＦの遅延量に比べて、セル１とセル３との間のＩＦの遅延量が大きい場合について示している。
【０２００】
セル１とセル３との間のＩＦの遅延量が大きい場合、セル１は、セル２からのスケジューリングのための情報を早く受信することができるが、参照符号「Ｓ１３」で示されるセル３からのスケジューリングのための情報の受信は、その遅延量が大きい分、遅延することになる。同様に、セル３は、セル２からのスケジューリングのための情報を早く受信することができるが、参照符号「Ｓ１１」で示されるセル１からのスケジューリングのための情報の受信は、その遅延量が大きい分、遅延することになる。セル２は、セル１あるいはセル３との間のＩＦで大きな遅延は生じないので、セル１あるいはセル３からのスケジューリングのための情報を早く受信することができる。
【０２０１】
本実施の形態で開示する方法では、セル１は、遅延量の大きいセル３から受信したスケジューリングのための情報Ｓ１３を無視する。同様に、セル３は、遅延量の大きいセル１から受信したスケジューリングのための情報Ｓ１１を無視する。このように各セルは、大きく遅延して通知されるセルからのスケジューリングのための情報を無視して、他のセルからのスケジューリングのための情報を用いてスケジューリングを行う。
【０２０２】
スケジューリングを行った各セルは、スケジューリングの結果に基づいて信号を送信する。各セルは、大きく遅延して通知されたスケジューリングのための情報を無視するので、ＣｏＭＰセット内のセル間で協調して送信するタイミングを大きく遅延させることが無くなる。
【０２０３】
ここで、セル間で協調して送信するということは、ＣｏＭＰを行うＵＥに対して、セル毎に送信するか、あるいは送信しないかを含めて、協調して送信することである。ＣｏＭＰの方法としては、前述のように、ＣｏＭＰを行うＵＥに、セル間で協調して同時に複数のセルから送信するもの（ＪＴ）、およびセル間で協調して一時に一つのセルから送信するもの（ＤＣＳ、ＣＳ／ＣＢ）があるが、本実施の形態で開示する方法は、いずれにも適用することができる。
【０２０４】
セル毎、あるいはサブフレーム毎に、ＰＤＣＣＨｓのために用いるＯＦＤＭシンボル数は異なる。したがって、ＣｏＭＰセット内の各セルで、協調して送信するＰＤＳＣＨがマッピングされるシンボルが異なる場合が生じる。この場合、ＣｏＭＰセット内のあるセルではＣｏＭＰ対象となるＵＥのＰＤＳＣＨがマッピングされているシンボルで、ＣｏＭＰセット内の他のセルではＰＤＣＣＨがマッピングされてしまうことになる。したがって、ＣｏＭＰセット内の各セルから協調して送信することが不可能となってしまう。この問題を解消する方法として、以下の（１）〜（５）の５つを開示する。
【０２０５】
（１）ＣｏＭＰ送信が行われるサブフレームの、ＰＤＳＣＨがマッピングされるシンボルを、予め決めておく。通信システムとして、あるいはＣｏＭＰセット内で同一値に決めておくとよい。シンボルは、時間的に連続であってもよいし、離散的であってもよい。連続の場合の決め方として、シンボルの先頭値およびシンボル数、あるいは、シンボルの先頭値と終了値などがある。
【０２０６】
（２）ＣｏＭＰ送信するサブフレームの、ＰＤＣＣＨｓのために用いるＯＦＤＭシンボル数あるいはＰＣＦＩＣＨの値を、予め決めておく。通信システムとして、あるいはＣｏＭＰセット内で同一値に決めておくとよい。具体的には、例えば、ＣｏＭＰセット内のセルはＰＤＣＣＨｓのために用いるＯＦＤＭシンボルを「３」とする、と予め決めておく、などである。
【０２０７】
（３）ＣｏＭＰ送信するサブフレームの、ＰＤＳＣＨをマッピングするシンボルの先頭値を、予め決めておく。通信システムとして、あるいはＣｏＭＰセット内で同一値に決めておくとよい。具体的には、例えばＣｏＭＰ送信するサブフレームのＰＤＳＣＨをマッピングするシンボルの先頭値を第４シンボルと予め決めておく、などである。
【０２０８】
前記（１）〜（３）における所定の値は、予め規格等で静的に決められていてもよいし、ＣｏＭＰ制御ノードからＣｏＭＰセット内のセルに通知されるようにしてもよい。これらの方法により、ＣｏＭＰセット内の各セルで、ＣｏＭＰ送信するＰＤＳＣＨをマッピングするシンボルを統一することができる。また、前記（１）〜（３）のように、ＰＤＳＣＨがマッピングされるシンボル、あるいはＰＤＣＣＨｓのために用いるＯＦＤＭシンボル数、あるいはＰＣＦＩＣＨの値、あるいはＰＤＳＣＨをマッピングするシンボルの先頭値などなどを予め決めておくことによって、安定したＣｏＭＰ動作を達成することができる。
【０２０９】
（４）自セルのＰＤＳＣＨがマッピングされるシンボルと同じシンボルにマッピングされる、周辺セルのＣｏＭＰ対象のＵＥへのＣｏＭＰ送信データのみを送信する。具体例として、ＪＴの場合について開示する。例えば、周辺セルのＰＤＳＣＨをマッピングするシンボルの先頭値が第３シンボルであり、自セルのＰＤＳＣＨをマッピングするシンボルの先頭値が第４シンボルである場合、セルは、周辺セルのＣｏＭＰ対象のＵＥへのデータのうち、第４シンボル以降のＰＤＳＣＨにマッピングされているデータを、自セルの第４シンボル以降にマッピングして送信する。この場合、周辺セルのＣｏＭＰ対象のＵＥへのデータのうち、第３シンボルにマッピングされているデータは、自セルからは送信しない。
【０２１０】
逆に、周辺セルのＰＤＳＣＨをマッピングするシンボルの先頭値が第４シンボルであり、自セルのＰＤＳＣＨをマッピングするシンボルの先頭値が第３シンボルである場合、セルは、周辺セルのＣｏＭＰ対象のＵＥへのデータを自セルの第４シンボル以降にマッピングして送信する。この場合、セルは、自セルの第３シンボルでは、何も送信しなくてもよいし、他のＵＥへのデータをマッピングして送信してもよい。
【０２１１】
前記（４）のようにすることによって、ＣｏＭＰセット内などで予め同一の値を決めてしまう場合よりも柔軟なリソースの使用が可能となる。また、ＣｏＭＰ送信の際のリソースの使用効率を向上させ、スループットの改善を図ることができる。
【０２１２】
前記（４）の方法の場合、自セルは、周辺セルにおけるＣｏＭＰ対象のＵＥへのＰＤＳＣＨが、どのシンボルにマッピングされるかを認識しておくとよい。このために、ＣｏＭＰセット内の各セルは、自セルのＰＤＳＣＨがマッピングされるシンボルに関する情報を、スケジューリングのための情報に含めて、あるいは該情報と一緒に、周辺セルに通知する。ＰＤＳＣＨがマッピングされるシンボルに関する情報の具体例として、ＰＤＳＣＨがマッピングされるシンボル、あるいはＰＤＣＣＨｓのために用いるＯＦＤＭシンボル数、あるいはＰＣＦＩＣＨの値、あるいはＰＤＳＣＨをマッピングするシンボルの先頭値などがある。
【０２１３】
このようにＣｏＭＰセット内の各セルが、自セルのＰＤＳＣＨがマッピングされるシンボルに関する情報を周辺セルに通知することによって、ＣｏＭＰセット内の各セルは、周辺セルのＰＤＳＣＨがマッピングされるシンボルを認識することができる。これによって、自セルと周辺セルとでＣｏＭＰ対象のＵＥへのデータをマッピングするシンボルを確実に同一にしてＣｏＭＰ送信することが可能となる。
【０２１４】
（５）ＰＤＳＣＨがマッピングされるシンボルが同一のセルのみをＣｏＭＰセットに含める。ＰＤＣＣＨｓのために用いるＯＦＤＭシンボル数、あるいはＰＣＦＩＣＨの値、あるいはＰＤＳＣＨをマッピングするシンボルの先頭値が同一のセルのみを、ＣｏＭＰセットに含めてもよい。具体的には、例えば、ＣｏＭＰ対象のＵＥのために、ＣｏＭＰセットを、ＰＤＳＣＨをマッピングするシンボルの先頭値が第４シンボルであるセルで構成する、などである。前記（５）のようにすることによって、ＣｏＭＰセット内のセルのＰＤＳＣＨがマッピングされるシンボルが同一となり、ＣｏＭＰ送信するＰＤＳＣＨをマッピングするシンボルを統一することができる。
【０２１５】
各セルのＰＤＳＣＨがマッピングされるシンボルについての情報は、各セルからＣｏＭＰセットを構成するノード、例えば集中ノード、ＣｏＭＰ制御ノード、ＭＭＥ、ＨｅＮＢ、ＨｅＮＢＧＷなどに予め通知しておくとよい。あるいは、各セルからＣｏＭＰセットを構成するノード経由で周辺セルに通知するようにしてもよい。各セルがＣｏＭＰセットを構成する場合は、各セル間でＰＤＳＣＨがマッピングされるシンボルについての情報を交換しておくとよい。
【０２１６】
ＬＴＥおよびＬＴＥ−Ａでは、サブフレーム毎のＯＦＤＭシンボル数は、サイクリックプリフィクス（Cyclic Prefix：ＣＰ）あるいはサブキャリアの周波数間隔によって異なる。したがって、前述と同様の問題が生じる。
【０２１７】
この問題を解消する方法として、前記（５）の方法を適用してもよい。前記（５）のＰＤＳＣＨがマッピングされるシンボルについての情報の代わりに、ＣＰ情報およびサブキャリアの周波数間隔情報のうちの少なくともいずれか一つとすればよい。あるいは、前記（５）のＰＤＳＣＨがマッピングされるシンボルについての情報に、ＣＰ情報およびサブキャリアの周波数間隔情報のうちの少なくともいずれか一つを加えればよい。このようにすることによって、ＣｏＭＰセット内のセルのＰＤＳＣＨがマッピングされるシンボルの構成が同一となり、ＣｏＭＰ送信するＰＤＳＣＨをマッピングするシンボルを統一することができる。
【０２１８】
各セルのＣＰ情報あるいはサブキャリアの周波数間隔情報は、各セルからＣｏＭＰセットを構成するノード、例えば集中ノード、ＣｏＭＰ制御ノード、ＭＭＥ、ＨｅＮＢ、ＨｅＮＢＧＷなどに予め通知しておくとよい。あるいは、各セルからＣｏＭＰセットを構成するノード経由で周辺セルに通知するようにしてもよい。各セルがＣｏＭＰセットを構成する場合は、各セル間で、ＣＰ情報およびサブキャリアの周波数間隔情報のうちの少なくともいずれか一つを交換しておくとよい。
【０２１９】
図２２は、実施の形態１におけるＣｏＭＰを行うときのシーケンスの一例を示す図である。図２２に示すシーケンスは、図１８に示すシーケンスと類似しているので、同一のステップについては、同一のステップ番号を付して、共通する説明を省略する。
【０２２０】
ステップＳＴ１８０１〜ステップＳＴ１８０３において、各セルは、スケジューリングのための情報導出処理を行う。次いで、ステップＳＴ１８０４〜ステップＳＴ１８０９において、各セルは、ＣｏＭＰを行う他のセルとの間で、スケジューリングのための情報の交換を行う。
【０２２１】
ステップＳＴ２２０１において、セル１は、セル３から受信したスケジューリングのための情報を無視し、セル２から受信したスケジューリングのための情報を用いてスケジューリングを行う。あるいは、セル１は、セル３から受信したスケジューリングのための情報を用いずに、セル２から受信したスケジューリングのための情報を用いてスケジューリングを行う。セル３から受信したスケジューリングのための情報を無視する場合、およびセル３から受信したスケジューリングのための情報を用いない場合のいずれの場合でも、セル１は、自セルのスケジューリングのための情報を考慮してスケジューリングを行う。
【０２２２】
セル１は、ステップＳＴ２２０１の処理を終了した後は、ステップＳＴ１８１３に移行する。ステップＳＴ１８１３において、セル１は、ステップＳＴ２２０１のスケジューリングの結果に基づいて、信号を送信する。
【０２２３】
ステップＳＴ２２０３において、セル３は、セル１から受信したスケジューリングのための情報を無視し、セル２から受信したスケジューリングのための情報を用いてスケジューリングを行う。あるいは、セル３は、セル１から受信したスケジューリングのための情報を用いずに、セル２から受信したスケジューリングのための情報を用いてスケジューリングを行う。セル１から受信したスケジューリングのための情報を無視する場合、およびセル１から受信したスケジューリングのための情報を用いない場合のいずれの場合でも、セル３は、自セルのスケジューリングのための情報を考慮してスケジューリングを行う。
【０２２４】
セル３は、ステップＳＴ２２０３の処理を終了した後は、ステップＳＴ１８１５に移行する。ステップＳＴ１８１５において、セル３は、ステップＳＴ２２０３のスケジューリングの結果に基づいて、信号を送信する。
【０２２５】
ステップＳＴ２２０２において、セル２は、セル１およびセル３から受信したスケジューリングのための情報を用いてスケジューリングを行う。このとき、セル２は、自セルのスケジューリングのための情報も考慮してスケジューリングを行う。セル２は、ステップＳＴ２２０２の処理を終了した後は、ステップＳＴ１８１４に移行する。ステップＳＴ１８１４において、セル２は、ステップＳＴ２２０２のスケジューリングの結果に基づいて、信号を送信する。
【０２２６】
以上のように、ステップＳＴ１８０４〜ステップＳＴ１８０９において、各セルは、周辺セルにスケジューリングのための情報を通知し、周辺セルからのスケジューリングのための情報を受信する。周辺セルからのスケジューリングのための情報を受信するときに、受信した該情報が、どのセルから送信された情報であるかを認識可能にしておく必要がある。したがって、本実施の形態では、各セルは、スケジューリングのための情報に付随して、自セルのセル識別子を、周辺セルへ通知するように構成される。セル識別子としては、識別番号、Ｃｅｌｌ−ＩＤ、ＧＣＩ、ＰＣＩなどを用いるとよい。
【０２２７】
スケジューリングのための情報に自セルのセル識別子を付随させることによって、該情報を受信したセルは、どのセルから送信された情報であるかを認識することが可能となる。これによって、ステップＳＴ２２０１、ステップＳＴ２２０２およびステップＳＴ２２０３において、各セルは、特定のセルからのスケジューリングのための情報を無視することが可能となる。
【０２２８】
以上のようにすることによって、ＣｏＭＰセット内のセル間で協調して送信するタイミングを大きく遅延させることが無くなる。これによって、セル間協調スケジューリングに大きな遅延を生じさせることなく、通信システムにおけるスループットなどの性能の改善を図ることができる。
【０２２９】
前述の例では、セル間の一つのＩＦの遅延量が大きい場合について示したが、他の例として、一つのセルの処理遅延が大きい場合について、以下に示す。
【０２３０】
図２３は、一つのセルの処理遅延が大きい場合に、実施の形態１におけるＣｏＭＰを行うときの各セルの動作の一例を示すタイミングチャートである。図２３では、図１９に示した同一の処理には同一の参照符号を付して、共通する説明を省略する。また、図２３の矢印は、セル間での情報の交換、換言すれば情報の送受信を示している。図２３では、他のセルに比べて、セル３のスケジューリングのための情報導出処理の遅延が大きくなった場合について示している。
【０２３１】
セル３のスケジューリングのための情報導出処理の遅延量が大きい場合、セル１は、セル２からのスケジューリングのための情報を早く受信することができるが、参照符号「Ｓ１３」で示されるセル３からのスケジューリングのための情報の受信は、その遅延量が大きい分、遅延することになる。同様に、セル２は、セル１からのスケジューリングのための情報を早く受信することができるが、参照符号「Ｓ２３」で示されるセル３からのスケジューリングのための情報の受信は、その遅延量が大きい分、遅延することになる。セル３は、セル１あるいはセル２から、スケジューリングのための情報を早く受信することができる。
【０２３２】
本実施の形態で開示する方法では、セル１は、遅延量が大きいセル３から受信したスケジューリングのための情報Ｓ１３を無視する。同様に、セル２は、遅延量が大きいセル３から受信したスケジューリングのための情報Ｓ２３を無視する。このように各セルは、大きく遅延して通知されるセルからのスケジューリングのための情報を無視して、他のセルからのスケジューリングのための情報を用いてスケジューリングを行う。スケジューリングを行った各セルは、該スケジューリングの結果に基づいて信号を送信する。各セルは、大きく遅延して通知されたスケジューリングのための情報を無視するので、ＣｏＭＰセット内のセル間で協調して送信するタイミングを大きく遅延させることが無くなる。
【０２３３】
図２４は、一つのセルの処理遅延が大きい場合に、実施の形態１におけるＣｏＭＰを行うときのシーケンスの一例を示す図である。図２４にシーケンスは、図１８に示すシーケンスと類似しているので、同一のステップについては、同一のステップ番号を付して、共通する説明を省略する。
【０２３４】
ステップＳＴ１８０１〜ステップＳＴ１８０３において、各セルは、スケジューリングのための情報導出処理を行う。ステップＳＴ１８０４〜ステップＳＴ１８０９において、各セルは、ＣｏＭＰを行う他のセルとの間で、スケジューリングのための情報の交換を行う。
【０２３５】
ステップＳＴ２４０１において、セル１は、セル３から送信されるスケジューリングのための情報を無視し、セル２から受信したスケジューリングのための情報を用いてスケジューリングを行う。あるいは、セル１は、セル３から送信されるスケジューリングのための情報を用いずに、セル２から受信したスケジューリングのための情報を用いてスケジューリングを行う。セル３から送信されるスケジューリングのための情報を無視する場合、およびセル３から送信されるスケジューリングのための情報を用いない場合のいずれの場合でも、セル１は、自セルのスケジューリングのための情報を考慮してスケジューリングを行う。
【０２３６】
セル１は、スケジューリングを行うと、ステップＳＴ１８１３に移行する。ステップＳＴ１８１３において、セル１は、ステップＳＴ２４０１のスケジューリングの結果に基づいて、信号を送信する。
【０２３７】
ステップＳＴ２４０２において、セル２は、セル３から送信されるスケジューリングのための情報を無視し、セル１から受信したスケジューリングのための情報を用いてスケジューリングを行う。あるいは、セル２は、セル３から送信されるスケジューリングのための情報を用いずに、セル１から受信したスケジューリングのための情報を用いてスケジューリングを行う。セル３から送信されるスケジューリングのための情報を無視する場合、およびセル３から送信されるスケジューリングのための情報を用いない場合のいずれの場合でも、セル２は、自セルのスケジューリングのための情報を考慮してスケジューリングを行う。
【０２３８】
セル２は、スケジューリングを行うと、ステップＳＴ１８１４に移行する。ステップＳＴ１８１４において、セル２は、ステップＳＴ２４０２のスケジューリングの結果に基づいて、信号を送信する。
【０２３９】
ステップＳＴ２４０３において、セル３は、セル１およびセル２から受信したスケジューリングのための情報を用いてスケジューリングを行う。このとき、セル３は、自セルのスケジューリングのための情報も考慮してスケジューリングを行う。セル３は、スケジューリングを行うと、ステップＳＴ１８１５に移行する。ステップＳＴ１８１５において、セル３は、ステップＳＴ２４０３のスケジューリングの結果に基づいて、信号を送信する。
【０２４０】
以上のようにすることによって、ＣｏＭＰセット内のいずれかのセルにおいて、スケジューリングのための情報導出処理の遅延が大きい場合でも、前述の図２１および図２２に示す例と同様の効果を得ることができる。
【０２４１】
以上のように本実施の形態では、セルは、ＣｏＭＰセット内の他のセルから通知されるスケジューリングのための情報のうち、一つまたは複数の他セルからのスケジューリングのための情報を用いずにスケジューリングを行うことが可能に構成される。具体的には、セルは、遅延の大きいセルから通知されるスケジューリングのための情報を無視し、セル間協調スケジューリングに用いないようにする。これによって、複数のセル間における遅延の影響を可及的に抑えることができる。したがって、通信システムにおけるスループットなどの性能の改善を図ることができる。
【０２４２】
また、何らかの原因で遅延が大きくなったセルから通知されるスケジューリングのための情報を無視することも可能となる。例えば、バックホール回線として無線、例えばミリ波が用いられるような場合、電波環境によっては遅延が大きくなる場合が考えられる。このような場合に、遅延が大きいセルから通知されるスケジューリングのための情報を無視することによって、ＣｏＭＰセット内のセル間で協調して送信するタイミングを大きく遅延させることなく、同期させることができる。
【０２４３】
これによって、周辺セルにおける電波環境を即座に自セルに反映させることができる。したがって、通信システムにおけるスループットなどの性能の改善を図ることができる。
【０２４４】
本実施の形態では、各セルが、遅延が大きいと判断するための基準を設けてもよい。各セルが、遅延が大きいと判断する具体的な方法を以下に開示する。各セルは、所定のタイミングあるいは所定の時間内に通知されなかったセルからの情報を無視する。
【０２４５】
他セルから通知されるスケジューリングのための情報が、所定のタイミングあるいは所定の時間内に通知されないことは、非使用条件に相当する。各セルは、他のセルから通知されて取得されるスケジューリングのための情報のうち、予め定める非使用条件を満足する情報を用いずに、非使用条件を満足しない情報を用いて、スケジューリングを行う。前述の所定のタイミングあるいは所定の時間内に通知されなかった情報は、非使用条件を満足する情報に相当し、所定のタイミングあるいは所定の時間内に通知された情報は、非使用条件を満足しない情報に相当する。
【０２４６】
所定のタイミングあるいは所定の時間の具体例として、以下の（１）〜（６）の６つを開示する。（１）無線フレームナンバあるいは無線フレーム数、（２）サブフレームナンバあるいはサブフレーム数、（３）シンボルナンバあるいはシンボル数、（４）特定のタイミングからの所定の時間後のタイミング、（５）特定のタイミングから所定の時間前のタイミング、（６）前記（１）〜（５）の組合せ。
【０２４７】
前記具体例（４）の特定のタイミングからの所定の時間後のタイミングの例として、スケジューリングのための情報導出処理の終了タイミングから所定の時間後のタイミングとし、それ以降に通知された情報を無視する。
【０２４８】
前記具体例（５）の特定のタイミングから所定の時間前のタイミングの例として、次送信サブフレームの先頭から所定の時間前のタイミングとし、それ以降に通知された情報を無視する。
【０２４９】
また、所定のタイミングあるいは所定の時間をタイマとして設定してもよい。所定のタイミングあるいは所定の時間は、静的な値として、予め規格あるいはオペレータによって決められていてもよい。また、準静的な値として、ＣｏＭＰセット内セルを管理および制御するためのノード、例えばＣｏＭＰ制御ノード、ＭＭＥ、ＨｅＮＢＧＷ、またはＯＡＭによって、各セルに通知されるようにしてもよい。この通知には、ＣｏＭＰ専用ＩＦを用いてもよいし、ＣｏＭＰ制御ノードとセル間ＩＦ、Ｓ１−ＩＦ、Ｘ２−ＩＦ、ＯＡＭ用ＩＦなどを用いてもよい。
【０２５０】
所定のタイミングあるいは所定の時間をタイマとして設定することは、前述の非使用条件を、他のセルからスケジューリングのための情報が通知される予定時刻から、予め定める時間が経過することに相当する。すなわち各セルは、他のセルから通知されて取得されるスケジューリングのための情報のうち、他のセルからスケジューリングのための情報が通知される予定時刻から、予め定める時間が経過して取得された情報を用いずに、予め定める時間以内に取得された情報を用いて、スケジューリングを行う。
【０２５１】
図２５は、所定のタイミングをタイマとして設定した場合に、実施の形態１におけるＣｏＭＰを行うときの各セルの動作の一例を示すタイミングチャートである。図２５では、図２０に示した同一の処理には同一の参照符号を付して、共通する説明を省略する。また、図２５の矢印は、セル間での情報の交換、換言すれば情報の送受信を示している。図２５では、図２０と同様に、セル１とセル３との間のＩＦの遅延量が大きい場合について示している。
【０２５２】
各セルは、スケジューリングのための情報導出処理の終了タイミングで、タイマを起動する。タイマの時間をＴｘとし、時間Ｔｘが経過した後に受信した他セルからのスケジューリングのための情報を無視する。
【０２５３】
セル１とセル３との間のＩＦの遅延量が大きいので、セル１から通知されるスケジューリングのための情報Ｓ１１がセル３に届くのは、タイマの時間Ｔｘが経過した後になる。同様に、セル３から通知されるスケジューリングのための情報Ｓ１３がセル１に届くのは、タイマの時間Ｔｘが経過した後になる。セル１は、タイマの時間Ｔｘが経過した後に受信したセル３からのスケジューリングのための情報Ｓ１３を無視する。セル３は、タイマの時間Ｔｘが経過した後に受信したセル１からのスケジューリングのための情報Ｓ１１を無視する。
【０２５４】
他方、セル２は、タイマの時間Ｔｘが経過した後に受信するスケジューリングのための情報がないので、いずれのセルからのスケジューリングのための情報も無視しない。
【０２５５】
各セルは、タイマの時間Ｔｘが経過した後にタイマをリセットし、次のスケジューリングのための情報導出処理の終了タイミングで、再度、タイマを起動する。
【０２５６】
スケジューリングのための情報導出処理の終了タイミングは、許容終了タイミングとしてもよい。この場合、各セルは、許容終了タイミングまでにスケジューリングのための情報導出処理を行うようにする。また、許容終了タイミングは、全てのセルに同じ値が設定されてもよいし、セル毎に値が設定されてもよい。
【０２５７】
図２６は、所定のタイミングをタイマとして設定した場合に、実施の形態１におけるＣｏＭＰを行うときの各セルの処理手順の一例を示すフローチャートである。
【０２５８】
各セルは、ステップＳＴ２６０１において、スケジューリングのための情報導出処理を行う。スケジューリングのための情報導出処理を終了すると、ステップＳＴ２６０２に移行する。
【０２５９】
ステップＳＴ２６０２において、各セルは、ステップＳＴ２６０１のスケジューリングのための情報導出処理の終了タイミングでタイマを起動する。タイマを起動すると、ステップＳＴ２６０３に移行する。
【０２６０】
ステップＳＴ２６０３において、各セルは、スケジューリングのための情報を周辺セルに送信する。スケジューリングのための情報は、スケジューリングに用いられる情報である。各セルは、スケジューリングのための情報を周辺セルに送信すると、ステップＳＴ２６０４に移行する。
【０２６１】
ステップＳＴ２６０４において、各セルは、タイマが終了したか否かを判断する。ステップＳＴ２６０４において、各セルが、タイマが終了していないと判断した場合は、ステップＳＴ２６０５に移行する。ステップＳＴ２６０５において、各セルは、周辺セルからスケジューリングのための情報を受信する。各セルは、周辺セルからスケジューリングのための情報を受信すると、ステップＳＴ２６０４に戻り、タイマが終了したか否かの判断を繰返す。ステップＳＴ２６０４において、各セルが、タイマが終了したと判断した場合は、ステップＳＴ２６０６に移行する。
【０２６２】
ステップＳＴ２６０６において、各セルは、タイマの終了時刻より後に受信した情報を無視する。タイマの終了時刻より後に受信した情報を無視すると、ステップＳＴ２６０７に移行する。
【０２６３】
ステップＳＴ２６０７において、各セルは、タイマの終了時刻以前に受信した情報を用いてスケジューリングを行う。このとき、各セルは、自セルのスケジューリングのための情報も考慮してスケジューリングを行う。スケジューリングが終了すると、ステップＳＴ２６０８に移行する。
【０２６４】
ステップＳＴ２６０８において、各セルは、ステップＳＴ２６０７でのスケジューリングの結果に基づいて、信号を送信する。スケジューリングの結果に基づいて信号を送信すると、ステップＳＴ２６０９に移行する。
【０２６５】
ステップＳＴ２６０９において、各セルは、ＣｏＭＰ動作を継続するか否かを判断する。ステップＳＴ２６０９において、各セルが、ＣｏＭＰ動作を継続すると判断した場合は、ステップＳＴ２６０１に戻り、前述の処理を繰り返し、ＣｏＭＰ動作を継続しないと判断した場合は、ＣｏＭＰ動作を終了する。
【０２６６】
このように各セルは、遅延が大きいと判断するための基準となる所定のタイミングをタイマとして設定する。これによって、前述した効果を得ることが可能となるとともに、時間の管理を明確化することができ、複数のセル間での共通化が可能となる。したがって、ＣｏＭＰセット内のセル間のＣｏＭＰ動作を容易にすることができる。
【０２６７】
本実施の形態で開示した方法において、各セルがスケジューリングのための情報を送信するセルについては、一つまたは複数のセルでもよく、さらには選択的に決定されてもよい。例えば、各セルは、ＵＥのメジャメント報告に基づいて、サービングセル以外のセルのうちで、受信電力がより大きいセルを、スケジューリングのための情報を送信するセルと決定する。
【０２６８】
スケジューリングのための情報をセル間で送受信するのではなく、ＵＥからサービングセル以外の一つまたは複数のセルに対して送信するようにしてもよい。例えば、セル共通の識別コードを設けて、ＵＥは、送信データをセル共通の識別コードおよびＵＥ毎の識別コードでスクランブリングして送信する。セルは、セル共通の識別コードおよびＵＥ毎の識別コードでデスクランブリングして受信する。各セルは、周辺セルの傘下のＵＥの識別コードを予め交換しておくとよい。
【０２６９】
セル共通の識別コードは、上りリファレンスシグナルのシーケンスコードとして用いてもよい。上りリファレンスシグナルの具体例として、下りＣｏＭＰのフィードバック情報送信のための上りリファレンスシグナル、上りＣｏＭＰのための上りリファレンスシグナルなどがある。
【０２７０】
セル共通の識別コードは、ＣｏＭＰセットを構成するセルで共通であってもよい。また、ＣｏＭＰセット毎に異なっていてもよい。あるいは、システムとして全てのセルで共通としてもよい。
【０２７１】
セル共通の識別コードは、セル共通の識別子であってもよい。またセル共通の識別コードは、予め規格あるいはオペレータによって決められていてもよく、あるいは、準静的にＣｏＭＰ制御ノードによって決められ、セルが傘下のＵＥに通知するようにしてもよい。予め何通りかの識別コードが決められ、その中のどれを使うかが準静的に決められるようにしてもよい。
【０２７２】
また、ＵＥは、サービングセル以外の一つまたは複数のセルに対して送信することを認識しないようにしてもよい。例えば、ＵＥは送信データを、サービングセルの識別コードおよびＵＥ毎の識別コードでスクランブリングして送信する。セルは、周辺セルの識別コードおよびＵＥ毎の識別コードでデスクランブリングして受信する。セルは、周辺セルの識別コードを予め交換しておくとよい。このようにすることによって、複数のセルの識別子を用いて複数の信号を送信する必要が無くなるので、制御が容易になり、制御のための消費電力を削減することができる。
【０２７３】
実施の形態１  変形例１．
前述の実施の形態１では、各セルが、遅延が大きいセルから通知されるスケジューリングのための情報を無視することとした。本変形例では、スケジューリングのための情報導出処理の時間が所定の時間を経過したとき、各セルが、スケジューリングのための情報を周辺セルに通知しないようにする。
【０２７４】
図２７は、実施の形態１の変形例１におけるＣｏＭＰを行うときの各セルの動作の一例を示すタイミングチャートである。図２７では、図２３に示した同一の処理には同一の参照符号を付して、共通する説明を省略する。また、図２７の矢印は、セル間での情報の交換、換言すれば情報の送受信を示している。図２７では、図２３と同様に、セル３のスケジューリングのための情報導出処理の遅延が大きくなった場合について示している。
【０２７５】
前述のタイマは、複数設定してもよい。図２７に示す例では、２種類のタイマを設定する場合を示す。２種類のタイマとは、タイマ期間がＴ１のタイマ１と、タイマ期間がＴ２のタイマ２である。タイマ１は、スケジューリングのための情報を周辺セルに通知するか否かを判断するために用いられる。タイマ２は、受信したスケジューリングのための情報を無視するか否かを判断するために用いられる。
【０２７６】
各セルは、スケジューリングのための情報導出処理の開始タイミングで、タイマ１を起動する。タイマ１の時間Ｔ１が経過する前に、スケジューリングのための情報導出処理が終了していれば、各セルは、周辺セルにスケジューリングのための情報を通知し、スケジューリングのための情報導出処理が終了していなければ、各セルは、周辺セルにスケジューリングのための情報を通知しないようにする。
【０２７７】
各セルは、タイマ１の終了のタイミングで、タイマ２を起動する。各セルは、タイマ２の時間Ｔ２が経過した後に受信した他セルからのスケジューリングのための情報を無視する。
【０２７８】
セル１およびセル２は、スケジューリングのための情報導出処理の遅延量が小さいので、タイマ１の時間Ｔ１が経過する前に、スケジューリングのための情報導出処理を終了する。したがって、セル１およびセル２は、周辺セルへスケジューリングのための情報を通知する。
【０２７９】
他方、セル３は、スケジューリングのための情報導出処理の遅延量が大きいので、タイマ１の時間Ｔ１が経過するまでに、スケジューリングのための情報導出処理を終了しない。したがって、セル３は、周辺セルへスケジューリングのための情報を通知しないようにする。
【０２８０】
セル１は、タイマ２の時間Ｔ２が経過する前に受信したセル２からのスケジューリングのための情報を用いて、スケジューリングを行う。このとき、セル１は、自セルのスケジューリングのための情報も考慮してスケジューリングを行う。この時点では、セル３からは、スケジューリングのための情報が通知されていないので、セル１は、セル３からのスケジューリングのための情報を用いない。
【０２８１】
同様に、セル２は、タイマ２の時間Ｔ２が経過する前に受信したセル１からのスケジューリングのための情報を用いて、スケジューリングを行う。このとき、セル２は、自セルのスケジューリングのための情報も考慮してスケジューリングを行う。この時点では、セル３からは、スケジューリングのための情報が通知されていないので、セル２は、セル３からのスケジューリングのための情報を用いない。
【０２８２】
セル３は、タイマ２の時間Ｔ２が経過する前に受信したセル１およびセル２からのスケジューリングのための情報を用いて、スケジューリングを行う。このとき、セル３は、自セルのスケジューリングのための情報も考慮してスケジューリングを行う。
【０２８３】
タイマ１およびタイマ２は、それぞれ、設定された時間Ｔ１，Ｔ２が経過した後にリセットされ、次のタイマの起動タイミングで、再度、起動される。
【０２８４】
以上のように本変形例では、スケジューリングのための情報導出処理の遅延量が大きいセルは、スケジューリングのための情報を通知しない。したがって、各セルは、スケジューリングのための情報導出処理の遅延量が大きいセルからのスケジューリングのための情報を用いずに、その他の周辺セルからのスケジューリングのための情報を用いてスケジューリングを行う。スケジューリングを行った各セルは、該スケジューリングの結果に基づいて、信号を送信する。したがって、ＣｏＭＰセット内のセル間で協調して送信するタイミングを大きく遅延させることが無くなる。
【０２８５】
また本変形例によれば、前述の実施の形態１で得られた効果と同様の効果が得られる。また、無駄なシグナリングの削減が可能となるので、シグナリング負荷を低減することができる。
【０２８６】
実施の形態１  変形例２．
前述の実施の形態１で開示した所定のタイミング、あるいは所定の時間は、セル毎に設定されてもよい。本変形例では、所定のタイミング、あるいは所定の時間をセル毎に設定する方法を開示する。
【０２８７】
図２８は、実施の形態１の変形例２におけるＣｏＭＰを行うときの各セルの動作の一例を示すタイミングチャートである。図２８では、図２５に示した同一の処理には同一の参照符号を付して、共通する説明を省略する。また、図２８の矢印は。セル間での情報の交換、換言すれば情報の送受信を示している。図２８では、セル毎に設定する所定のタイミングあるいは所定の時間の設定方法について、前述の図２５と異なる方法を開示する。
【０２８８】
例えば、セル毎に設定する所定のタイミングあるいは所定の時間を、スケジューリングの結果に基づいて信号を送信する送信タイミングの先頭から所定のタイミングあるいは所定の時間とする。
【０２８９】
セル１において設定された、次の送信タイミングの先頭からの時間をＴｃ１とする。セル１は、次の送信タイミングから、時間Ｔｃ１前のタイミングを経過したか否かで、周辺セルからのスケジューリングのための情報を無視するか否かを判断する。
【０２９０】
同様に、セル２において設定された、次の送信タイミングの先頭からの時間をＴｃ２とする。セル２は、次の送信タイミングから、時間Ｔｃ２前のタイミングを経過したか否かで、周辺セルからのスケジューリングのための情報を無視するか否かを判断する。
【０２９１】
同様に、セル３において設定された、次の送信タイミングの先頭からの時間をＴｃ３とする。セル３は、次の送信タイミングから、時間Ｔｃ３前のタイミングを経過したか否かで、周辺セルからのスケジューリングのための情報を無視するか否かを判断する。
【０２９２】
本変形例では、次の送信タイミングの先頭からの時間Tｃ１，Ｔｃ２，Ｔｃ３は、各セルで個別に設定されるが、セル毎に共通に設定されてもよい。また、ＣｏＭＰ内セルの一部のセルが共通で、他のセルが個別に設定されるようにしてもよい。
【０２９３】
図２８に示す例では、セル１が、セル２からのスケジューリングのための情報を受信するのは、次の送信タイミングの先頭から時間Ｔｃ１前のタイミング以前になる。セル１が、参照符号「Ｓ３３」で示されるセル３からのスケジューリングのための情報を受信するのは、次の送信タイミングの先頭から時間Ｔｃ１前のタイミングより後になる。セル１は、次の送信タイミングの先頭から時間Ｔｃ１前のタイミングより後に受信した情報、すなわちセル３からのスケジューリングのための情報Ｓ３３を無視し、次の送信タイミングの先頭から時間Ｔｃ１前のタイミング以前に受信した情報、すなわちセル２からのスケジューリングのための情報を用いて、スケジューリングを行う。このとき、セル１は、自セルのスケジューリングのための情報も考慮してスケジューリングを行う。セル１は、該スケジューリングの結果に基づいて、信号を送信する。
【０２９４】
セル２が、参照符号「Ｓ４３」で示されるセル３からのスケジューリングのための情報を受信するのは、次の送信タイミングの先頭から時間Ｔｃ２前のタイミングより後になる。セル２が、セル１からのスケジューリングのための情報を受信するのは、次の送信タイミングの先頭から時間Ｔｃ２前のタイミング以前になる。セル２は、次の送信タイミングの先頭から時間Ｔｃ２前のタイミングより後に受信した情報、すなわちセル３からのスケジューリングのための情報Ｓ４３を無視し、次の送信タイミングの先頭から時間Ｔｃ２前のタイミング以前に受信した情報、すなわちセル１からのスケジューリングのための情報を用いて、スケジューリングを行う。このとき、セル２は、自セルのスケジューリングのための情報も考慮してスケジューリングを行う。セル２は、該スケジューリングの結果に基づいて、信号を送信する。
【０２９５】
セル３が、セル１からのスケジューリングのための情報を受信するのは、次の送信タイミングの先頭から時間Ｔｃ３前のタイミング以前になる。セル３が、セル２からのスケジューリングのための情報を受信するのは、次の送信タイミングの先頭から時間Ｔｃ３前のタイミング以前になる。セル３は、次の送信タイミングの先頭から時間Ｔｃ３前のタイミング以前に受信した情報、すなわちセル１およびセル２からのスケジューリングのための情報を用いて、スケジューリングを行う。このとき、セル３は、自セルのスケジューリングのための情報も考慮してスケジューリングを行う。セル３は、該スケジューリングの結果に基づいて、信号を送信する。
【０２９６】
このように、所定のタイミング、あるいは所定の時間をセル毎に設定することによって、セル毎の処理負荷および処理速度の少なくともいずれか一方に応じて、適切なタイミングを設定することができる。したがって、周辺セルにおける電波環境を即座に自セルに反映させることがさらに容易になるので、通信システムにおけるスループットなどの性能を、より一層改善することができる。
【０２９７】
セル毎に設定される、所定のタイミングあるいは所定の時間は、静的な値として予め規格あるいはオペレータによって決められていてもよい。これによって、シグナリングを省略することができる。また、準静的あるいは動的な値として、ＣｏＭＰセット内セルを管理および制御するためのノードであるＣｏＭＰ制御ノード、ＭＭＥ、ＨｅＮＢＧＷおよびＯＡＭによって、各セルに通知されるようにしてもよい。この通知には、ＣｏＭＰ専用ＩＦを用いてもよいし、ＣｏＭＰ制御ノードとセル間ＩＦ、Ｓ１−ＩＦ、Ｘ２−ＩＦ、ＯＡＭ用ＩＦなどを用いてもよい。
【０２９８】
したがって、ＣｏＭＰセット内の状況を反映することが可能となり、さらに通信システムにおけるスループットの性能の改善を図ることができる。また、各セルが自セルの状況を反映して準静的あるいは動的に決めてもよい。これによって、ＣｏＭＰセット内の各セル特有の状況を考慮することが可能となるので、全体としてのスケジューリング効率を高めることが可能となり、さらに通信システムにおけるスループットの性能の改善を図ることができる。
【０２９９】
実施の形態２．
ＣｏＭＰセット内の一つまたは複数の他セルから通知されたスケジューリングのための情報を無視する方法は、前述の実施の形態１で開示した遅延が大きい場合のほかにも適用できる。例えば、複数のセルから、重要でないデータをＣｏＭＰによって送信しても、リソースの使用効率は悪くなる。したがって、通信システムとしてのスループットの改善を図ることはできない。
【０３００】
このような場合、ＣｏＭＰセット内の一つまたは複数の他セルから通知されたスケジューリングのための情報を無視する方法を適用するとよい。具体的には、各セルは、諸状況に応じて、ＣｏＭＰセット内の一つまたは複数の他セルから通知されたスケジューリングのための情報を無視するとよい。この場合、諸状況に適した、無視するか否かを判断する情報を設定するとよい。各セルは、該情報に基づいて、ＣｏＭＰセット内の一つまたは複数の他セルから通知されたスケジューリングのための情報を無視する。無視するか否かを判断する情報は、非使用可否情報に相当する。
【０３０１】
前記諸状況の具体例として、以下の（１）〜（９）の９つを開示する。
【０３０２】
（１）ＣｏＭＰを行う送信データのサービス品質（Quality of Service：ＱｏＳ）。この場合、各セルは、送信データのＱｏＳに応じて、周辺セルから通知されたスケジューリングのための情報を無視する。無視するか否かを判断する情報としては、ＱｏＳを表すＱｏＳ情報を用いる。各セルは、周辺セルにスケジューリングのための情報と共に、無視するか否かを判断する情報としてＱｏＳ情報を通知する。
【０３０３】
（２）ＣｏＭＰを行う送信データの種類。この場合、各セルは、送信データの種類に応じて、周辺セルから通知されたスケジューリングのための情報を無視する。無視するか否かを判断する情報としては、送信データの種類を示す情報を用いる。各セルは、周辺セルにスケジューリングのための情報と共に、無視するか否かを判断する情報として、送信データの種類を示す情報を通知する。
【０３０４】
送信データの種類の具体例として、以下の（ａ）〜（ｉ）の９つを開示する。（ａ）ロジカルチャネルの種類、（ｂ）トランスポートチャネル、（ｃ）ＰＤＣＰナンバ、（ｄ）ＰＤＣＰ  ＰＤＵ（Protocol Data Unit）のＰＤＣＰ  ＳＮ（Sequence Number）、（ｅ）ＰＤＣＰ  ＰＤＵのＰＤＵタイプ、（ｆ）ＲＬＣ  ＳＤＵ（Service Data Unit）ナンバ、（ｇ）ＲＬＣ  ＰＤＵナンバ、（ｈ）ＨＡＲＱプロセスナンバ、（ｉ）何番目の再送か。これらの（ａ）〜（ｉ）に限らず、送信データの種類が特定できればよい。
【０３０５】
（３）ＣｏＭＰを行う送信データが緊急呼に関する情報か否か。この場合、各セルは、送信データが緊急呼に関する情報か否かに応じて、周辺セルから通知されたスケジューリングのための情報を無視する。無視するか否かを判断する情報としては、緊急呼に関する情報であるか否かを示す情報を用いる。各セルは、周辺セルにスケジューリングのための情報と共に、無視するか否かを判断する情報として、緊急呼に関する情報であるか否かを示す情報を通知する。
【０３０６】
緊急呼の具体例として、以下の（ａ）〜（ｃ）の３つを開示する。（ａ）緊急呼（Emergency call）、（ｂ）ＥＴＷＳ（Earthquake and Tsunami Warning System）、（ｃ）ＣＭＡＳ（Commercial Mobile Alert System）。緊急呼は、確実にＵＥと通信が行われることが要求される。したがって、各セルは、ＣｏＭＰを行う送信データが緊急呼に関する情報を含む場合には、該送信データに対する周辺セルから通知されたスケジューリングのための情報を無視しないようにするとよい。
【０３０７】
（４）ＣｏＭＰを行う送信データに必要なリソース量。この場合、各セルは、送信データに必要なリソース量に応じて、周辺セルから通知されたスケジューリングのための情報を無視する。無視するか否かを判断する情報としては、送信データに必要なリソース量を示す情報を用いる。各セルは、周辺セルにスケジューリングのための情報と共に、無視するか否かを判断する情報として、送信データに必要なリソース量を示す情報を通知する。
【０３０８】
（５）ＣｏＭＰを行うＵＥ数。この場合、各セルは、ＣｏＭＰを行うＵＥ数に応じて、周辺セルから通知されたスケジューリングのための情報を無視する。無視するか否かを判断する情報としては、ＣｏＭＰを行うＵＥ数を示す情報を用いる。各セルは、周辺セルにスケジューリングのための情報と共に、無視するか否かを判断する情報として、自セルのＣｏＭＰを行うＵＥ数を示す情報を通知する。
【０３０９】
該情報を受信したセルは、各々のセルのＣｏＭＰを行うＵＥ数を示す情報に応じて、それぞれのセルからのスケジューリングのための情報を無視してもよい。あるいは、該情報を受信したセルは、以下のようにしてもよい。まず、該情報を受信したセルは、それぞれのセルのＣｏＭＰを行うＵＥ数を示す情報および自セルのＣｏＭＰを行うＵＥ数の少なくともいずれか一方を用いて、ＣｏＭＰを行う合計ＵＥ数を導出する。そして、該情報を受信したセルは、該合計ＵＥ数が、ＣｏＭＰ可能なＵＥ数以下になるように、スケジューリングのための情報を無視する一つまたは複数のセルを選択し、該セルからのスケジューリングのための情報を無視してもよい。
【０３１０】
（６）どのセルから通知されたか。この場合、各セルは、周辺セルから通知されたスケジューリングのための情報を通知したセルに応じて、該情報を無視する。無視するか否かを判断する情報としては、該情報がどのセルから通知されたかを示す情報を用いる。各セルは、周辺セルにスケジューリングのための情報と共に、無視するか否かを判断する情報として、自セルを認識させるための情報を通知する。自セルを認識させるための情報の具体例としては、セルの識別子でもよいし、後述の実施の形態４で開示するＣｏＭＰセルインデックス（CoMP cell index）でもよい。
【０３１１】
（７）ＣｏＭＰを行う送信データのリソースブロック（Resource Block：ＲＢ）番号およびＲＢ数の少なくともいずれか一方。この場合、各セルは、ＣｏＭＰを行う送信データのＲＢ番号およびＲＢ数の少なくともいずれか一方に応じて、周辺セルから通知されたスケジューリングのための情報を無視する。無視するか否かを判断する情報としては、ＣｏＭＰを行う送信データのＲＢ番号およびＲＢ数の少なくともいずれか一方を示す情報を用いる。各セルは、周辺セルにスケジューリングのための情報と共に、無視するか否かを判断する情報として、ＣｏＭＰを行う送信データのＲＢ番号およびＲＢ数の少なくともいずれか一方を示す情報を通知する。
【０３１２】
（８）ＰＤＳＣＨがマッピングされるシンボルに関する情報。例えば、ＰＤＳＣＨがマッピングされるシンボル、あるいはＰＤＣＣＨｓのために用いるＯＦＤＭシンボル数、あるいはＰＣＦＩＣＨの値、あるいはＰＤＳＣＨをマッピングするシンボルの先頭値。この場合、各セルは、ＰＤＳＣＨがマッピングされるシンボルに関する情報に応じて、周辺セルから通知されたスケジューリングのための情報を無視する。無視するか否かを判断する情報としては、ＰＤＳＣＨがマッピングされるシンボルに関する情報を用いる。各セルは、周辺セルにスケジューリングのための情報と共に、無視するか否かを判断する情報として、自セルのＰＤＳＣＨがマッピングされるシンボルに関する情報を通知する。
【０３１３】
（９）前記（１）〜（８）の組合せ。これらは、前述の実施の形態１から実施の形態１の変形例２と組合せてもよい。
【０３１４】
本実施の形態による具体例を、以下に開示する。ここでは諸状況が、前記具体例（１）のＣｏＭＰを行う送信データのＱｏＳである場合について示す。
【０３１５】
各セルは、送信データのＱｏＳに応じて、周辺セルから通知されたスケジューリングのための情報を無視する。無視するか否かを判断する情報としては、ＱｏＳ情報を用いる。各セルは、周辺セルにスケジューリングのための情報と共に、無視するか否かを判断する情報として、ＱｏＳ情報を通知する。また、各セルは、各セルにおいて無視するか否かを判断するための閾値として、ＱｏＳ閾値（以下「ＱｏＳｔｈ」という場合がある）を設定する。ＱｏＳｔｈは、セル毎に異なっていてもよいし、ＣｏＭＰセット内のセルで共通であってもよいし、システムとしてセル間で共通であってもよい。
【０３１６】
図２９は、実施の形態２におけるＣｏＭＰを行うときの各セルの処理手順の一例を示すフローチャートである。図２９に示すフローチャートは、図２６に示すフローチャートと類似しているので、同一のステップについては、同一のステップ番号を付して、共通する説明を省略する。
【０３１７】
各セルは、ステップＳＴ２６０１において、スケジューリングのための情報導出処理を行う。各セルは、スケジューリングのための情報導出処理を終了すると、ステップＳＴ２９０１に移行する。
【０３１８】
ステップＳＴ２９０１において、各セルは、スケジューリングのための情報と、ＣｏＭＰを行う送信データのＱｏＳ情報とを、周辺セルに通知する。各セルは、スケジューリングのための情報とＣｏＭＰを行う送信データのＱｏＳ情報とを、周辺セルに通知すると、ステップＳＴ２９０２に移行する。
【０３１９】
ステップＳＴ２９０２において、各セルは、周辺セルから、スケジューリングのための情報と、周辺各セルにおけるＣｏＭＰを行う送信データのＱｏＳ情報とを受信する。各セルは、スケジューリングのための情報と、周辺各セルにおけるＣｏＭＰを行う送信データのＱｏＳ情報とを受信すると、ステップＳＴ２９０３に移行する。
【０３２０】
ステップＳＴ２９０３において、各セルは、周辺の各セルから通知されたＣｏＭＰを行う送信データのＱｏＳが、ＱｏＳ閾値以上（ＱｏＳ≧ＱｏＳｔｈ）であるか否かを判断する。ステップＳＴ２９０３において、ＱｏＳがＱｏＳ閾値以上（ＱｏＳ≧ＱｏＳｔｈ）であると判断した場合は、各セルは、該ＱｏＳを通知したセルのスケジューリング情報を無視せずに、ステップＳＴ２９０５に移行する。あるいは、各セルは、該ＱｏＳを通知したセルの該ＱｏＳの送信データのスケジューリング情報を無視せずに、ステップＳＴ２９０５に移行する。ステップＳＴ２９０３において、ＱｏＳがＱｏＳ閾値より小さい（ＱｏＳ＜ＱｏＳｔｈ）と判断した場合は、各セルは、ステップＳＴ２９０４に移行する。
【０３２１】
ステップＳＴ２９０４において、各セルは、該ＱｏＳを通知したセルのスケジューリング情報を無視して、ステップＳＴ２９０５に移行する。あるいは、各セルは、ステップＳＴ２９０４において、該ＱｏＳを通知したセルの該ＱｏＳの送信データのスケジューリング情報を無視して、ステップＳＴ２９０５に移行する。
【０３２２】
ステップＳＴ２９０５において、各セルは、無視しないスケジューリングのための情報を用いて、スケジューリングを行う。このとき、各セルは、自セルのスケジューリングのための情報も考慮してスケジューリングを行う。スケジューリングを行うと、ステップＳＴ２６０８に移行する。
【０３２３】
ステップＳＴ２６０８において、各セルは、ステップＳＴ２９０５のスケジューリングの結果に基づいて、信号を送信する。各セルは、スケジューリングの結果に基づいて信号を送信すると、ステップＳＴ２６０９に移行する。
【０３２４】
ステップＳＴ２６０９において、各セルは、ＣｏＭＰ動作を継続するか否かを判断する。ステップＳＴ２６０９において、各セルが、ＣｏＭＰ動作を継続すると判断した場合は、ステップＳＴ２６０１に戻り、前述の処理を繰り返し、ＣｏＭＰ動作を継続しないと判断した場合は、ＣｏＭＰ動作を終了する。
【０３２５】
本実施の形態では、各セルは、ステップＳＴ２９０４において、周辺の各セルから通知されたＣｏＭＰを行う送信データのＱｏＳがＱｏＳ閾値以上であるか否かを判断して、スケジューリングのための情報を無視するか否かを判断するようにしているが、このような構成に限らない。各セルは、周辺の各セルから通知されたＣｏＭＰを行う送信データのＱｏＳだけでなく、自セルのＣｏＭＰを行う送信データのＱｏＳも含めてＱｏＳ閾値以上であるか否かを判断して、スケジューリングのための情報を無視するか否かを判断するようにしてもよい。
【０３２６】
以上のように、本実施の形態では、ＣｏＭＰを行う送信データのＱｏＳに応じて、周辺セルから通知されたスケジューリングのための情報を無視するので、ＱｏＳが低くてもよい送信データについてはＣｏＭＰを行わずに送信して、ＣｏＭＰに使われる予定であった分のリソースを他のＵＥに対して割り当てることが可能となる。これによって、ＱｏＳの低いデータを、複数のセルからＣｏＭＰによって送信しなくて済むので、リソースの使用効率を向上させることができる。したがって、通信システムにおけるスループットを向上させることができる。
【０３２７】
他の諸状況についても、各セルにおいて無視するか否かを判断するための閾値をそれぞれ設定してもよい。この場合、前述の具体例と同様のフローチャートの処理手順に従ってＣｏＭＰを行うようにすればよい。諸状況に応じてスケジューリングのための情報を無視することによって、通信システムにおけるスループットなどの性能の改善をより効果的に行うことができる。
【０３２８】
各セルにおいて設定される、無視するか否かを判断するための閾値は、静的な値として予め規格あるいはオペレータによって決められていてもよい。これによって、閾値を通知するためのシグナリングを省略することができる。
【０３２９】
また前記閾値は、準静的あるいは動的な値として、ＣｏＭＰセット内セルを管理および制御するためのノードであるＣｏＭＰ制御ノード、ＭＭＥ、ＨｅＮＢＧＷまたはＯＡＭによって、各セルに通知されるようにしてもよい。この通知には、ＣｏＭＰ専用ＩＦを用いてもよいし、ＣｏＭＰ制御ノードとセル間ＩＦ、Ｓ１−ＩＦ、Ｘ２−ＩＦ、ＯＡＭ用ＩＦなどを用いてもよい。これによって、ＣｏＭＰセット内の諸状況を反映することが可能となり、さらに通信システムにおけるスループットの性能の改善を図ることができる。
【０３３０】
また前記閾値は、各セルが自セルの状況を反映して準静的あるいは動的に決めてもよい。これによって、ＣｏＭＰセット内の各セル特有の諸状況を考慮することが可能となるので、全体としてのスケジューリング効率を高めることが可能となり、さらに通信システムにおけるスループットの性能の改善を図ることができる。
【０３３１】
実施の形態２  変形例１．
前述の実施の形態２で開示した方法では、周辺セルからスケジューリングのための情報と共に受信した、無視するか否かを判断するための情報に基づいて、各セルが、受信したスケジューリングのための情報を無視するか否かを判断するようにしているが、本変形例では他の方法について開示する。
【０３３２】
本変形例では、各セルが、諸状況に応じて、ＣｏＭＰセット内の一つまたは複数の他セルへスケジューリングのための情報を通知しないようにする。あるいは、各セルが、スケジューリングのための情報の一部あるいは全部の情報を通知しないようにしてもよい。
【０３３３】
この場合、諸状況に適した、通知するか否かを判断する情報を設定するとよい。各セルは、前記通知するか否かを判断する情報に基づいて、ＣｏＭＰセット内の一つまたは複数の他セルへスケジューリングのための情報を通知しないようにしてもよい。各セルは、前記通知するか否かを判断する情報に基づいて、ＣｏＭＰセット内の一つまたは複数の他セルへスケジューリングのための情報を通知するか否かを判断する。
【０３３４】
諸状況の具体例は、前述の実施の形態２で開示した方法を適用すればよい。また、通知するか否かを判断する情報の設定、および各セルにおいて通知するか否かを判断するための閾値に関しては、前述の実施の形態２で開示した、無視するか否かを判断する情報の設定、および各セルにおいて無視するか否かを判断するための閾値に関して開示した方法を適用すればよい。
【０３３５】
本変形例による具体例を、以下に開示する。ここでは諸状況が、前述の実施の形態２における具体例（１）のＣｏＭＰを行う送信データのＱｏＳの場合について示す。
【０３３６】
送信データのＱｏＳに応じて、スケジューリングのための情報を周辺セルへ通知しないようにする。通知するか否かを判断する情報としては、ＱｏＳ情報を用いる。各セルにおいて無視するか否かを判断するための閾値として、ＱｏＳ閾値（以下「ＱｏＳｔｈ」という場合がある）を設定する。ＱｏＳｔｈは、セル毎に異なっていてもよいし、ＣｏＭＰセット内のセルで共通であってもよいし、システムとしてセル間で共通であってもよい。
【０３３７】
図３０は、実施の形態２の変形例１におけるＣｏＭＰを行うときの各セルの処理手順の一例を示すフローチャートである。図３０に示すフローチャートは、図２６に示すフローチャートと類似しているので、同一のステップについては、同一の参照符号を付して、共通する説明を省略する。
【０３３８】
各セルは、ステップＳＴ２６０１において、スケジューリングのための情報導出処理を行う。スケジューリングのための情報導出処理を終了すると、ステップＳＴ３５０１に移行する。
【０３３９】
ステップＳＴ３５０１において、各セルは、ＣｏＭＰを行う送信データのＱｏＳがＱｏＳ閾値以上（ＱｏＳ≧ＱｏＳｔｈ）であるか否かを判断する。ステップＳＴ３５０１において、各セルが、ＱｏＳがＱｏＳ閾値以上（ＱｏＳ≧ＱｏＳｔｈ）であると判断した場合は、ステップＳＴ３５０３に移行する。ステップＳＴ３５０１において、各セルが、ＱｏＳがＱｏＳ閾値より小さい（ＱｏＳ＜ＱｏＳｔｈ）と判断した場合は、ステップＳＴ３５０２に移行する。
【０３４０】
ステップＳＴ３５０３において、各セルは、該ＱｏＳを有するＣｏＭＰを行う送信データのスケジューリングのための情報を周辺セルに送信する。各セルは、スケジューリングのための情報を周辺セルに送信すると、ステップＳＴ２６０４に移行する。ステップＳＴ３５０２において、各セルは、該ＱｏＳを有するＣｏＭＰを行う送信データのスケジューリングのための情報を周辺セルに送信せずに、ステップＳＴ２６０４に移行する。ＣｏＭＰを行う送信データが複数ある場合は、送信データ数だけステップＳＴ３５０１〜ステップＳＴ３５０３の処理を繰返すとよい。
【０３４１】
各セルは、ステップＳＴ２６０４において、周辺セルからスケジューリングのための情報を受信する。周辺セルからスケジューリングのための情報を受信すると、ステップＳＴ３５０４に移行する。
【０３４２】
各セルは、ステップＳＴ３５０４において、周辺各セルから通知されたスケジューリングのための情報を用いて、スケジューリングを行う。このとき、各セルは、自セルのスケジューリングのための情報も考慮してスケジューリングを行う。スケジューリングを行うと、ステップＳＴ２６０８に移行する。
【０３４３】
ステップＳＴ２６０８において、各セルは、スケジューリングの結果に基づいて、信号を送信する。各セルは、スケジューリングの結果に基づいて信号を送信すると、ステップＳＴ２６０９に移行する。
【０３４４】
ステップＳＴ２６０９において、各セルは、ＣｏＭＰ動作を継続するか否かを判断する。ステップＳＴ２６０９において、各セルが、ＣｏＭＰ動作を継続すると判断した場合は、ステップＳＴ２６０１に戻り、前述の処理を繰り返し、ＣｏＭＰ動作を継続しないと判断した場合は、ＣｏＭＰ動作を終了する。
【０３４５】
ＣｏＭＰを行う送信データのＱｏＳがＱｏＳ閾値以上であるか否かの判断は、ステップＳＴ２６０１のスケジューリングのための情報導出処理の前に行ってもよい。ＣｏＭＰを行う送信データのＱｏＳがＱｏＳ閾値以上である場合は、スケジューリングのための情報導出処理を行い、スケジューリングのための情報を周辺セルに送信する。他方、ＣｏＭＰを行う送信データのＱｏＳがＱｏＳ閾値よりも小さい場合は、スケジューリングのための情報導出処理を省略してもよい。スケジューリングのための情報導出処理を省略した場合は、スケジューリングのための情報を周辺セルに送信することもしない。
【０３４６】
このようにすることによって、前述の実施の形態２と同様の効果が得られると共に、周辺セルへ通知するスケジューリングのための情報を低減することができ、セル間のシグナリング量を低減することが可能となる。
【０３４７】
実施の形態２  変形例２．
本変形例では、自セルの状況によって、ＣｏＭＰセット内の一つまたは複数の他セルから通知されたスケジューリングのための情報を無視する方法を開示する。
【０３４８】
自セルの傘下のＵＥへのスケジューリングを優先した方がよい場合がある。例えば、自セルの傘下のＵＥ数が多い場合などは、ＣｏＭＰセット内の他のセルの傘下のＵＥへのリソースを確保するよりも、自セルの傘下のＵＥへのリソースを確保した方が、システムとしてのスループットの向上を図ることができる。このような場合、周辺セルからの情報を考慮に入れたスケジューリングは、処理時間および消費電力の無駄となる。
【０３４９】
これらの問題を解決するために、本変形例では、各セルは、自セルの状況によって、ＣｏＭＰセット内の一つまたは複数の他セルから通知されたスケジューリングのための情報を無視する。この場合、自セルの諸状況に適した、無視するか否かを判断する情報を設定するとよい。各セルは、該情報に基づいて、ＣｏＭＰセット内の一つまたは複数の他セルから通知されたスケジューリングのための情報を無視する。
【０３５０】
前述の自セルの諸状況の具体例として、以下の（１）〜（９）の９つを開示する。
【０３５１】
（１）自セルの負荷。この場合、各セルは、自セルの負荷に応じて、周辺セルから通知されたスケジューリングのための情報を無視する。無視するか否かを判断する情報としては、自セルの負荷を示す情報を用いる。自セルの負荷を示す情報の具体例としては、低負荷、中負荷、高負荷および過負荷状態を示すインジケータとしてもよい。また自セルの負荷を示す情報は、これらに限らず、自セルの負荷状態を示す情報であればよい。
【０３５２】
（２）自セルの傘下のＵＥ数。この場合、各セルは、自セルの傘下のＵＥ数に応じて、周辺セルから通知されたスケジューリングのための情報を無視する。無視するか否かを判断する情報としては、自セルの傘下のＵＥ数を示す情報を用いる。
【０３５３】
（３）自セルの傘下のＲＲＣ＿ｃｏｎｎｅｃｔｅｄ状態のＵＥ数。この場合、各セルは、自セルの傘下のＲＲＣ＿ｃｏｎｎｅｃｔｅｄ状態のＵＥ数に応じて、周辺セルから通知されたスケジューリングのための情報を無視する。無視するか否かを判断する情報としては、自セルの傘下のＲＲＣ＿ｃｏｎｎｅｃｔｅｄ状態のＵＥ数を示す情報を用いる。無視するか否かを判断する情報は、自セルの傘下のＲＲＣ＿ｃｏｎｎｅｃｔｅｄ状態のＵＥ数に限らず、通信中のＵＥ数としてもよい。
【０３５４】
（４）自セルの傘下のＵＥのスケジューリングに必要なリソース量。この場合、各セルは、自セルの傘下のＵＥのスケジューリングに必要なリソース量に応じて、周辺セルから通知されたスケジューリングのための情報を無視する。無視するか否かを判断する情報としては、自セルの傘下のＵＥのスケジューリングに必要なリソース量を示す情報を用いる。自セルの傘下のＵＥのスケジューリングに必要なリソース量を示す情報は、例えばＲＢ番号、ＲＢ数としてもよい。
【０３５５】
（５）自セルの傘下の緊急呼の有無あるいは緊急呼の数。この場合、各セルは、自セルの傘下の緊急呼の有無あるいは緊急呼の数に応じて、周辺セルから通知されたスケジューリングのための情報を無視する。無視するか否かを判断する情報としては、自セルの傘下の緊急呼の有無を示す情報、あるいは自セルの傘下の緊急呼の数を示す情報を用いる。
【０３５６】
緊急呼の具体例として、以下の（ａ）〜（ｃ）の３つを開示する。（ａ）緊急呼（Emergency call）、（ｂ）ＥＴＷＳ（Earthquake and Tsunami Warning System）、（ｃ）ＣＭＡＳ（Commercial Mobile Alert System）。緊急呼は、確実にＵＥと通信が行われることが要求される。したがって、自セルは、傘下の緊急呼が有、あるいは所定の閾値よりも大きい数の場合、周辺セルから通知されたスケジューリングのための情報を無視するか否かを判断するとよい。これによって、自セルの傘下の緊急呼で通信しているＵＥを優先することが可能となる。
【０３５７】
（６）自セルのスケジューリング処理能力、処理速度。この場合、各セルは、自セルのスケジューリング処理能力あるいは処理速度に応じて、周辺セルから通知されたスケジューリングのための情報を無視する。無視するか否かを判断する情報としては、自セルのスケジューリング処理能力あるいは処理速度を示す情報を用いる。
【０３５８】
（７）自セルの傘下のＵＥとの電波伝搬経路状況。この場合、各セルは、自セルの傘下のＵＥとの電波伝搬経路状況に応じて、周辺セルから通知されたスケジューリングのための情報を無視する。無視するか否かを判断する情報としては、自セルの傘下のＵＥの電波伝搬経路状況を示す情報を用いる。
【０３５９】
（８）ＰＤＳＣＨがマッピングされるシンボルに関する情報。例えば、ＰＤＳＣＨがマッピングされるシンボル、あるいはＰＤＣＣＨｓのために用いるＯＦＤＭシンボル数、あるいはＰＣＦＩＣＨの値、あるいはＰＤＳＣＨをマッピングするシンボルの先頭値。この場合、各セルは、自セルのＰＤＳＣＨがマッピングされるシンボルに関する情報に応じて、周辺セルから通知されたスケジューリングのための情報を無視する。無視するか否かを判断する情報としては、自セルのＰＤＳＣＨがマッピングされるシンボルに関する情報を用いる。
【０３６０】
（９）前記（１）〜（８）の組合せ。これらは、前述の実施の形態１から実施の形態１の変形例２、あるいは実施の形態２と組合せてもよい。
【０３６１】
本変形例による具体例を、以下に開示する。ここでは自セルの諸状況が、前記具体例（４）の自セルの傘下のＵＥのスケジューリングに必要なリソース量の場合について示す。リソース量は、ＲＢ数とする。
【０３６２】
各セルは、自セルの傘下のＵＥのスケジューリングに必要なＲＢ数に応じて、周辺セルから通知されたスケジューリングのための情報を無視する。無視するか否かを判断する情報としては、自セルの傘下のＵＥのスケジューリングに必要なＲＢ数情報を用いる。各セルにおいて無視するか否かを判断するための閾値として、ＲＢ数閾値（以下「ＲＢＱｔｈ」という場合がある）を設定する。ＲＢＱｔｈは、セル毎に異なっていてもよい。
【０３６３】
図３１は、実施の形態２の変形例２におけるＣｏＭＰを行うときの各セルの処理手順の一例を示すフローチャートである。図３１に示すフローチャートは、図２６に示すフローチャートと類似しているので、同一のステップについては、同一の参照符号を付して、共通する説明を省略する。
【０３６４】
各セルは、ステップＳＴ２６０１において、スケジューリングのための情報導出処理を行う。スケジューリングのための情報導出処理を終了すると、ステップＳＴ３００１に移行する。
【０３６５】
ステップＳＴ３００１において、各セルは、スケジューリングのための情報を周辺セルに送信する。スケジューリングのための情報を周辺セルに送信すると、ステップＳＴ２６０４に移行する。
【０３６６】
ステップＳＴ２６０４において、各セルは、周辺セルからスケジューリングのための情報を受信する。周辺セルからスケジューリングのための情報を受信すると、ステップＳＴ３００２に移行する。
【０３６７】
各セルは、ステップＳＴ３００２において、自セルの傘下のＵＥのスケジューリングに必要なＲＢ数（以下「自セル傘下ＵＥ用ＲＢ数」または「ＲＢＱ」という場合がある）がＲＢ数閾値以上（ＲＢＱ≧ＲＢＱｔｈ）であるか否かを判断する。ステップＳＴ３００２において、各セルが、自セル傘下ＵＥ用ＲＢ数がＲＢ数閾値以上（ＲＢＱ≧ＲＢＱｔｈ）であると判断した場合は、ステップＳＴ３００３に移行する。ステップＳＴ３００２において、各セルが、自セル傘下ＵＥ用ＲＢ数がＲＢ数閾値よりも小さい（ＲＢＱ＜ＲＢＱｔｈ）と判断した場合は、ステップＳＴ３００４に移行する。
【０３６８】
ステップＳＴ３００３において、各セルは、周辺セルからのスケジューリングのための情報を無視する。スケジューリングのための情報を無視すると、ステップＳＴ３００４に移行する。
【０３６９】
ステップＳＴ３００４において、各セルは、無視しないスケジューリングのための情報を用いてスケジューリングを行う。スケジューリングが終了すると、ステップＳＴ２６０８に移行する。
【０３７０】
ステップＳＴ２６０８において、各セルは、ステップＳＴ２６０８でのスケジューリングの結果に基づいて、信号を送信する。スケジューリングの結果に基づいて信号を送信すると、ステップＳＴ２６０９に移行する。
【０３７１】
ステップＳＴ２６０９において、各セルは、ＣｏＭＰ動作を継続するか否かを判断する。ステップＳＴ２６０９において、各セルが、ＣｏＭＰ動作を継続すると判断した場合は、ステップＳＴ２６０１に戻り、前述の処理を繰り返し、ＣｏＭＰ動作を継続しないと判断した場合は、ＣｏＭＰ動作を終了する。
【０３７２】
以上のように本変形例では、自セルの傘下のＵＥのスケジューリングに必要なＲＢ数に応じて、周辺セルから通知されたスケジューリングのための情報を無視するように構成している。これによって、自セルに必要なＲＢ数が多い場合は、各セルは、周辺セルの傘下のＣｏＭＰを行うＵＥの送信データのためのリソースをスケジューリングしなくて済む。したがって、リソースの使用効率を向上させることができ、通信システムにおけるスループットの向上を図ることができる。
【０３７３】
別の方法として、ステップＳＴ３００２の自セルの傘下のＵＥのスケジューリングに必要なＲＢ数がＲＢ数閾値以上であるか否かの判断を、ステップＳＴ２６０４の処理の前に行ってもよい。この場合、各セルは、ステップＳＴ３００２において自セルの傘下のＵＥのスケジューリングに必要なＲＢ数がＲＢ数閾値以上であると判断すると、ステップＳＴ３００３に移行して、ステップＳＴ３００３において周辺セルからのスケジューリングのための情報を無視して、ステップＳＴ３００４へ移行する。
【０３７４】
また各セルは、ステップＳＴ３００２において自セルの傘下のＵＥのスケジューリングに必要なＲＢ数がＲＢ数閾値より小さいと判断すると、ステップＳＴ２６０４に移行して、ステップＳＴ２６０４において周辺セルからのスケジューリングのための情報を受信して、ステップＳＴ３００４へ移行する。ステップＳＴ３００４において、各セルは、無視しないスケジューリングのための情報を用いてスケジューリングを行うようにすればよい。
【０３７５】
また、ステップＳＴ３００３において、各セルは、周辺セルからのスケジューリングのための情報を無視するとしたが、周辺セルからのスケジューリングのための情報を受信しない、としてもよい。これにより、各セルは、周辺セルからのスケジューリングのための情報の受信処理を省略することが可能となるので、各セルにおける低消費電力化を図ることができる。
【０３７６】
他の諸状況についても、各セルにおいて無視するか否かを判断するための閾値を設定してもよい。前述の具体例と同様のフローチャートの処理手順に従ってＣｏＭＰを行うようにすればよい。諸状況に応じてスケジューリングのための情報を無視することによって、通信システムにおけるスループットなどの性能の改善を、より効果的に行うことができる。
【０３７７】
各セルにおいて設定される、無視するか否かを判断するための閾値は、静的な値として予め規格あるいはオペレータによって決められていてもよい。これによって、シグナリングを省略することができる。
【０３７８】
また前記閾値は、準静的あるいは動的な値として、ＣｏＭＰセット内セルを管理および制御するためのノードであるＣｏＭＰ制御ノード、ＭＭＥ、ＨｅＮＢＧＷおよびＯＡＭによって、各セルに通知されるようにしてもよい。この通知には、ＣｏＭＰ専用ＩＦを用いてもよいし、ＣｏＭＰ制御ノードとセル間ＩＦ、Ｓ１−ＩＦ、Ｘ２−ＩＦ、ＯＡＭ用ＩＦなどを用いてもよい。これによって、ＣｏＭＰセット内の諸状況を反映することが可能となり、さらに通信システムにおけるスループットの性能の改善を図ることができる。
【０３７９】
また前記閾値は、各セルが、自セルの状況を反映して準静的あるいは動的に決めてもよい。これによって、ＣｏＭＰセット内の各セル特有の諸状況を考慮することが可能となるので、全体としてのスケジューリングの効率を高めることが可能となる。さらに通信システムにおけるスループットの性能の改善を図ることができる。
【０３８０】
各セルは、前記無視するか否かを判断するための閾値に基づいて、周辺セルからのスケジューリングのための情報を無視するか否かを判断するようにしているが、スケジューリングのための情報を無視するか否かの判断を行うか否かを、各セルが決定してもよい。これによって、各セルの諸状況の動的変化を考慮して、スケジューリングを行うことが可能となる。したがって、時々刻々と変化する状況下においても、さらに通信システムにおけるスループットの性能の改善を図ることができる。
【０３８１】
また、自セルに決定させるか否かをＣｏＭＰ制御ノードが決定して、各セルに通知してもよい。これによって、ＣｏＭＰセット内のセル間での協調動作を容易に行うことができる。したがって、通信システムにおけるスループットの性能の改善を図ることができる。
【０３８２】
各セルは、自セルの状況によって、ＣｏＭＰセット内周辺セルの一部あるいは全てのセルから通知されたスケジューリングのための情報を無視するようにしてもよい。また、各セルは、自セルの状況によって、周辺セルから通知されたスケジューリングのための情報の一部または全部を無視するようにしてもよい。これによって、精度の高いスケジューリングを行うことが可能となる。周辺セルの状況と自セルの状況とをあわせて考慮することによって、さらに柔軟なＣｏＭＰ動作を行うことが可能となる。これによって、通信システムにおけるスループットの改善を図ることができる。
【０３８３】
本変形例で開示した方法を行うことによって、通信システムにおけるスループットの向上を図ることができる。また、周辺セルからの情報を無視することによって、スケジューリングの処理時間の削減およびスケジューリングの処理による消費電力の削減を図ることが可能となる。
【０３８４】
実施の形態３．
ＣｏＭＰセット内に構成されたセルは、ＣｏＭＰ送信をサポートする。非特許文献５には、これらのセルのＣｏＭＰ機能をオン（ＯＮ）およびオフ（ＯＦＦ）にする方法については、開示されていない。本実施の形態では、ＣｏＭＰ機能をオン（ＯＮ）およびオフ（ＯＦＦ）にする方法を開示する。ＣｏＭＰセット内のセルは、ＣｏＭＰ機能をオン（ＯＮ）にすると、ＣｏＭＰを実行し、ＣｏＭＰ機能をオフ（ＯＦＦ）にすると、ＣｏＭＰを実行しない。
【０３８５】
ＣｏＭＰ機能をオン（ＯＮ）にする方法として、以下の（１）〜（３）の３つを開示する。
【０３８６】
（１）ＣｏＭＰセット内のセルは、常にＣｏＭＰ機能をオンにする。ＣｏＭＰ機能をオンにしたセルは、ＣｏＭＰ送信のための処理およびＣｏＭＰ送信用データの送信を行う。
【０３８７】
（２）ＣｏＭＰセット内の少なくとも一つの他セルからスケジューリングのための情報を受信したとき、ＣｏＭＰ機能をオンにする。
【０３８８】
（３）ＣｏＭＰセット内のセルの傘下の少なくとも一つのＵＥからスケジューリングのための情報を受信したとき、ＣｏＭＰ機能をオンにする。
【０３８９】
次に、ＣｏＭＰ機能をオフ（ＯＦＦ）にする方法として、以下の（１）〜（４）の４つを開示する。
【０３９０】
（１）ＣｏＭＰ機能をオンにした後、所定の送信サブフレームでＣｏＭＰ送信を行い、その後にＣｏＭＰ機能をオフにする。所定の送信サブフレームは、一つまたは複数の送信サブフレームでもよい。
【０３９１】
（２）ＣｏＭＰ機能をオンにした後、所定の期間経過後にＣｏＭＰ機能をオフにする。所定の期間として、タイマを設けてもよい。該タイマが終了したか否かで、ＣｏＭＰ機能をオフにするか否かを決定してもよい。
【０３９２】
（３）ＣｏＭＰ機能をオンにした後、所定の期間、ＣｏＭＰセット内の他セルからスケジューリングのための情報を受信しない場合、ＣｏＭＰ機能をオフにする。所定の期間として、タイマを設けてもよい。該タイマが終了したか否かで、ＣｏＭＰ機能をオフにするか否かを決定してもよい。
【０３９３】
（４）ＣｏＭＰ機能をオンにした後、所定の期間、ＣｏＭＰセット内のセルの傘下のＵＥからスケジューリングのための情報を受信しない場合、ＣｏＭＰ機能をオフにする。所定の期間として、タイマを設けてもよい。該タイマが終了したか否かで、ＣｏＭＰ機能をオフにするか否かを決定してもよい。
【０３９４】
図３２は、実施の形態３におけるＣｏＭＰ機能をオンおよびオフにするときのシーケンスの一例を示す図である。図３２に示すシーケンスは、図１８に示すシーケンスと類似しているので、同一のステップについては、同一のステップ番号を付して、共通する説明を省略する。ここでは、ＣｏＭＰ機能をオンにする方法として、前記具体例（２）のＣｏＭＰセット内の少なくとも一つの他セルからスケジューリングのための情報を受信したとき、ＣｏＭＰ機能をオンにする方法を用いた場合について示す。また、ＣｏＭＰ機能をオフにする方法として、前記具体例（１）のＣｏＭＰ機能をオンにした後、所定の送信サブフレームでＣｏＭＰ送信を行い、その後にＣｏＭＰ機能をオフにする方法を用いた場合について示す。所定の送信サブフレームとしては、一つの送信サブフレームの場合を示す。
【０３９５】
ステップＳＴ１８０１〜ステップＳＴ１８０３において、各セルは、スケジューリングのための情報導出処理を行う。
【０３９６】
ステップＳＴ１８０４〜ステップＳＴ１８０９において、各セルは、ＣｏＭＰを行う他のセルとの間で、スケジューリングのための情報の交換を行う。セル１は、ステップＳＴ１８０７およびステップＳＴ１８０９において、セル２，３から送信されたスケジューリングのための情報を受信すると、ステップＳＴ３１０１に移行する。セル２は、ステップＳＴ１８０４およびステップＳＴ１８０８において、セル１，３から送信されたスケジューリングのための情報を受信すると、ステップＳＴ３１０２に移行する。セル３は、ステップＳＴ１８０５およびステップＳＴ１８０６において、セル１，２から送信されたスケジューリングのための情報を受信すると、ステップＳＴ３１０３に移行する。
【０３９７】
セル１は、周辺セルからスケジューリングのための情報を受信したことで、ステップＳＴ３１０１において、ＣｏＭＰ機能をオン（ＯＮ）にする。ＣｏＭＰ機能をオンにしたセル１は、ステップＳＴ３１０４に移行する。
【０３９８】
ステップＳＴ３１０４において、セル１は、周辺セルからのスケジューリングのための情報を用いて、ＣｏＭＰ送信のためのスケジューリングを行う。スケジューリングを行うと、ステップＳＴ１８１３に移行する。
【０３９９】
ステップＳＴ１８１３において、セル１は、ステップＳＴ３１０４のスケジューリングの結果に基づいて、同一サブフレームでＣｏＭＰ送信を行う。セル１は、ＣｏＭＰ送信を行うと、ステップＳＴ３１０７に移行する。ステップＳＴ３１０７において、セル１は、ＣｏＭＰ機能をオフ（ＯＦＦ）にする。セル１は、ＣｏＭＰ機能をオフにした後、再度スケジューリングのための情報を受信すると、ＣｏＭＰ機能をオンにする。
【０４００】
セル１と同様に、セル２は、周辺セルからスケジューリングのための情報を受信したことで、ステップＳＴ３１０２において、ＣｏＭＰ機能をオン（ＯＮ）にする。ＣｏＭＰ機能をオンにしたセル２は、ステップＳＴ３１０５に移行する。
【０４０１】
ステップＳＴ３１０５において、セル２は、周辺セルからのスケジューリングのための情報を用いて、ＣｏＭＰ送信のためのスケジューリングを行う。スケジューリングを行うと、ステップＳＴ１８１４に移行する。
【０４０２】
ステップＳＴ１８１４において、セル２は、ステップＳＴ３１０５のスケジューリングの結果に基づいて、同一サブフレームでＣｏＭＰ送信を行う。セル２は、ＣｏＭＰ送信を行うと、ステップＳＴ３１０８に移行する。ステップＳＴ３１０８において、セル２は、ＣｏＭＰ機能をオフ（ＯＦＦ）にする。セル２は、ＣｏＭＰ機能をオフにした後、再度スケジューリングのための情報を受信すると、ＣｏＭＰ機能をオンにする。
【０４０３】
またセル１と同様に、セル３は、周辺セルからスケジューリングのための情報を受信したことで、ステップＳＴ３１０３において、ＣｏＭＰ機能をオン（ＯＮ）にする。ＣｏＭＰ機能をオンにしたセル３は、ステップＳＴ３１０６に移行する。
【０４０４】
セル３は、ステップＳＴ３１０６において、周辺セルからのスケジューリングのための情報を用いて、ＣｏＭＰ送信のためのスケジューリングを行う。スケジューリングを行うと、ステップＳＴ１８１５に移行する。
【０４０５】
ステップＳＴ１８１５において、セル３は、ステップＳＴ３１０６のスケジューリングの結果に基づいて、同一サブフレームでＣｏＭＰ送信を行う。セル３は、ＣｏＭＰ送信を行うと、ステップＳＴ３１０９に移行する。ステップＳＴ３１０９において、セル３は、ＣｏＭＰ機能をオフ（ＯＦＦ）にする。セル３は、ＣｏＭＰ機能をオフにした後、再度スケジューリングのための情報を受信すると、ＣｏＭＰ機能をオンにする。
【０４０６】
以上のようにすることによって、各セルにおいて、ＣｏＭＰ機能をオン（ＯＮ）およびオフ（ＯＦＦ）にする動作が規定されるので、ＣｏＭＰセット内のセルにおいては、周辺セルと協調送信を行うこと、および協調送信を行わないことを認識することが可能となる。したがって、所定の送信サブフレームにおいて、ＣｏＭＰセット内の各セルが、ＣｏＭＰによる送信を行うことが可能となる。
【０４０７】
しかし、前述の方法では、通信システムにおけるスループットの性能の改善を図ることができないという問題が残る。この問題を解消するために、次の方法を開示する。
【０４０８】
ＣｏＭＰ制御ノードが、ＣｏＭＰセット内の一つまたは複数のセルに、ＣｏＭＰ機能をオンにするための情報を通知する。セル毎のＣｏＭＰ機能をオンにするか否かを、ＣｏＭＰ制御ノードの判断で行ってもよい。また、セル毎のＣｏＭＰ機能のオンを判断するために、ＣｏＭＰ制御ノードは、ＭＭＥに各セルの負荷状況を問合せてもよい。ＣｏＭＰ制御ノードからＭＭＥへ、ＣｏＭＰセット内の各セルの負荷状況の通知を要求するメッセージを通知し、ＭＭＥは該要求メッセージに応答して、ＣｏＭＰ制御ノードに各セルの負荷状況を通知するようにしてもよい。
【０４０９】
ＣｏＭＰ機能をオンにするための情報の具体例を、以下に示す。ＣｏＭＰ機能をオンにするための情報としては、周辺セルからの情報あるいはスケジューリングのための情報を無視するか否かの情報を用いる。ＣｏＭＰ機能をオンにするための情報は、協働可否情報に相当する。
【０４１０】
図３３および図３４は、ＣｏＭＰ機能をオンにするための情報として、周辺セルからの情報あるいはスケジューリングのための情報を無視するか否かの情報を用いた場合におけるＣｏＭＰ機能をオンおよびオフにするときのシーケンスの一例を示す図である。図３３と図３４とは、境界線ＢＬ１の位置で、つながっている。図３３および図３４に示すシーケンスは、図１８に示すシーケンスと類似しているので、同一のステップについては、同一のステップ番号を付して、共通する説明を省略する。ここでは、ＣｏＭＰ機能をオフにする方法として、前記具体例（１）のＣｏＭＰ機能をオンにした後、所定の送信サブフレームでＣｏＭＰ送信を行い、その後にＣｏＭＰ機能をオフにする方法を用いた場合について示す。所定の送信サブフレームとしては、一つの送信サブフレームの場合を示す。
【０４１１】
ＣｏＭＰ制御ノードは、ステップＳＴ３２０１、ステップＳＴ３２０２およびステップＳＴ３２０３において、ＣｏＭＰセット内の各セル、ここではセル１〜セル３に、周辺セルからの情報を無視するか否かの情報を通知する。
【０４１２】
ステップＳＴ３２０３で周辺セルからの情報を無視するか否かの情報を受信したセル１は、ステップＳＴ１８０１において、スケジューリングのための情報導出処理を行う。その後、セル１は、ステップＳＴ１８０４およびステップＳＴ１８０５において、ＣｏＭＰセット内の周辺セルへスケジューリングのための情報を送信する。
【０４１３】
ステップＳＴ３２０２で周辺セルからの情報を無視するか否かの情報を受信したセル２は、ステップＳＴ１８０２において、スケジューリングのための情報導出処理を行う。その後、セル２は、ステップＳＴ１８０６およびステップＳＴ１８０７において、ＣｏＭＰセット内の周辺セルへスケジューリングのための情報を送信する。
【０４１４】
ステップＳＴ３２０１で周辺セルからの情報を無視するか否かの情報を受信したセル３は、ステップＳＴ１８０３において、スケジューリングのための情報導出処理を行う。その後、セル３は、ステップＳＴ１８０８およびステップＳＴ１８０９において、ＣｏＭＰセット内の周辺セルへスケジューリングのための情報を送信する。
【０４１５】
ステップＳＴ３２０４において、セル１は、ステップＳＴ３２０３で受信した周辺セルからの情報を無視するか否かの情報に応じて、周辺セルからの情報を無視するか否かを判断する。ステップＳＴ３２０４において、周辺セルからの情報を無視するか否かの情報が、周辺セルからの情報を無視する旨を示していた場合、セル１は、周辺セルからの情報を無視すると判断して、ステップＳＴ３２０７に移行する。
【０４１６】
ステップＳＴ３２０７において、セル１は、ＣｏＭＰ機能をオフ（ＯＦＦ）にする、あるいはＣｏＭＰ機能をオン（ＯＮ）にしない。ステップＳＴ３２０７の処理を終了した後は、ステップＳＴ３２１３に移行する。
【０４１７】
ステップＳＴ３２１３において、セル１は、周辺セルからの情報を無視する。ステップＳＴ３２１３の処理を終了した後は、ステップＳＴ３２１９に移行する。
【０４１８】
ステップＳＴ３２１９において、セル１は、自セルのスケジューリングのための情報を考慮してスケジューリングを行う。スケジューリングを行うと、ステップＳＴ１８１３に移行する。
【０４１９】
ステップＳＴ３２０４において、周辺セルからの情報を無視するか否かの情報が、周辺セルからの情報を無視しない旨を示していた場合、セル１は、周辺セルからの情報を無視しないと判断して、ステップＳＴ３２０８に移行する。
【０４２０】
ステップＳＴ３２０８において、セル１は、ＣｏＭＰ機能をオン（ＯＮ）にする。ステップＳＴ３２０８の処理を終了した後は、ステップＳＴ３２１４に移行する。
【０４２１】
ステップＳＴ３２１４において、セル１は、周辺セルからの情報を考慮する。ステップＳＴ３２１４の処理を終了した後は、ステップＳＴ３２１９に移行する。
【０４２２】
ステップＳＴ３２１９において、セル１は、周辺セルからの情報および自セルのスケジューリングのための情報を考慮して、スケジューリングを行う。スケジューリングを行うと、ステップＳＴ１８１３に移行する。
【０４２３】
ステップＳＴ１８１３において、セル１は、ステップＳＴ３２１９のスケジューリングの結果に基づいて、同一サブフレームでＣｏＭＰによる送信、あるいは非ＣｏＭＰによる送信を行う。セル１は、ＣｏＭＰによる送信、あるいは非ＣｏＭＰによる送信を行うと、ステップＳＴ３１０７に移行する。ステップＳＴ３１０７において、セル１は、ＣｏＭＰ機能をオフ（ＯＦＦ）にする。あるいは、ＣｏＭＰ機能がオフである場合は、ＣｏＭＰ機能がオフの状態を継続する。その後、セル１は、再度スケジューリングのための情報を受信すると、周辺セルからの情報を無視するか否かを判断し、その判断結果に基づいて、ＣｏＭＰ機能をオンあるいはオフにする。
【０４２４】
ステップＳＴ３２０５において、セル２は、ステップＳＴ３２０２で受信した周辺セルからの情報を無視するか否かの情報に応じて、周辺セルからの情報を無視するか否かを判断する。ステップＳＴ３２０５において、周辺セルからの情報を無視するか否かの情報が、周辺セルからの情報を無視する旨を示していた場合、セル２は、周辺セルからの情報を無視すると判断して、ステップＳＴ３２０９に移行する。
【０４２５】
ステップＳＴ３２０９において、セル２は、ＣｏＭＰ機能をオフ（ＯＦＦ）にする、あるいはＣｏＭＰ機能をオン（ＯＮ）にしない。ステップＳＴ３２０９の処理を終了した後は、ステップＳＴ３２１５に移行する。
【０４２６】
ステップＳＴ３２１５において、セル２は、周辺セルからの情報を無視する。ステップＳＴ３２１５の処理を終了した後は、ステップＳＴ３２２０に移行する。
【０４２７】
ステップＳＴ３２２０において、セル２は、自セルのスケジューリングのための情報を考慮してスケジューリングを行う。スケジューリングを行うと、ステップＳＴ１８１４に移行する。
【０４２８】
ステップＳＴ３２０５において、周辺セルからの情報を無視するか否かの情報が、周辺セルからの情報を無視しない旨を示していた場合、セル２は、周辺セルからの情報を無視しないと判断して、ステップＳＴ３２１０に移行する。
【０４２９】
ステップＳＴ３２１０において、セル２は、ＣｏＭＰ機能をオン（ON）にする。ステップＳＴ３２１０の処理を終了した後は、ステップＳＴ３２１６に移行する。
【０４３０】
ステップＳＴ３２１６において、セル２は、周辺セルからの情報を考慮する。ステップＳＴ３２１６の処理を終了した後は、ステップＳＴ３２２０に移行する。
【０４３１】
ステップＳＴ３２２０において、セル２は、周辺セルからの情報および自セルのスケジューリングのための情報を考慮して、スケジューリングを行う。スケジューリングを行うと、ステップＳＴ１８１４に移行する。
【０４３２】
ステップＳＴ１８１４において、セル２は、ステップＳＴ３２２０のスケジューリングの結果に基づいて、同一サブフレームでＣｏＭＰによる送信、あるいは非ＣｏＭＰによる送信を行う。セル２は、ＣｏＭＰによる送信、あるいは非ＣｏＭＰによる送信を行うと、ステップＳＴ３１０８に移行する。ステップＳＴ３１０８において、セル２は、ＣｏＭＰ機能をオフ（ＯＦＦ）にする。あるいは、ＣｏＭＰ機能がオフである場合は、ＣｏＭＰ機能がオフの状態を継続する。その後、セル２は、再度スケジューリングのための情報を受信すると、周辺セルからの情報を無視するか否かを判断し、その判断結果に基づいて、ＣｏＭＰ機能をオンあるいはオフにする。
【０４３３】
ステップＳＴ３２０６において、セル３は、ステップＳＴ３２０１で受信した周辺セルからの情報を無視するか否かの情報に応じて、周辺セルからの情報を無視するか否かを判断する。ステップＳＴ３２０６において、周辺セルからの情報を無視するか否かの情報が、周辺セルからの情報を無視する旨を示していた場合、セル３は、周辺セルからの情報を無視すると判断して、ステップＳＴ３２１１に移行する。
【０４３４】
ステップＳＴ３２１１において、セル３は、ＣｏＭＰ機能をオフ（ＯＦＦ）にする、あるいはＣｏＭＰ機能をオン（ＯＮ）にしない。ステップＳＴ３２１１の処理を終了した後は、ステップＳＴ３２１７に移行する。
【０４３５】
ステップＳＴ３２１７において、セル３は、周辺セルからの情報を無視する。ステップＳＴ３２１７の処理を終了した後は、ステップＳＴ３２２１に移行する。
【０４３６】
ステップＳＴ３２２１において、セル３は、自セルのスケジューリングのための情報を考慮してスケジューリングを行う。スケジューリングを行うと、ステップＳＴ１８１５に移行する。
【０４３７】
ステップＳＴ３２０６において、周辺セルからの情報を無視するか否かの情報が、周辺セルからの情報を無視しない旨を示していた場合、セル３は、周辺セルからの情報を無視しないと判断して、ステップＳＴ３２１２に移行する。
【０４３８】
ステップＳＴ３２１２において、セル３は、ＣｏＭＰ機能をオン（ＯＮ）にする。ステップＳＴ３２１２の処理を終了した後は、ステップＳＴ３２１８に移行する。
【０４３９】
ステップＳＴ３２１８において、セル３は、周辺セルからの情報を考慮する。ステップＳＴ３２１８の処理を終了した後は、ステップＳＴ３２２１に移行する。
【０４４０】
ステップＳＴ３２２１において、セル３は、周辺セルからの情報および自セルのスケジューリングのための情報を考慮して、スケジューリングを行う。スケジューリングを行うと、ステップＳＴ１８１５に移行する。
【０４４１】
ステップＳＴ１８１５において、セル３は、ステップＳＴ３２２１のスケジューリングの結果に基づいて、同一サブフレームでＣｏＭＰによる送信、あるいは非ＣｏＭＰによる送信を行う。セル３は、ＣｏＭＰによる送信、あるいは非ＣｏＭＰによる送信を行うと、ステップＳＴ３１０９に移行する。ステップＳＴ３１０９において、セル３は、ＣｏＭＰ機能をオフ（ＯＦＦ）にする。あるいは、ＣｏＭＰ機能がオフである場合は、ＣｏＭＰ機能がオフの状態を継続する。その後、セル３は、再度スケジューリングのための情報を受信すると、周辺セルからの情報を無視するか否かを判断し、その判断結果に基づいて、ＣｏＭＰ機能をオンあるいはオフにする。
【０４４２】
本実施の形態では、ＣｏＭＰ機能をオンにするための情報として、周辺セルからのスケジューリングのための情報を無視するか否かの情報を用いるように構成される。これによって、各セルは、周辺セルからの情報を無視することが可能となるので、通信システムにおけるスループットの性能の改善を図ることができる。また、周辺セルからの情報を考慮に入れたスケジューリングを行わないようにすることによって、処理時間の短縮および消費電力の削減が可能となる。
【０４４３】
また本実施の形態では、ＣｏＭＰ制御ノードが、ＣｏＭＰ機能をオンにするかオフにするかを判断するとともに、周辺セルからのスケジューリングのための情報を無視するか否かを判断するので、ＣｏＭＰセット内の全てのセルの状況を考慮して、ＣｏＭＰによる送信のためのスケジューリングを行うことが可能となる。これによって、リソースの使用効率を向上させることが可能となる。
【０４４４】
前述の例では、ＣｏＭＰ制御ノードによるセル毎のＣｏＭＰ機能をオンにするか否かの判断を、各セルの負荷状況に応じて行うように構成されているが、他の例としては、前述の実施の形態２の変形例２で開示した自セルの状況を適用するとよい。各セルは、自セルの状況をＣｏＭＰ制御ノードに、予め通知しておく、あるいは定期的に通知する、としておくとよい。あるいは、各セルは、自セルの状況を、ＭＭＥを介してＣｏＭＰ制御ノードに通知するようにしてもよい。
【０４４５】
このようにすることによって、ＣｏＭＰ制御ノードは、セル毎のＣｏＭＰ機能をオンにするか否かの判断を、セルの諸状況に応じて適切に行うことが可能となる。
【０４４６】
前述の例では、各セルにおけるＣｏＭＰ機能をオンおよびオフにする判断を、周辺セルからスケジューリングのための情報を受信した後に行うように構成しているが、このような構成に限らず、スケジューリングのための情報導出処理を行う前に、ＣｏＭＰ機能をオンおよびオフにする判断を行うようにしてもよい。ＣｏＭＰ機能をオンにしないと判断した場合、周辺セルの傘下のＵＥのスケジューリングのための情報導出処理および周辺セルからのスケジューリングのための情報の受信処理の少なくともいずれか一方を省略するようにしてもよい。
【０４４７】
また、各セルは、スケジューリングのための情報の受信を行う前に、ＣｏＭＰ機能をオンおよびオフにする判断を行うようにしてもよい。ＣｏＭＰ機能をオンにしないと判断した場合、周辺セルからのスケジューリングのための情報の受信処理を省略するようにしてもよい。
【０４４８】
以上のようにすることによって、各セルにおける、周辺セルの傘下のＵＥのスケジューリングのための情報導出処理、あるいは周辺セルからのスケジューリングのための情報の受信処理を省略することができ、低消費電力化を図ることができる。
【０４４９】
ＣｏＭＰ機能をオンにしたセルで、ＣｏＭＰセットを構成するようにしてもよい。これによって、セルのＣｏＭＰ機能をオンおよびオフにする動作に応じて、ＣｏＭＰセットを構成することができ、ＣｏＭＰセット内のセル数を状況に応じて柔軟に変更することが可能となる。したがって、セル間のＣｏＭＰのためのシグナリング量を低減することが可能となる。
【０４５０】
実施の形態３  変形例１．
前述の実施の形態３では、ＣｏＭＰセット内の各セルのＣｏＭＰ機能をオンにするか否かの判断を、ＣｏＭＰ制御ノードが行った場合について開示したが、本変形例では他の方法について開示する。
【０４５１】
本変形例では、ＣｏＭＰ機能をオンにするか否かの判断を各セルが行うようにする。各セルが、ＣｏＭＰ機能をオンおよびオフにする。各セルが、ＣｏＭＰ機能をオンにするか否かの判断指標として、前述の実施の形態１から実施の形態２の変形例２で開示した、周辺セルから通知されたスケジューリングのための情報を無視するか否かの情報を用いるとよい。
【０４５２】
図３５および図３６は、各セルがＣｏＭＰ機能をオンにするか否かを判断するときのシーケンスの一例を示す図である。図３５と図３６とは、境界線ＢＬ２の位置で、つながっている。図３５および図３６に示すシーケンスは、図１８に示すシーケンスと類似しているので、同一のステップについては、同一のステップ番号を付して、共通する説明を省略する。ここでは、ＣｏＭＰ機能をオフにする方法として、前述の具体例（１）のＣｏＭＰ機能をオンにした後、所定の送信サブフレームでＣｏＭＰ送信を行い、その後にＣｏＭＰ機能をオフにする方法を用いた場合について示す。所定の送信サブフレームとしては、一つの送信サブフレームの場合を示す。
【０４５３】
ステップＳＴ１８０１〜ステップＳＴ１８０３において、各セルは、スケジューリングのための情報導出処理を行う。
【０４５４】
ステップＳＴ１８０４〜ステップＳＴ１８０９において、各セルは、ＣｏＭＰを行う他のセルとの間で、スケジューリングのための情報の交換を行う。セル１は、ステップＳＴ１８０７およびステップＳＴ１８０９において、セル２，３から送信されたスケジューリングのための情報を受信すると、ステップＳＴ３３０１に移行する。セル２は、ステップＳ１８０４およびステップＳＴ１８０８において、セル１，３から送信されたスケジューリングのための情報を受信すると、ステップＳＴ３３０２に移行する。セル３は、ステップＳＴ１８０５およびステップＳＴ１８０６において、セル１，２から送信されたスケジューリングのための情報を受信すると、ステップＳＴ３３０３に移行する。
【０４５５】
ステップＳＴ３３０１において、セル１は、自セルのみでスケジューリングを行うか否かを判断する。すなわち、ＣｏＭＰ機能をオンにして、ステップＳＴ１８０７およびステップＳＴ１８０９で受信した周辺セルからのスケジューリングのための情報を考慮して、ＣｏＭＰ送信のためのスケジューリングを行うか否かを判断する。ステップＳＴ３３０１において、セル１が、自セルのみでスケジューリングを行うと判断した場合は、ステップＳＴ３３０４に移行する。
【０４５６】
ステップＳＴ３３０４において、セル１は、ＣｏＭＰ機能をオフ（ＯＦＦ）にする、あるいはＣｏＭＰ機能をオン（ＯＮ）にしない。ステップＳＴ３３０４の処理を終了した後は、ステップＳＴ３３１０に移行する。ステップＳＴ３３１０において、セル１は、周辺セルからの情報を無視して、ステップＳＴ３３１６に移行する。ステップＳＴ３３１６において、セル１は、自セルのスケジューリングのための情報を考慮してスケジューリングを行う。スケジューリングを行うと、ステップＳＴ１８１３に移行する。
【０４５７】
ステップＳＴ３３０１において、セル１が、自セルのみでスケジューリングを行わないと判断した場合は、ステップＳＴ３３０５に移行する。ステップＳＴ３３０５において、セル１は、ＣｏＭＰ機能をオン（ＯＮ）にする。ステップＳＴ３３０５の処理を終了した後は、ステップＳＴ３３１１に移行する。
【０４５８】
ステップＳＴ３３１１において、セル１は、周辺セルからの情報を考慮する。ステップＳＴ３３１１の処理を終了した後は、ステップＳＴ３３１６に移行する。ステップＳＴ３３１６において、セル１は、周辺セルからの情報および自セルのスケジューリングのための情報を考慮して、スケジューリングを行う。スケジューリングを行うと、ステップＳＴ１８１３に移行する。
【０４５９】
ステップＳＴ１８１３において、セル１は、ステップＳＴ３３１６のスケジューリングの結果に基づいて、同一サブフレームでＣｏＭＰによる送信、あるいは非ＣｏＭＰによる送信を行う。セル１は、ＣｏＭＰによる送信、あるいは非ＣｏＭＰによる送信を行うと、ステップＳＴ３１０７に移行する。ステップＳＴ３１０７において、セル１は、ＣｏＭＰ機能をオフ（ＯＦＦ）にする。あるいは、ＣｏＭＰ機能がオフである場合は、ＣｏＭＰ機能がオフの状態を継続する。その後、セル１は、再度スケジューリングのための情報を受信すると、自セルのみでスケジューリングを行うか否かを判断し、その判断結果に基づいて、ＣｏＭＰ機能をオンあるいはオフにする。
【０４６０】
ステップＳＴ３３０２において、セル２は、自セルのみでスケジューリングを行うか否かを判断する。すなわち、ＣｏＭＰ機能をオンにして、ステップＳＴ１８０４およびステップＳＴ１８０８で受信した周辺セルからのスケジューリングのための情報を考慮して、ＣｏＭＰ送信のためのスケジューリングを行うか否かを判断する。ステップＳＴ３３０２において、セル２が、自セルのみでスケジューリングを行うと判断した場合は、ステップＳＴ３３０６に移行する。
【０４６１】
ステップＳＴ３３０６において、セル２は、ＣｏＭＰ機能をオフ（ＯＦＦ）にする、あるいはＣｏＭＰ機能をオン（ＯＮ）にしない。ステップＳＴ３３０６の処理を終了した後は、ステップＳＴ３３１２に移行する。
【０４６２】
ステップＳＴ３３１２において、セル２は、周辺セルからの情報を無視する。ステップＳＴ３３１２の処理を終了した後は、ステップＳＴ３３１７に移行する。
【０４６３】
ステップＳＴ３３１７において、セル２は、自セルのスケジューリングのための情報を考慮してスケジューリングを行う。スケジューリングを行うと、ステップＳＴ１８１４に移行する。
【０４６４】
ステップＳＴ３３０２において、セル２が、自セルのみでスケジューリングを行わないと判断した場合は、ステップＳＴ３３０７に移行する。
【０４６５】
ステップＳＴ３３０７において、セル２は、ＣｏＭＰ機能をオン（ＯＮ）にする。ステップＳＴ３３０７の処理を終了した後は、ステップＳＴ３３１３に移行する。ステップＳＴ３３１３において、セル２は、周辺セルからの情報を考慮する。ステップＳＴ３３１３の処理を終了した後は、ステップＳＴ３３１７に移行する。ステップＳＴ３３１７において、セル２は、周辺セルからの情報および自セルのスケジューリングのための情報を考慮して、スケジューリングを行う。スケジューリングを行うと、ステップＳＴ１８１４に移行する。
【０４６６】
ステップＳＴ１８１４において、セル２は、ステップＳＴ３３１７のスケジューリングの結果に基づいて、同一サブフレームでＣｏＭＰによる送信、あるいは非ＣｏＭＰによる送信を行う。セル２は、ＣｏＭＰによる送信、あるいは非ＣｏＭＰによる送信を行うと、ステップＳＴ３１０８に移行する。ステップＳＴ３１０８において、セル２は、ＣｏＭＰ機能をオフ（ＯＦＦ）にする。あるいは、ＣｏＭＰ機能がオフである場合は、ＣｏＭＰ機能がオフの状態を継続する。その後、セル２は、再度スケジューリングのための情報を受信すると、自セルのみでスケジューリングを行うか否かを判断し、その判断結果に基づいて、ＣｏＭＰ機能をオンあるいはオフにする。
【０４６７】
ステップＳＴ３３０３において、セル３は、自セルのみでスケジューリングを行うか否かを判断する。すなわち、ＣｏＭＰ機能をオンにして、ステップＳＴ１８０５およびステップＳＴ１８０６で受信した周辺セルからのスケジューリングのための情報を考慮して、ＣｏＭＰ送信のためのスケジューリングを行うか否かを判断する。ステップＳＴ３３０３において、セル３が、自セルのみでスケジューリングを行うと判断した場合は、ステップＳＴ３３０８に移行する。
【０４６８】
ステップＳＴ３３０８において、セル３は、ＣｏＭＰ機能をオフ（ＯＦＦ）にする、あるいはＣｏＭＰ機能をオン（ＯＮ）にしない。ステップＳＴ３３０８の処理を終了した後は、ステップＳＴ３３１４に移行する。ステップＳＴ３３１４において、セル３は、周辺セルからの情報を無視し、ステップＳＴ３３１８に移行する。ステップＳＴ３３１８において、セル３は、自セルのスケジューリングのための情報を考慮してスケジューリングを行う。スケジューリングを行うと、ステップＳＴ１８１５に移行する。
【０４６９】
ステップＳＴ３３０３において、セル３が、自セルのみでスケジューリングを行わないと判断した場合は、ステップＳＴ３３０９に移行する。ステップＳＴ３３０９において、セル３は、ＣｏＭＰ機能をオン（ＯＮ）にする。ステップＳＴ３３０９の処理を終了した後は、ステップＳＴ３３１５に移行する。
【０４７０】
ステップＳＴ３３１５において、セル３は、周辺セルからの情報を考慮する。ステップＳＴ３３１５の処理を終了した後は、ステップＳＴ３３１８に移行する。
【０４７１】
ステップＳＴ３３１８において、セル３は、周辺セルからの情報および自セルのスケジューリングのための情報を考慮して、スケジューリングを行う。スケジューリングを行うと、ステップＳＴ１８１５に移行する。
【０４７２】
ステップＳＴ１８１５において、セル３は、ステップＳＴ３３１８のスケジューリングの結果に基づいて、同一サブフレームでＣｏＭＰによる送信、あるいは非ＣｏＭＰによる送信を行う。セル３は、ＣｏＭＰによる送信、あるいは非ＣｏＭＰによる送信を行うと、ステップＳＴ３１０９に移行する。ステップＳＴ３１０９において、セル３は、ＣｏＭＰ機能をオフ（ＯＦＦ）にする。あるいは、ＣｏＭＰ機能がオフである場合は、ＣｏＭＰ機能がオフの状態を継続する。その後、セル３は、再度スケジューリングのための情報を受信すると、自セルのみでスケジューリングを行うか否かを判断し、その判断結果に基づいて、ＣｏＭＰ機能をオンあるいはオフにする。
【０４７３】
本変形例では、各セルが、ＣｏＭＰ機能をオンにするかオフにするかを判断するとともに、周辺セルからのスケジューリングのための情報を無視するか否かを判断する。各セルは、自セル独自の状況に応じて、周辺セルからのスケジューリング情報を無視あるいは考慮したＣｏＭＰ送信を行うことができる。したがって、各セルが必ずしも周辺セルとのＣｏＭＰ送信を行う必要が無くなる。これによって、通信システムにおけるスループットの性能の改善を図ることができる。
【０４７４】
また、各セルは、周辺セルからの情報を考慮に入れたスケジューリングを行わないようにすることによって、処理時間の短縮および消費電力の削減を図ることが可能となる。
【０４７５】
前述の例では、各セルは、ＣｏＭＰ機能をオンおよびオフにする判断を、周辺セルからスケジューリングのための情報を受信した後に行うように構成しているが、このような構成に限らず、スケジューリングのための情報導出処理を行う前に、ＣｏＭＰ機能をオンおよびオフにする判断を行うようにしてもよい。ＣｏＭＰ機能をオンにしないと判断した場合、周辺セルの傘下のＵＥのスケジューリングのための情報導出処理および周辺セルからのスケジューリングのための情報の受信処理の少なくともいずれか一方を省略するようにしてもよい。
【０４７６】
また、各セルは、スケジューリングのための情報の受信を行う前に、ＣｏＭＰ機能をオンおよびオフにする判断を行うようにしてもよい。ＣｏＭＰ機能をオンにしないと判断した場合、周辺セルからのスケジューリングのための情報の受信処理を省略するようにしてもよい。
【０４７７】
以上のようにすることによって、各セルにおける、周辺セルの傘下のＵＥのスケジューリングのための情報導出処理、あるいは周辺セルからのスケジューリングのための情報の受信処理を省略することができ、低消費電力化を図ることができる。
【０４７８】
また、各セルは、ＣｏＭＰ機能をオンにした上で、自セルの状況に応じて、ＣｏＭＰセット内の周辺セルの一つまたは複数のセルからの情報を無視して、スケジューリングを行うようにしてもよい。また、各セルは、自セルの状況によって、周辺セルから通知されたスケジューリングのための情報の一部または全部を無視するようにしてもよい。これによって、精度の高いスケジューリングを行うことが可能となる。周辺セルの状況と自セルの状況とをあわせて考慮することによって、さらに柔軟なＣｏＭＰ動作を行うことが可能となる。また、通信システムにおけるスループットの改善を図ることができる。
【０４７９】
ＣｏＭＰ機能をオフにする、あるいはＣｏＭＰ機能をオンにしないことを決めたセルは、周辺セルへＣｏＭＰ機能をオフにすることを通知してもよい。ＣｏＭＰ機能をオフにすることを示す情報を設けて、周辺セルへ送信するとよい。ＣｏＭＰ機能をオフにすることを示す情報に付随して、自セルのセル識別子を周辺セルへ送信してもよい。これによって、周辺セルは、どのセルがＣｏＭＰ機能をオフにしているかを認識することが可能となる。ＣｏＭＰセット内の各セルは、ＣｏＭＰ機能をオフにすることを決めたセルに対して、スケジューリングのための情報を通知しないようにしてもよい。あるいは、ＣｏＭＰセットから除外してもよい。
【０４８０】
ＣｏＭＰ機能をオンにすることを決めたセルは、周辺セルへＣｏＭＰ機能をオンにすることを通知してもよい。ＣｏＭＰ機能をオンにすることを示す情報を設けて、周辺セルへ送信するとよい。ＣｏＭＰ機能をオンにすることを示す情報に付随して、自セルのセル識別子を周辺セルへ送信してもよい。これによって、周辺セルは、どのセルがＣｏＭＰ機能をオンにしているかを認識することが可能となる。
【０４８１】
ＣｏＭＰセット内の各セルが、ＣｏＭＰ機能をオフにすることを決めたセルに対してスケジューリングのための情報を通知しない、あるいは、ＣｏＭＰセットから除外しているような場合、該ＣｏＭＰ機能をオンにする旨の情報を受信することによって、スケジューリングのための情報を通知する、あるいは、ＣｏＭＰセットに加えるようにするとよい。
【０４８２】
これによって、セル間の無駄なシグナリングを削減することが可能となり、シグナリング負荷を低減させることが可能となる。したがって、セル間インタフェースにおける遅延量を低減することが可能となる。
【０４８３】
ＣｏＭＰ機能をオンにしたセルで、ＣｏＭＰ送信ポイントとなるセルを構成するようにしてもよい。本開示では、ＣｏＭＰセットとして、ＣｏＭＰコオペレーティングセットあるいはＣｏＭＰ送信ポイントセットであってもよいとした。ここでは、ＣｏＭＰセットとして、ＣｏＭＰコオペレーティングセットであるとし、そのセットの中に、ＣｏＭＰ機能をオンにしたＣｏＭＰ送信ポイントとなるセルのセットが構成されるようにしてもよい。これによって、ＣｏＭＰ送信ポイントとなるセルのＣｏＭＰ機能をオンおよびオフにする動作を明確にすることができ、各セル間でのＣｏＭＰ動作が可能となる。
【０４８４】
実施の形態４．
前述の実施の形態１から実施の形態３の変形例１では、セル間でスケジューリングのための情報などを交換する場合に、どのセルから送信された情報であるのかを識別可能とするために、スケジューリングのための情報に、セル識別子、例えば識別番号、Ｃｅｌｌ−ＩＤ、ＧＣＩ、ＰＣＩなどを付随させることを開示した。
【０４８５】
しかし、前述のセル識別子は、ＰＬＭＮ内で識別可能とするような数であったり、あるいは２の９乗（２９）程度であったりと、必要な情報量が大きい。したがって、セル間での情報交換の量が増大すると、セル間のインタフェースにおけるシグナリング負荷が増大してしまう。シグナリング負荷の増大は、セル間インタフェースの遅延量の増大につながり、通信システムにおけるスループットの低下を招くという問題がある。
【０４８６】
この問題を解消するための方法を、以下に開示する。ＣｏＭＰセット内におけるセルの識別子として、ＣｏＭＰセルインデックス（CoMP cell index）を設ける。ＣｏＭＰセルインデックスは、ＣｏＭＰセット内のセルの数で構成される。例えば、ＣｏＭＰセットが９つのセルで構成される場合は、ＣｏＭＰセルインデックスは９個となる。例えば、各セルに「０」〜「８」のインデックス（index）が付けられる。ＣｏＭＰセットは、ＰＬＭＮのセルの一部で構成されるので、ＣｏＭＰセット内のセル数は、ＰＬＭＮのセル数あるいは２の９乗（２９）程度よりも少ないと考えられる。したがって、ＣｏＭＰセルインデックスを設けて、セル識別子とＣｏＭＰセルインデックスとを対応付けておくことによって、ＣｏＭＰセット内の各セルを識別させるための情報量を低減させることが可能となる。
【０４８７】
ＣｏＭＰ送信のためのセル間のシグナリングには、識別番号、Ｃｅｌｌ−ＩＤ、ＰＣＩ、ＣＧＩなどの代わりに、ＣｏＭＰセルインデックスを用いる。これによって、たとえセル間での情報交換量が増大したとしても、セル識別子の情報量は少なくて済むので、セル間のインタフェースにおけるシグナリング負荷の増大を抑制することができ、セル間インタフェースの遅延量の増大を抑制することが可能となる。これによって、通信システムにおけるスループットの低下を抑えることができる。
【０４８８】
図３７は、実施の形態４におけるＣｏＭＰを行うときのスケジューリングのシーケンスの一例を示す図である。図３７に示すシーケンスは、図１８に示すシーケンスと類似しているので、同一のステップについては、同一のステップ番号を付して、共通する説明を省略する。
【０４８９】
ＣｏＭＰ制御ノードは、ステップＳＴ３４０１、ステップＳＴ３４０２およびステップＳＴ３４０３において、ＣｏＭＰセット内の各セル、ここではセル１〜３に、ＣｏＭＰセット内の全てのセルのセル識別子とＣｏＭＰセルインデックスとの対応関係を表す情報（以下「ＣｏＭＰセルインデックスとセル識別子との対応関係情報」という）を通知する。
【０４９０】
ステップＳＴ３４０３においてＣｏＭＰセルインデックスとセル識別子との対応関係情報を受信したセル１は、ステップＳＴ１８０１において、スケジューリングのための情報導出処理を行う。その後、セル１は、ステップＳＴ３４０４およびステップＳＴ３４０５において、ＣｏＭＰセット内の周辺セルに、自セルのＣｏＭＰセルインデックスと、スケジューリングのための情報とを送信する。
【０４９１】
ステップＳＴ３４０２においてＣｏＭＰセルインデックスとセル識別子との対応関係情報を受信したセル２は、ステップＳＴ１８０２において、スケジューリングのための情報導出処理を行う。その後、セル２は、ステップＳＴ３４０６およびステップＳＴ３４０７において、ＣｏＭＰセット内の周辺セルに、自セルのＣｏＭＰセルインデックスと、スケジューリングのための情報とを送信する。
【０４９２】
ステップＳＴ３４０１においてＣｏＭＰセルインデックスとセル識別子との対応関係情報を受信したセル３は、ステップＳＴ１８０３において、スケジューリングのための情報導出処理を行う。その後、セル３は、ステップＳＴ３４０８およびステップＳＴ３４０９において、ＣｏＭＰセット内の周辺セルに、自セルのＣｏＭＰセルインデックスと、スケジューリングのための情報とを送信する。
【０４９３】
ＣｏＭＰセルインデックスは、スケジューリングのための情報の中に含まれていてもよい。自セルのＣｏＭＰセルインデックスの値は、ＣｏＭＰ制御ノードから受信したＣｏＭＰセルインデックスとセル識別子との対応関係情報を用いて、自セルのセル識別子から導出する。
【０４９４】
セル１は、ステップＳＴ３４０７およびステップＳＴ３４０９において周辺セルからのＣｏＭＰセルインデックスおよびスケジューリングのための情報を受信すると、ステップＳＴ３４１０に移行する。
【０４９５】
ステップＳＴ３４１０において、セル１は、各ＣｏＭＰセルインデックスから、ＣｏＭＰ制御ノードから受信したＣｏＭＰセルインデックスとセル識別子との対応関係情報を用いて、セル識別子を導出し、各スケジューリングのための情報がどのセルから送信された情報であるのかを認識する。セル識別子を導出すると、ステップＳＴ１８１０に移行する。
【０４９６】
ステップＳＴ１８１０において、セル１は、周辺セルであるセル２およびセル３からのスケジューリングのための情報を用いてスケジューリングを行う。スケジューリングを行うと、ステップＳＴ１８１３に移行する。ステップＳＴ１８１３において、セル１は、ステップＳＴ１８１０のスケジューリングの結果に基づいて、信号を送信する。セル１と同様に、セル２は、ステップＳＴ３４０４およびステップＳＴ３４０８において周辺セルからのＣｏＭＰセルインデックスおよびスケジューリングのための情報を受信すると、ステップＳＴ３４１１に移行する。
【０４９７】
ステップＳＴ３４１１において、セル２は、各ＣｏＭＰセルインデックスから、ＣｏＭＰ制御ノードから受信したＣｏＭＰセルインデックスとセル識別子との対応関係情報を用いて、セル識別子を導出し、各スケジューリングのための情報がどのセルから送信された情報であるのかを認識する。セル識別子を導出すると、ステップＳＴ１８１１に移行する。
【０４９８】
ステップＳＴ１８１１において、セル２は、周辺セルであるセル３およびセル１からのスケジューリングのための情報を用いてスケジューリングを行う。スケジューリングを行うと、ステップＳＴ１８１４に移行する。ステップＳＴ１８１４において、セル２は、ステップＳＴ１８１１のスケジューリングの結果に基づいて、信号を送信する。
【０４９９】
またセル１と同様に、セル３は、ステップＳＴ３４０５およびステップＳＴ３４０６において周辺セルからのＣｏＭＰセルインデックスおよびスケジューリングのための情報を受信すると、ステップＳＴ３４１２に移行する。
【０５００】
ステップＳＴ３４１２において、セル３は、各ＣｏＭＰセルインデックスから、ＣｏＭＰ制御ノードから受信したＣｏＭＰセルインデックスとセル識別子との対応関係情報を用いて、セル識別子を導出し、各スケジューリングのための情報がどのセルから送信された情報であるのかを認識する。セル識別子を導出すると、ステップＳＴ１８１２に移行する。
【０５０１】
ステップＳＴ１８１２において、セル３は、周辺セルであるセル１およびセル２からのスケジューリングのための情報を用いてスケジューリングを行う。スケジューリングを行うと、ステップＳＴ１８１５に移行する。
【０５０２】
ステップＳＴ１８１５において、セル３は、ステップＳＴ１８１２のスケジューリングの結果に基づいて、信号を送信する。
【０５０３】
本実施の形態で開示したように、ＣｏＭＰセット内でＣｏＭＰセルインデックスを設けて、ＣｏＭＰセット内の各セルに付している。これによって、ＣｏＭＰセット内のセル数が少数に限定されるので、ＣｏＭＰセルインデックスの値は、小さく抑えることができる。また、ＣｏＭＰセット内の各セルが、ＣｏＭＰセット内の全てのセルのＣｏＭＰセルインデックスを共有することが可能となる。したがって、少ない情報量でセル間の情報交換が可能となり、セル間のシグナリング負荷の増大を抑制することが可能となる。これによって、セル間インタフェースにおける遅延量を抑制することができ、通信システムにおけるスループットの向上を図ることができる。
【０５０４】
本実施の形態は、ＵＥがＣｏＭＰセット内のセルの識別子を認識する必要が有る場合にも適用することができる。サービングセルからＵＥに、ＣｏＭＰセットを構成するセルの識別子とＣｏＭＰセルインデックスとの対応関係情報を通知すればよい。例えば、ＵＥが、ＣｏＭＰセット内のセルのメジャメントを行い、サービングセル、あるいはＣｏＭＰセット内の所望のセルへメジャメント結果を報告するような場合、メジャメント結果がどのセルのものであるのかを、ＣｏＭＰセルインデックスで示すようにしてもよい。ＵＥからサービングセルあるいはＣｏＭＰセット内の所望のセルに送信する、所定のセルのメジャメント結果に、ＣｏＭＰセルインデックスを付随させて送信すればよい。これによって、セルとＵＥとの間のシグナリング負荷の低減を図ることができる。
【０５０５】
前述のように本実施の形態では、一例として、ＣｏＭＰ制御ノードが、各セルに、ＣｏＭＰセット内の全てのセルのＣｏＭＰセルインデックスとセル識別子との対応関係情報を通知するように構成しているが、このような構成に限らない。他の例としては、各セルで、ＣｏＭＰセット内のセルのセル識別子を共有し、予め決められた方法に従って、セル識別子とＣｏＭＰセルインデックスとを対応付けるようにしてもよい。
【０５０６】
例えば、ＣｏＭＰ制御ノードが、各セルに、ＣｏＭＰセット内の全てのセルのセル識別子を通知しておく。あるいは、予めＣｏＭＰセット内のセル間で、セル識別子の情報を交換、換言すればセル識別子の情報を送受信する。各セルは、自セルの識別子も含めて、ＣｏＭＰセット内のセル識別子を昇順に並べて、ＣｏＭＰセルインデックスを「０」、「１」、・・・と順に付す。これによって、自セルも含めたＣｏＭＰセット内の全てのセルのＣｏＭＰセルインデックスが確定する。これによって、ＣｏＭＰセット内の各セルにおいて、ＣｏＭＰセルインデックスを同一の値とすることができる。
【０５０７】
各セルが、自セルの識別子も含めてＣｏＭＰセット内のセル識別子を順に並べる方法としては、昇順に限らず、降順であってもよい。順に並べる規則が予め決められていればよい。これによって、ＣｏＭＰセット内の各セルにおいて、ＣｏＭＰセルインデックスを同一の値とすることができる。順に並べる規則を予め決める方法としては、例えば、規格およびオペレータによって予め決めておくとよい。このようにすることによって、ＣｏＭＰセット内の各セルが、ＣｏＭＰセット内の全てのセルのＣｏＭＰセルインデックスを共有することが可能となる。
【０５０８】
このようにすることによって、ＣｏＭＰ制御ノードから各セルへのシグナリング量を低減することができる。また、ＣｏＭＰ制御ノードでＣｏＭＰセルインデックスを管理および制御するための複雑性を低減することができ、ＣｏＭＰセットの構成の柔軟性の増大を図ることができる。
【０５０９】
本実施の形態で開示したＣｏＭＰセルインデックスは、上りリファレンスシグナルのシーケンスコードとして用いてもよい。上りリファレンスシグナルの具体例として、以下の（１），（２）の２つを示す。（１）下りＣｏＭＰのフィードバックのための上りリファレンスシグナル、（２）上りＣｏＭＰのための上りリファレンスシグナル。
【０５１０】
具体例（１）の下りＣｏＭＰのフィードバックのための上りリファレンスシグナルとして用いる場合、フィードバックする下りセルを示すためのＣｏＭＰセルインデックスとしてもよい。これによって、必要となるシーケンスコード数を少なくすることができる。
【０５１１】
前述の実施の形態１から実施の形態４で開示した方法は、適宜組合せて用いてもよい。
【０５１２】
前述の実施の形態１から実施の形態４で開示した方法は、分散型スケジューリングに適用することができる。また、非反復ＣｏＭＰスケジューリングだけでなく、反復ＣｏＭＰスケジューリングにも適用することができる。反復ＣｏＭＰスケジューリングにおいて、例えば、セル間の情報交換１回毎に、本開示で説明した方法を適用してもよいし、セル間の情報交換の全てを通して、本開示で説明した方法を適用してもよい。
【０５１３】
また、分散型スケジューリングだけでなく、集中型スケジューリングに適用してもよい。集中ノードにおけるスケジューリングにおいて、集中ノードが、ＣｏＭＰセット内の一つまたは複数のセルのスケジューリングのための情報を用いなくてもよいようにすればよい。集中ノードは、ＣｏＭＰセット内の一つまたは複数のセルから通知されたスケジューリングのための情報を無視する、とすればよい。ＣｏＭＰセット内の一つまたは複数のセルは、集中ノードにスケジューリングのための情報を通知しないようにする、とすればよい。
【０５１４】
また前述の実施の形態３では、ＣｏＭＰ制御ノードの機能を、集中ノードに持たせるようにしてもよい。また、集中ノードが、各セルのＣｏＭＰ機能をオンおよびオフにする設定を行うようにすればよい。
【０５１５】
前述の実施の形態４では、各セルと集中ノードとの間のインタフェースにおける情報交換に適用すればよい。これによって、集中ノードによる集中型スケジューリングの遅延をさらに小さくすることが可能となり、通信システムにおけるスループットの性能の改善を図ることができる。
【０５１６】
以上の各実施の形態では、ＬＴＥ−ＡにおけるＣｏＭＰについて説明したが、本開示の通信システムは、他の通信システムにおいて多地点間で協調して送受信を行う場合、あるいは異種通信システムにおいて多地点間で協調して送受信を行うような場合にも適用することが可能である。
【０５１７】
本開示は詳細に説明されたが、上記した説明は、すべての局面において、例示であって、本開示がそれに限定されるものではない。例示されていない無数の変形例が、本開示の範囲から外れることなく想定され得るものと解される。
【符号の説明】
【０５１８】
１３０１，１４０１，１５０１  第１マルチポイントユニット、１３０２，１４０２，１５０２  第２マルチポイントユニット、１３０３，１４０３，１５０３，１５０７  移動端末（ＵＥ）、１３０６，１３０７，１４０６，１４０７，１５０５，１５０６  カバレッジ。
【図１】
2020065306.tif 000003
【図２】
2020065306.tif 000004
【図３】
2020065306.tif 000005
【図４】
2020065306.tif 000006
【図５】
2020065306.tif 000007
【図６】
2020065306.tif 000008
【図７】
2020065306.tif 000009
【図８】
2020065306.tif 000010
【図９】
2020065306.tif 000011
【図１０】
2020065306.tif 000012
【図１１】
2020065306.tif 000013
【図１２】
2020065306.tif 000014
【図１３】
2020065306.tif 000015
【図１４】
2020065306.tif 000016
【図１５】
2020065306.tif 000017
【図１６】
2020065306.tif 000018
【図１７】
2020065306.tif 000019
【図１８】
2020065306.tif 000020
【図１９】
2020065306.tif 000021
【図２０】
2020065306.tif 000022
【図２１】
2020065306.tif 000023
【図２２】
2020065306.tif 000024
【図２３】
2020065306.tif 000025
【図２４】
2020065306.tif 000026
【図２５】
2020065306.tif 000027
【図２６】
2020065306.tif 000028
【図２７】
2020065306.tif 000029
【図２８】
2020065306.tif 000030
【図２９】
2020065306.tif 000031
【図３０】
2020065306.tif 000032
【図３１】
2020065306.tif 000033
【図３２】
2020065306.tif 000034
【図３３】
2020065306.tif 000035
【図３４】
2020065306.tif 000036
【図３５】
2020065306.tif 000037
【図３６】
2020065306.tif 000038
【図３７】
2020065306.tif 000039